(57)【要約】【課題】移動体が搭載する燃料電池からの生成水を外部に放出する際に生成水が飛散するのを抑制する。【解決手段】燃料電池車が搭載する燃料電池システム２０の水素供給系３０の気液分離器３８や空気給排系４０の気液分離器４８により分離された水を車両前部のフェンダ内やバンパー内に取り付けられたバッファタンク６２ａ〜６２ｃに一旦蓄え、走行風の影響の比較的小さな車両前輪の前方や後方に取り付けた放出口６４ｂ，６４ｃから放出する。このとき、放出した水に対する走行風の影響が小さくなるよう、空気により放出した水が車両の側後方に飛ばされるよう空気の流路を設けたり、排ガスや空気により放出した水の前方にエアカーテンを形成する。この結果、放出した水が走行風により飛散して巻き上げられ、後方や側方を走行している車両にかかるなどの不都合を抑制することができる。【選択図】図３
2010001015.tif 000002
【特許請求の範囲】
【請求項１】
発電に伴って水を生成する燃料電池を電力源として搭載する移動体であって、
前記燃料電池により生成された生成水を前記移動体の前部に配置された放出口から外部に放出する放出手段
を備える移動体。
【請求項２】
請求項１記載の移動体であって、
前記移動体は車両であり、
前記放出口は、車両前部のバンパー部またはフェンダ部に配置されてなる
移動体。
【請求項３】
前記放出口は、前記車両の前輪より前方に配置されてなる請求項２記載の移動体。
【請求項４】
車両前部に前記燃料電池から前記生成水を外部へ放出するための経路に設けられて該生成水を貯留可能な貯留手段を備える請求項２または３記載の移動体。
【請求項５】
前記貯留手段は、前記車両のバンパーの内側に配置されてなる請求項４記載の移動体。
【請求項６】
前記貯留手段は、前記放出口の前方に配置されてなる請求項４または５記載の移動体。
【請求項７】
発電に伴って水を生成する燃料電池を電力源として搭載する移動体であって、
前記燃料電池により生成された生成水を放出口から外部に放出する放出手段と、
該放出手段の放出口近傍における移動体の移動に伴う空気の流れを調整する空気流調整手段と、
を備える移動体。
【請求項８】
請求項７記載の移動体であって、
前記放出口は、前記生成水を移動体の下側部から略鉛直下方に向けて放出するよう配置されてなり、
前記空気流調整手段は、空気を移動体の側後方に流す手段である
移動体。
【請求項９】
前記空気流調整手段は、空気を移動体の側方に対して１５〜７５度の範囲内の角度をもって後方に流す手段である請求項８記載の移動体。
【請求項１０】
前記空気流調整手段は、空気を鉛直下方の流れ成分をもって流す手段である請求項８または９記載の移動体。
【請求項１１】
前記空気調整手段は、移動体前部から流入した空気の流れを調整する手段である請求項８ないし１０いずれか記載の移動体。
【請求項１２】
請求項８ないし１１いずれか記載の移動体であって、
前記移動体は車両であり、
前記放出口は、車両の前輪の後方に配置されてなる
移動体。
【請求項１３】
前記放出口は、運転席側に配置されてなる請求項８ないし１２いずれか記載の移動体。
【請求項１４】
発電に伴って水を生成する燃料電池を電力源として搭載し、懸架装置をもって本体を支持する移動体であって、
前記懸架装置のばね下部材に取り付けられた放出口を有し、該放出口から前記燃料電池により生成された生成水を外部に放出する放出手段
を備える移動体。
【請求項１５】
前記ばね下部材はサスペンションアームである請求項１４記載の移動体。
【請求項１６】
請求項１４または１５記載の移動体であって、
前記移動体は車両であり、
前記放出口は、車輪近傍に取り付けられてなる
移動体。
【請求項１７】
前記放出口は、後輪後方に取り付けられてなる請求項１６記載の移動体。
【請求項１８】
前記放出口における移動体の移動に伴う空気の流れを調整する空気流調整手段を備える請求項１４ないし１７いずれか記載の移動体。
【請求項１９】
前記空気流調整手段は、移動体の移動に伴う空気の流れを抑制する手段である請求項１８記載の移動体。
【請求項２０】
前記空気流調整手段は、移動体の移動に伴う空気の流れを鉛直下向きの成分を有する流れとする手段である請求項１８または１９記載の移動体。
【請求項２１】
発電に伴って水を生成する燃料電池を電力源として搭載する移動体であって、
前記燃料電池により生成された生成水を放出口から外部に放出する放出手段と、
前記放出口から放出された生成水が地面に至るまでの過程における少なくとも前記放出口近傍において該放出口から放出された生成水に対する移動体の移動に伴う空気の流れの影響を抑制する空気流影響抑制手段と、
を備える移動体。
【請求項２２】
前記空気流影響抑制手段は、前記放出口近傍に前記放出口から放出される生成水の放出方向に略一致する気体流を生成する手段である請求項２１記載の移動体。
【請求項２３】
前記空気流影響抑制手段は、前記放出口から放出される生成水に作用する移動体の移動に伴う空気の流れを略遮断するよう気体流を生成する手段である請求項２１記載の移動体。
【請求項２４】
前記空気流影響抑制手段は、移動体の移動方向における前記生成水の前方に前記気体流を生成する手段である請求項２２または２３記載の移動体。
【請求項２５】
前記空気流影響抑制手段は、移動体の移動方向における前記生成水の後方に前記気体流を生成する手段である請求項２２記載の移動体。
【請求項２６】
前記空気流影響抑制手段は、移動体の移動方向における前記生成水の側方内側に前記気体流を生成する手段である請求項２２記載の移動体。
【請求項２７】
前記空気流影響抑制手段は、移動体の移動方向における前記生成水の側方外側に前記気体流を生成する手段である請求項２２記載の移動体。
【請求項２８】
前記空気流影響抑制手段は、前記生成水の周囲に環状の前記気体流を生成する手段である請求項２２または２３記載の移動体。
【請求項２９】
前記空気流影響抑制手段は、前記生成水を取り囲むよう前記気体流を生成する手段である請求項２２または２３記載の移動体。
【請求項３０】
前記空気流影響抑制手段は、移動体からの排気により前記気体流を生成する手段である請求項２２ないし２９いずれか記載の移動体。
【請求項３１】
前記空気流影響抑制手段は、前記燃料電池からの排気により前記気体流を生成する手段である請求項３０記載の移動体。
【請求項３２】
前記空気流影響抑制手段は、前記気体流を生成するためのファンを備える手段である請求項３０記載の移動体。
【請求項３３】
前記ファンは、移動体に搭載された機器を冷却するために用いられる冷却用ファンである請求項３２記載の移動体。
【請求項３４】
前記ファンは、移動体の下部に鉛直下向きの成分を有する方向に向けて排気を送出するよう配置されてなる請求項３２または３３記載の移動体。
【請求項３５】
前記空気流影響抑制手段は、移動体の移動に伴う空気の流れを調整することにより前記気体流を生成する手段である請求項２２ないし２９いずれか記載の移動体。
【請求項３６】
発電に伴って水を生成する燃料電池を電力源として搭載する移動体であって、
前記燃料電池により生成された生成水を放出口から外部に放出する放出手段と、
前記放出口から放出された生成水および／または前記放出口から放出され地面に至った後の生成水が移動体の移動に伴う空気の流れに基づいて後方に飛散するのを抑制する後方飛散抑制手段と、
を備える移動体。
【請求項３７】
前記後方飛散抑制手段は、前記放出口の後方に該放出口から放出される生成水の放出方向に略一致する気体流を生成する手段である請求項３６記載の移動体。
【請求項３８】
前記後方飛散抑制手段は、前記放出口の後方に鉛直下向きの成分を有する気体流を生成する手段である請求項３６記載の移動体。
【請求項３９】
前記後方飛散抑制手段は、移動体の移動に伴う空気の流れを調整することにより前記気体流を生成する手段である請求項３７または３８記載の移動体。
【請求項４０】
前記空気流影響抑制手段は、移動体からの排気により前記気体流を生成する手段である請求項３７または３８記載の移動体。
【請求項４１】
前記空気流影響抑制手段は、前記燃料電池からの排気により前記気体流を生成する手段である請求項４０記載の移動体。
【請求項４２】
発電に伴って水を生成する燃料電池を電力源として搭載する移動体であって、
前記燃料電池により生成された生成水の少なくとも一部を水蒸気として含む排気の供給を受け、該供給された排気を遠心分離作用を用いて気液分離し、気体と液体とを略同一方向に向けて外部に放出する気液分離放出手段、
を備える移動体。
【請求項４３】
前記気液分離放出手段は、前記排気を螺旋回させて流すことにより気液を遠心分離する気液分離部と、該気液分離部からの気液を鉛直下向きの成分を有する方向に向けて放出する放出部と、を備える手段である請求項４２記載の移動体。
【請求項４４】
前記放出部は、前記気液分離部からの気液を略水平に移動させる状態から鉛直下方方向に湾曲させて放出する湾曲管により構成されてなる請求項４３記載の移動体。
【請求項４５】
発電に伴って水を生成する燃料電池を電力源として搭載する移動体であって、
前記燃料電池からの排ガスのガス流量に応じてガスの放出方向を鉛直下向きから水平方向に変更可能な放出機構を有し、前記燃料電池により生成された生成水を該燃料電池からの排ガスと共に該放出機構から外部に放出する放出手段
を備える移動体。
【請求項４６】
前記放出機構は、ガス流量の増加に伴ってガスの放出方向を水平方向に変更する機構である請求項４５記載の移動体。
【請求項４７】
前記放出機構は、ガス流量に応じてガスの放出方向を鉛直下向きから移動体の側方向への成分をもって水平方向に変更する機構である請求項４５または４６記載の移動体。
【請求項４８】
前記放出機構は、ガス流量に応じてガスの放出方向を鉛直下向きから移動体の後方向への成分をもって水平方向に変更する機構である請求項４５ないし４７いずれか記載の移動体。
【請求項４９】
前記放出機構は、移動体に略水平に固定された固定管端部の上部にヒンジをもって可動管を取り付けてなる機構である請求項４５ないし４８いずれか記載の移動体。
【請求項５０】
前記放出機構は、移動体に略水平に固定された固定管端部に屈曲自在な屈曲自在管を取り付けると共に該屈曲自在管内を流れるガスによる力をもって変形可能の弾性部材を用いてガス流量が小さいときに該屈曲自在管の端部が略鉛直下方を向くよう屈曲状態を調整してなる機構である請求項４５ないし４８いずれか記載の移動体。
【請求項５１】
発電に伴って水を生成する燃料電池を電力源として搭載する移動体であって、
前記燃料電池により生成された生成水を放出口から外部に放出する放出手段と、
該放出手段の放出口から放出される生成水の飛散を抑制する飛散抑制手段と、
を備える移動体。
【請求項５２】
前記飛散抑制手段は、前記生成水の落下に作用する方向の力を大きくする手段である請求項５１記載の移動体。
【請求項５３】
前記飛散抑制手段は、前記生成水の落下重量を大きくする手段である請求項５２記載の移動体。
【請求項５４】
前記飛散抑制手段は、前記生成水を収集して前記放出手段に導く手段である請求項５３記載の移動体。
【請求項５５】
前記飛散抑制手段は、前記生成水の少なくとも一部を水蒸気として含む前記燃料電池からの排気を気液分離することにより生成水を収集する手段である請求項５４記載の移動体。
【請求項５６】
前記飛散抑制手段は、移動体の移動に伴う空気の流れを用いて前記生成水の落下を促進する手段である請求項５２記載の移動体。
【請求項５７】
前記飛散抑制手段は、前記生成水に対する移動体の移動に伴う空気の流れを鉛直下方の成分を有する流れとすることにより該生成水の落下を促進する手段である請求項５６記載の移動体。
【請求項５８】
前記飛散抑制手段は、移動体から放出されるガスを用いて前記生成水の落下を促進する手段である請求項５２記載の移動体。
【請求項５９】
前記飛散抑制手段は、前記生成水に対して前記移動体から放出されるガスを鉛直下方の成分を有する流れとして放出することにより該生成水の落下を促進する手段である請求項５８記載の移動体。
【請求項６０】
前記飛散抑制手段は、前記生成水の飛散に作用する方向の力を小さくする手段である請求項５１記載の移動体。
【請求項６１】
前記飛散抑制手段は、前記生成水に作用する移動体の移動に伴う空気の流れの影響を小さくする手段である請求項６０記載の移動体。
【請求項６２】
前記飛散抑制手段は、前記生成水に対する移動体の移動に伴う空気の流れを調整することにより前記生成水に作用する移動体の移動に伴う空気の流れの影響を小さくする手段である請求項６１記載の移動体。
【請求項６３】
前記飛散抑制手段は、前記生成水に対する移動体の移動に伴う空気の流れを抑制する手段である請求項６２記載の移動体。
【請求項６４】
前記飛散抑制手段は、前記生成水に対する移動体の移動に伴う空気の流れを遮断する手段である請求項６２記載の移動体。
【請求項６５】
前記飛散抑制手段は、前記生成水に対する移動体の移動に伴う空気の流れを鉛直下向きの成分を有する流れとする手段である請求項６２記載の移動体。
【請求項６６】
前記飛散抑制手段は、移動体から放出されるガスを用いて前記生成水の飛散に作用する方向の力を小さくする手段である請求項６１記載の移動体。
【請求項６７】
前記飛散抑制手段は、移動体から放出されるガスにより前記生成水に対する移動体の移動に伴う空気の流れを抑制する手段である請求項６６記載の移動体。
【請求項６８】
前記飛散抑制手段は、移動体から放出されるガスにより前記生成水に対する移動体の移動に伴う空気の流れを遮断する手段である請求項６６記載の移動体。
【請求項６９】
前記飛散抑制手段は、前記生成水の運動を規制する手段である請求項５１記載の移動体。
【請求項７０】
前記飛散抑制手段は、移動体から放出されるガスを用いて前記生成水の運動を規制する手段である請求項６９記載の移動体。
【請求項７１】
前記飛散抑制手段は、移動体の移動に伴う空気の流れを用いて前記生成水の運動を規制する手段である請求項７０記載の移動体。
【請求項７２】
移動体であって、
水素と酸素の電気化学反応により発電する燃料電池と、
前記燃料電池からの排気を移動体外に排出するための排気系と、
前記排気に含まれる生成水の移動体外への排出を所定速以上の時に抑制する排水抑制機構と、
を備える移動体。
【請求項７３】
前記排水抑制機構は、前記所定速以上で開度が低減する弁機構である請求項７２記載の移動体。
【請求項７４】
前記排水抑制機構は、前記移動体の移動に伴うラム圧が前記生成水の排出を抑制する方向に作用する位置および向きに開口する排水口である請求項７２記載の移動体。
【請求項７５】
請求項７２ないし７４いずれか記載の移動体であって、
前記排気系は、前記排気から前記生成水を分離するための気液分離機構を有し、
前記排水抑制機構は、該気液分離機構からの排水系に設けられた
移動体。
【請求項７６】
請求項７５記載の移動体であって、
前記気液分離機構は、前記生成水を一時的に貯留する貯留部を有し、
前記排水系は、前記貯留部において該移動体の前方に開口するよう設けられている
移動体。
【請求項７７】
移動体であって、
水素と酸素の電気化学反応により発電する燃料電池と、
前記燃料電池からの排気を移動体外に排出するための排気系と、
前記排気に含まれる生成水を一時的に貯留する貯留部と、
前記貯留部から前記生成水を排出するため前記移動体の前方側に設けられた排水口と、
を備える移動体。
【請求項７８】
前記排水口は、前記移動体の移動に伴うラム圧が前記生成水の排出を抑制する方向に作用する位置および向きに開口する請求項７７記載の移動体。
【請求項７９】
前記排水口には、所定速以上で開度が低減する弁機構が設けられている請求項７７記載の移動体。
【請求項８０】
請求項７７ないし７９いずれか記載の移動体であって、
前記排気系は、前記排気から前記生成水を分離するための気液分離機構を有し、
前記貯留部は、該気液分離機構からの排水系に設けられた
移動体。
【請求項８１】
前記移動体は車両である請求項７２ないし８０いずれか記載の移動体。
【発明の詳細な説明】
【技術分野】
【０００１】
本発明は、移動体に関し、詳しくは、発電に伴って水を生成する燃料電池を電力源として搭載する移動体に関する。
【背景技術】
【０００２】
従来、この種の移動体としては、燃料電池により生成される生成水を車両の側方に放出する自動二輪車が提案されている（例えば、特許文献１参照）。この自動二輪車では、燃料電池の生成水を側方に排出することにより、生成水がタイヤにかかることに基づく不都合、例えばスリップを防止している。
【０００３】
また、燃料電池からの排気時に、残留水素の濃度を低減するために、排気管の出口近傍に、排気の拡散を促進するための邪魔板を設ける技術も提案されている（例えば、特許文献２参照）。生成水の排出には、排気管から排気とともに排出する方法や、気液分離器によって分離された後、車両下面から排出する方法などが採られている。
【先行技術文献】
【特許文献】
【０００４】
【特許文献１】特開２００１−３１３０５６号公報（図２，第３頁，第４頁）
【特許文献１】特開２００２−２８９２３７号公報
【発明の概要】
【発明が解決しようとする課題】
【０００５】
上述したように、燃料電池を搭載する車両では、走行中でも燃料電池により生成される生成水を車外に排出する必要がある。このとき、スリップを回避するためにタイヤにかからないように生成水を排出しても、排出した生成水が走行風によって巻き上げられ、後方や側方などで走行する車両のフロントガラスに飛散するなどの不都合が生じる場合がある。また、側方に排出する場合には、路肩の人や建造物に水がかかる場合も生じる。
【０００６】
本発明の移動体は、燃料電池からの生成水を放出する際に生成水が飛散するのを抑制することを目的の一つのとする。本発明の移動体は、燃料電池からの生成水を放出する際に生成水が人や建造物にかかるのを抑止することを目的の一つのとする。本発明の移動体は、燃料電池からの生成水を放出する際に放出した生成水の後方や側方への影響を抑制することを目的の一つのとする。
【課題を解決するための手段】
【０００７】
本発明の移動体は、上述の目的の少なくとも一部を達成するために以下の手段を採った。
【０００８】
本発明の第１の移動体は、
発電に伴って水を生成する燃料電池を電力源として搭載する移動体であって、
前記燃料電池により生成された生成水を前記移動体の前部に配置された放出口から外部に放出する放出手段
を備えることを要旨とする。
【０００９】
この本発明の第１の移動体では、燃料電池により生成された生成水を移動体の前部に配置された放出口から外部に放出するから、移動体の移動に伴う空気の流れの影響により放出した生成水が飛散したとしても後方や側方への影響を小さくすることができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００１０】
こうした本発明の第１の移動体において、前記移動体は車両であり、前記放出口は車両前部のバンパー部またはフェンダ部に配置されてなるものとすることもできる。こうすれば、バンパー部やフェンダー部から生成水を排出することができる。
【００１１】
この放出口が車両前部のバンパー部またはフェンダ部に配置されてなる態様の本発明の第１の移動体において、前記放出口は、前記車両の前輪より前方に配置されてなるものとすることもできる。車輪近傍は車両の走行に伴う走行風の影響が小さいから、生成水の飛散を抑制することができる。
【００１２】
また、放出口が車両前部のバンパー部またはフェンダ部に配置されてなる態様の本発明の第１の移動体において、車両前部に前記燃料電池から前記生成水を外部へ放出するための経路に設けられて該生成水を貯留可能な貯留手段を備えるものとすることもできる。こうすれば、生成水を貯留することができるから、車両が停止している際に放出したり、均等化して放出することができる。この結果、生成水を貯留することができないものに比して生成水の飛散や後方や側方への影響を抑制することができる。この態様の本発明の第１の移動体において、前記貯留手段は、前記車両のバンパーの内側に配置されてなるものとすることもできる。こうすれば、バンパー内側のスペースを有効利用することができる。また、前記貯留手段は、前記放出口の前方に配置されてなるものとすることもできる。こうすれば、貯留手段から放出口までの配管に必要なスペースを小さくすることができる。
【００１３】
本発明の第２の移動体は、
発電に伴って水を生成する燃料電池を電力源として搭載する移動体であって、
前記燃料電池により生成された生成水を放出口から外部に放出する放出手段と、
該放出手段の放出口近傍における移動体の移動に伴う空気の流れを調整する空気流調整手段と、
を備えることを要旨とする。
【００１４】
この本発明の第２の移動体では、燃料電池により生成された生成水を放出する放出口近傍における移動体の移動に伴う空気の流れを調整するから、生成水の飛散を抑制することができる。この結果、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００１５】
こうした本発明の第２の移動体において、前記放出口は前記生成水を移動体の下側部から略鉛直下方に向けて放出するよう配置されてなり、前記空気流調整手段は空気を移動体の側後方に流す手段であるものとすることもできる。この場合、移動体が移動していないときには、生成水は移動体の鉛直方向のシルエットの範囲内の側部から放出されるから、移動体が移動していないときに生成水が移動体の側方に位置する人や建造物にかかるのを抑止することができる。また、移動体が移動しているときには、生成水は空気の流れにより移動体の側後方に放出されるから、移動体の移動に伴う空気の流れにより生成水が飛散するのを抑制することができる。この結果、生成水の後続への影響を抑制することができる。なお、側後方に放出される生成水の側方向の距離は生成水の流量と移動体の移動速度とにより異なるものとなるが、移動体を移動させているときに通常近寄らない程度の範囲、例えば１０〜１００ｃｍ好ましくは３０〜７０ｃｍとなるよう生成水の側後方への放出角度が調節されるのが好ましい。こうすれば、移動体が移動しているときに放出される生成水が移動体側方に位置する人や建造物に生成水がかかるのを抑止することができる。ここで、「側後方」とは、側方および後方を含む他、側方から後方までの全ての方向を含む概念、即ち移動体の側方から後方に向けてその角度が側方から０〜９０度の角度をもった後方の全ての方向を含む概念である。以下、単に「側後方」と言う場合も同様である。なお、空気流調整手段は、空気を移動体の側方に対して１５〜７５度の範囲内の角度をもって後方に流す手段であるものとすることもできる。
【００１６】
また、放出口の空気を移動体の側後方に流す態様の本発明の第２の移動体において、前記空気流調整手段は、空気を鉛直下方の流れ成分をもって流す手段であるものとすることもできる。こうすれば、生成水の地面への落下を促進することができるから、生成水の後方への飛散をより効果的に抑止することができる。
【００１７】
さらに、放出口の空気を移動体の側後方に流す態様の本発明の第２の移動体において、前記空気調整手段は、移動体前部から流入した空気の流れを調整する手段であるものとすることもできる。こうすれば、移動体前部から流入した空気の流れを利用することができる。
【００１８】
あるいは、放出口の空気を移動体の側後方に流す態様の本発明の第２の移動体において、前記移動体は車両であり、前記放出口は車両の前輪の後方に配置されてなるものとすることもできる。こうすれば、車輪近傍は車両の走行に伴って生じる走行風の影響が小さいから、放出口から放出される生成水に対する走行風の影響を小さくして生成水が後方や側方に飛散するのを抑止することができる。
【００１９】
また、放出口の空気を移動体の側後方に流す態様の本発明の第２の移動体において、前記放出口は、運転席側に配置されてなるものとすることもできる。通常、運転席側は対向車側に一致するから、側後方に放出された生成水が路肩を歩行している人などにかかるのを抑止することができる。
【００２０】
本発明の第３の移動体は、
発電に伴って水を生成する燃料電池を電力源として搭載し、懸架装置をもって本体を支持する移動体であって、
前記懸架装置のばね下部材に取り付けられた放出口を有し、該放出口から前記燃料電池により生成された生成水を外部に放出する放出手段
を備えることを要旨とする。
【００２１】
この本発明の第３の移動体では、懸架装置のばね下部材に取り付けられた放出口から燃料電池により生成された生成水を外部に放出する。即ち、地面に近い位置から生成水を放出するから、生成水の地面への落下時間を短くして、移動体の移動に伴う空気の流れによる生成水の飛散を抑制することができる。この結果、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。なお、懸架装置のばね下部材はサスペンションアームであるものとすることもできる。
【００２２】
こうした本発明の第３の移動体において、前記移動体は車両であり、前記放出口は車輪近傍に取り付けられてなるものとすることもできる。車輪近傍は車両の走行に伴って生じる走行風の影響が小さいから、放出口から放出される生成水に対する走行風の影響を小さくして生成水が後方や側方に飛散するのを抑止することができる。ここで、放出口は後輪後方に取り付けられてなるものとすることもできる。
【００２３】
また、本発明の第３の移動体において、前記放出口における移動体の移動に伴う空気の流れを調整する空気流調整手段を備えるものとすることもできる。こうすれば、生成水に対する移動体の移動に伴う空気の流れの影響を調整することができる。ここで、前記空気流調整手段は、移動体の移動に伴う空気の流れを抑制する手段であるものとすることもできるし、移動体の移動に伴う空気の流れを鉛直下向きの成分を有する流れとする手段であるものとすることもできる。前者では生成水に対する移動体の移動に伴う空気の流れの影響を小さくすることができ、後者では生成水の地面への落下を促進することができるから、生成水の後方や側方への飛散をより効果的に抑制することができる。
【００２４】
本発明の第４の移動体は、
発電に伴って水を生成する燃料電池を電力源として搭載する移動体であって、
前記燃料電池により生成された生成水を放出口から外部に放出する放出手段と、
前記放出口から放出された生成水が地面に至るまでの過程における少なくとも前記放出口近傍において該放出口から放出された生成水に対する移動体の移動に伴う空気の流れの影響を抑制する空気流影響抑制手段と、
を備えることを要旨とする。
【００２５】
この本発明の第４の移動体では、放出口から放出された生成水が地面に至るまでの過程における少なくとも放出口近傍において放出口から放出された生成水に対する移動体の移動に伴う空気の流れの影響を抑制するから、移動体の移動に伴う空気の流れによる生成水の飛散を抑制することができる。この結果、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００２６】
こうした本発明の第４の移動体において、前記空気流影響抑制手段は、前記放出口近傍に前記放出口から放出される生成水の放出方向に略一致する気体流を生成する手段であるものとすることもできる。こうすれば、気体流が生成水に対する移動体の移動に伴う空気の流れを遮ろうとするから、生成水に対する移動体の移動に伴う空気の流れの影響を抑制することができる。
【００２７】
また、本発明の第４の移動体において、前記空気流影響抑制手段は、前記放出口から放出される生成水に作用する移動体の移動に伴う空気の流れを略遮断するよう気体流を生成する手段であるものとすることもできる。こうすれば、気体流が生成水に作用する移動体の移動に伴う空気の流れ遮断するから、生成水に対する移動体の移動に伴う空気の流れの影響を抑制することができる。
【００２８】
これら気体流により生成水に対する移動体の移動に伴う空気の流れの影響を抑制する態様の本発明の第４の移動体において、前記空気流影響抑制手段は、移動体の移動方向における前記生成水の前方に前記気体流を生成する手段であるものとすることもできる。こうすれば、生成水に対する前方からの空気の流れの影響を抑制することができる。
【００２９】
また、空気流影響抑制手段が生成水の放出方向に略一致する気体流を生成する態様の本発明の第４の移動体において、前記空気流影響抑制手段は、移動体の移動方向における前記生成水の後方に前記気体流を生成する手段であるものとすることもできる。こうすれば、生成水の後方に生成された気体流により生成水に対する空気の流れの影響を抑制することができる。
【００３０】
さらに、空気流影響抑制手段が生成水の放出方向に略一致する気体流を生成する態様の本発明の第４の移動体において、前記空気流影響抑制手段は、移動体の移動方向における前記生成水の側方内側に前記気体流を生成する手段であるものとすることもできるし、移動体の移動方向における前記生成水の側方外側に前記気体流を生成する手段であるものとすることもできる。こうすれば、生成水の側方に生成された気体流により、生成水に対する空気の流れの影響を抑制することができる。
【００３１】
また、気体流により生成水に対する移動体の移動に伴う空気の流れの影響を抑制する態様の本発明の第４の移動体において、前記空気流影響抑制手段は、前記生成水の周囲に環状の前記気体流を生成する手段であるものとすることもできるし、前記生成水を取り囲むよう前記気体流を生成する手段であるものとすることもできる。こうすれば、生成水の周囲に環状に生成された気体流や生成水を取り囲むように生成した気体流により、生成水に対する空気の流れの影響を抑制することができる。
【００３２】
気体流により生成水に対する移動体の移動に伴う空気の流れの影響を抑制する態様の本発明の第４の移動体において、前記空気流影響抑制手段は、移動体からの排気により前記気体流を生成する手段であるものとすることもできる。この場合、前記空気流影響抑制手段は前記燃料電池からの排気により前記気体流を生成する手段であるものとすることもできる。こうすれば、燃料電池からの排気を有効に用いることができる。また、前記空気流影響抑制手段は、前記気体流を生成するためのファンを備える手段であるものとすることもできる。この場合、ファンは、移動体に搭載された機器を冷却するために用いられる冷却用ファンであるものとすることもできる。こうすれば、移動体に搭載された機器を冷却するために用いられる冷却用ファンからの排気を有効に用いることができる。この場合、ファンは、移動体の下部に鉛直下向きの成分を有する方向に向けて排気を送出するよう配置されてなるものとすることもできる。
【００３３】
気体流により生成水に対する移動体の移動に伴う空気の流れの影響を抑制する態様の本発明の第４の移動体において、前記空気流影響抑制手段は、移動体の移動に伴う空気の流れを調整することにより前記気体流を生成する手段であるものとすることもできる。こうすれば、移動体の移動に伴う空気の流れを有効に用いることができる。
【００３４】
本発明の第５の移動体は、
発電に伴って水を生成する燃料電池を電力源として搭載する移動体であって、
前記燃料電池により生成された生成水を放出口から外部に放出する放出手段と、
前記放出口から放出された生成水および／または前記放出口から放出され地面に至った後の生成水が移動体の移動に伴う空気の流れに基づいて後方に飛散するのを抑制する後方飛散抑制手段と、
を備えることを要旨とする。
【００３５】
この本発明の第５の移動体では、放出口から放出された生成水や放出口から放出されて地面に至った後の生成水が移動体の移動に伴う空気の流れに基づいて後方に飛散するのを抑制するから、生成水の放出による後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００３６】
こうした本発明の第５の移動体において、前記後方飛散抑制手段は、前記放出口の後方に該放出口から放出される生成水の放出方向に略一致する気体流を生成する手段であるものとすることもできる。こうすれば、気体流が放出口から放出された生成水や地面に至った後の生成水に対する移動体の移動に伴う空気の流れの影響を抑制することができる。
【００３７】
また、本発明の第５の移動体において、前記後方飛散抑制手段は、前記放出口の後方に鉛直下向きの成分を有する気体流を生成する手段であるものとすることもできる。こうすれば、気体流により放出口から放出された生成水や地面に至った後の生成水が後方に飛散しようとするのを抑制することができる。
【００３８】
これら気体流により放出口から放出された生成水や地面に至った後の生成水が後方に飛散するのを抑制する態様の本発明の第５の移動体において、前記後方飛散抑制手段は、移動体の移動に伴う空気の流れを調整することにより前記気体流を生成する手段であるものとすることもできる。こうすれば、移動体の移動に伴う空気の流れを有効に用いることができる。
【００３９】
また、気体流により放出口から放出された生成水や地面に至った後の生成水が後方に飛散するのを抑制する態様の本発明第５の移動体において、前記空気流影響抑制手段は、移動体からの排気により前記気体流を生成する手段であるものとすることもできる。この場合、前記空気流影響抑制手段は、前記燃料電池からの排気により前記気体流を生成する手段であるものとすることもできる。こうすれば、燃料電池からの排気を有効に用いることができる。
【００４０】
本発明の第６の移動体は、
発電に伴って水を生成する燃料電池を電力源として搭載する移動体であって、
前記燃料電池により生成された生成水の少なくとも一部を水蒸気として含む排気の供給を受け、該供給された排気を遠心分離作用を用いて気液分離し、気体と液体とを略同一方向に向けて外部に放出する気液分離放出手段、
を備えることを要旨とする。
【００４１】
この本発明の第６の移動体では、燃料電池により生成された生成水の少なくとも一部を水蒸気として含む排気の供給を受け、この供給された排気を遠心分離作用を用いて気液分離し、分離した気体と液体とを略同一方向に向けて外部に放出する。液体と略同一方向に向けて放出される気体は、液体に対する移動体の移動に伴う空気の流れの影響を抑制する気体流として作用するから、液体、即ち生成水が後方や側方に飛散するのを抑制することができる。この結果、生成水の後方や側方への影響を抑制することができる。ここで、気液分離により分離された気体は、完全に乾燥した気体だけを意味するのではなく、不完全飽和或いは完全飽和若しくは過飽和の水蒸気を含む気体や水蒸気に加えて微小な液滴としての水を含む気体をも意味する。また、移動体としては、自動車や列車などの車両を含む地上移動体が含まれる。さらに、移動体は、燃料電池に加えて燃流電池以外の電力源、例えば二次電池やキャパシタなどを搭載するものとしてもよい。
【００４２】
こうした本発明の第６の移動体において、前記気液分離放出手段は、前記排気を螺旋回させて流すことにより気液を遠心分離する気液分離部と、該気液分離部からの気液を鉛直下向きの成分を有する方向に向けて放出する放出部と、を備える手段であるものとすることもできる。ここで、「螺旋回」とは螺旋状に旋回する意である。気液分離部では螺旋回して排気を流すことにより生成水を自重に対する遠心力を用いて内壁面に集め、放出部では内壁面に集められた生成水をガス流速によって後方側に集めて鉛直下向きの成分を有する方向に向けて放出する。したがって、気液分離により分離された気体は、生成水の前方の気体流として放出されることになる。この気体流は生成水に対する移動体の移動に伴う空気の流れの影響を抑制するから、生成水が後方や側方に飛散するのを抑制することができる。ここで、前記放出部は、前記気液分離部からの気液を略水平に移動させる状態から鉛直下方方向に湾曲させて放出する湾曲管により構成されてなるものとすることもできる。
【００４３】
本発明の第７の移動体は、
発電に伴って水を生成する燃料電池を電力源として搭載する移動体であって、
ガス流量に応じてガスの放出方向を鉛直下向きから水平方向に変更可能な放出機構を有し、前記燃料電池により生成された生成水を該燃料電池からの排ガスと共に該放出機構から外部に放出する放出手段
を備えることを要旨とする。
【００４４】
この本発明の第７の移動体では、ガス流量に応じてガスの放出方向を鉛直下向きから水平方向に変更可能な放出機構から、燃料電池により生成された生成水を該燃料電池からの排ガスと共に外部に放出する。従って、生成水と共に放出される排ガスの流量に応じて放出される方向を変更することができる。放出機構をガス流量の増加に伴ってガスの放出方向を水平方向に変更するものとすれば、排ガスの流量は燃料電池の負荷に応じて大きくなることや燃料電池の負荷は移動体の移動速度や移動加速度に応じて大きくなることを考慮すれば、移動体の移動速度が小さいときや移動加速度が小さいときには生成水と排ガスは鉛直下向きに放出され、移動体の移動速度が大きいときや移動加速度が大きいときには生成水と排ガスは鉛直下向きから水平方向の成分をもって放出されることになる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００４５】
こうした本発明の第７の移動体において、前記放出機構は、ガス流量に応じてガスの放出方向を鉛直下向きから移動体の側方向への成分をもって水平方向に変更する機構であるものとすることもできる。こうすれば、移動体の移動速度が大きいときや移動加速度が大きいときには生成水と排ガスとを移動体の側方向の成分をもって放出することができる。この結果、移動体の移動に伴う空気の流れにより生成水が飛散して巻き上げられるのを抑制することができる。
【００４６】
また、本発明の第７の移動体において、前記放出機構は、ガス流量に応じてガスの放出方向を鉛直下向きから移動体の後方向への成分をもって水平方向に変更する機構であるものとすることもできる。こうすれば、移動体の移動速度が大きいときや移動加速度が大きいときには生成水と排ガスとを移動体の後方向の成分をもって放出することができる。生成水に後方向の成分をもたせることにより、放出された生成水の地面に対する相対速度を小さくし、地面に到達したときの飛び散りを抑制することができる。この結果、地面に到達したときに飛び散った水が移動体の移動に伴う空気の流れに巻き上げられて飛散するのを抑制することができる。
【００４７】
本発明の第７の移動体において、前記放出機構は、移動体に略水平に固定された固定管端部の上部にヒンジをもって可動管を取り付けてなる機構であるものとすることもできるし、移動体に略水平に固定された固定管端部に屈曲自在な屈曲自在管を取り付けると共に該屈曲自在管内を流れるガスによる力をもって変形可能の弾性部材を用いてガス流量が小さいときに該屈曲自在管の端部が略鉛直下方を向くよう屈曲状態を調整してなる機構であるものとすることもできる。
【００４８】
本発明の第８の移動体において、
発電に伴って水を生成する燃料電池を電力源として搭載する移動体であって、
前記燃料電池により生成された生成水を放出口から外部に放出する放出手段と、
該放出手段の放出口から放出される生成水の飛散を抑制する飛散抑制手段と、
を備えることを要旨とする。
【００４９】
この本発明の第８の移動体では、燃料電池により生成され放出口から放出される生成水の飛散を抑制するから、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００５０】
こうした本発明の第８の移動体において、前記飛散抑制手段は、前記生成水の落下に作用する方向の力を大きくする手段であるものとすることもできる。生成水の落下に作用する力を大きくして生成水を迅速に地面に落下させることにより、地面に落下するまでに生成水が移動体の移動に伴う空気の流れにより巻き上げられて飛散するのを抑制するのである。
【００５１】
この飛散抑制手段が生成水の落下に作用する方向の力を大きくする態様の本発明の第８の移動体において、前記飛散抑制手段は、前記生成水の落下重量を大きくする手段であるものとすることもできる。ここで、「生成水の落下重量を大きくする」とは、生成水が水滴として落下するときには大きな水滴とすることを意味し、生成水が連続して落下するときにはその断面積を大きくすることを意味する。この場合、前記飛散抑制手段は、前記生成水を収集して前記放出手段に導く手段であるものとすることもできるし、更に、前記生成水の少なくとも一部を水蒸気として含む前記燃料電池からの排気を気液分離することにより生成水を収集する手段であるものとすることもできる。
【００５２】
また、飛散抑制手段が生成水の落下に作用する方向の力を大きくする態様の本発明の第８の移動体において、前記飛散抑制手段は、移動体の移動に伴う空気の流れを用いて前記生成水の落下を促進する手段であるものとすることもできる。こうすれば、移動体の移動に伴う空気の流れを有効に用いて生成水が飛散するのを抑制することができる。この態様の本発明の第８の移動体において、前記飛散抑制手段は、前記生成水に対する移動体の移動に伴う空気の流れを鉛直下方の成分を有する流れとすることにより該生成水の落下を促進する手段であるものとすることもできる。こうすれば、移動体の移動に伴う空気の流れを有効に用いて生成水の飛散を抑制することができる。
【００５３】
さらに、飛散抑制手段が生成水の落下に作用する方向の力を大きくする態様の本発明の第８の移動体において、前記飛散抑制手段は、移動体から放出されるガスを用いて前記生成水の落下を促進する手段であるものとすることもできる。こうすれば、移動体から放出されるガスを有効に用いて生成水の飛散を抑制することができる。この場合、前記飛散抑制手段は、前記生成水に対して前記移動体から放出されるガスを鉛直下方の成分を有する流れとして放出することにより該生成水の落下を促進する手段であるものとすることもできる。
【００５４】
また、本発明の第８の移動体において、前記飛散抑制手段は、前記生成水の飛散に作用する方向の力を小さくする手段であるものとすることもできる。生成水の飛散に作用する方向の力を小さくすることにより、生成水の飛散を抑制することができる。
【００５５】
この飛散抑制手段が生成水の飛散に作用する方向の力を小さくする態様の本発明の第８の移動体において、前記飛散抑制手段は、前記生成水に作用する移動体の移動に伴う空気の流れの影響を小さくする手段であるものとすることもできる。こうすれば、移動体の移動に伴う空気の流れによって生成水が飛散するのを抑制することができる。
【００５６】
この生成水に作用する移動体の移動に伴う空気の流れの影響を小さくする態様の本発明の第８の移動体において、前記飛散抑制手段は、前記生成水に対する移動体の移動に伴う空気の流れを調整することにより前記生成水に作用する移動体の移動に伴う空気の流れの影響を小さくする手段であるものとすることもできる。この場合、前記飛散抑制手段は、前記生成水に対する移動体の移動に伴う空気の流れを抑制する手段であるものとすることもできるし、前記生成水に対する移動体の移動に伴う空気の流れを遮断する手段であるものとすることもできるし、前記生成水に対する移動体の移動に伴う空気の流れを鉛直下向きの成分を有する流れとする手段であるものとすることもできる。
【００５７】
また、生成水に作用する移動体の移動に伴う空気の流れの影響を小さくする態様の本発明の第８の移動体において、前記飛散抑制手段は、移動体から放出されるガスを用いて前記生成水の飛散に作用する方向の力を小さくする手段であるものとすることもできる。こうすれば、移動体から放出されるガスを有効に用いて生成水が飛散するのを抑制することができる。この場合、前記飛散抑制手段は、移動体から放出されるガスにより前記生成水に対する移動体の移動に伴う空気の流れを抑制する手段であるものとすることもできるし、移動体から放出されるガスにより前記生成水に対する移動体の移動に伴う空気の流れを遮断する手段であるものとすることもできる。
【００５８】
本発明の第８の移動体において、前記飛散抑制手段は、前記生成水の運動を規制する手段であるものとすることもできる。生成水の運動を規制することにより、生成水が飛散するのを抑制するのである。この態様の本発明の移動体において、前記飛散抑制手段は、移動体から放出されるガスを用いて前記生成水の運動を規制する手段であるものとすることもできるし、移動体の移動に伴う空気の流れを用いて前記生成水の運動を規制する手段であるものとすることもできる。
【００５９】
本発明の第９の移動体は、
水素と酸素の電気化学反応により発電する燃料電池と、
前記燃料電池からの排気を移動体外に排出するための排気系と、
前記排気に含まれる生成水の移動体外への排出を所定速以上の時に抑制する排水抑制機構と、
を備えることを要旨とする。
【００６０】
この本発明の第９の移動体では、生成水の飛散は移動体外の気流の影響を受けるため、排気に含まれる生成水の移動体外への排出を所定速以上の時に抑制することにより、生成水の飛散を抑制することができる。ここで、移動体としては主に車両を考えることができる。
【００６１】
こうした本発明の第９の移動体において、排水抑制機構は、種々の構成を採ることができる。第１の態様として、排水抑制機構は、所定速以上で開度が低減する弁機構としてもよい。この弁機構は、電磁弁と、移動体速に応じてその開度を制御する制御装置とを用いて構成してもよい。また、外部からの圧力に応じて開閉動作するリード弁を用いてもよい。高速移動時には、気流をせき止めた時の圧力、即ちラム圧が速度に応じて高くなる。従って、ラム圧に応じて開閉するリード弁を用いれば、上述の弁機構を比較的容易に実現することができる。
【００６２】
排水抑制機構は、第２の態様として、移動体の移動に伴うラム圧が生成水の排出を抑制する方向に作用する位置および向きに開口する排水口としてもよい。例えば、排水口を移動体の外部に前方に向けて設ける構造を採ることができる。
【００６３】
上述の排水抑制機構は、例えば、排気管に直接設けてもよい。また、排気から生成水を分離するための気液分離機構を設け、その気液分離機構からの排水系に設けてもよい。気液分離機構を用いる場合には、排気中の生成水を分離した上で、効率的に排出することができる利点がある。
【００６４】
気液分離機構を適用する場合には、分離された生成水を一時的に貯留する貯留部を有することが好ましい。こうすることにより、高速移動時に、生成水の分離機能に支障なく生成水の排出を抑制することができる。この場合、排水系は、貯留部において移動体の前方に開口するよう設けられていることが好ましい。移動体の加速時には、慣性力の作用により、生成水は貯留部後方に押しやられるため、排水、ひいては生成水の飛散が抑制される。減速時には、生成水が前方に流れてくるため、排水が促進される。このように貯留部からの排水用の開口を移動体前方に向けておくことにより、簡易な構造で、高速移動に向けての加速中の排水を抑制し、減速時の排水を促進することができる。
【００６５】
本発明の第１０の移動体は、
移動体であって、
水素と酸素の電気化学反応により発電する燃料電池と、
前記燃料電池からの排気を移動体外に排出するための排気系と、
前記排気に含まれる生成水を一時的に貯留する貯留部と、
前記貯留部から前記生成水を排出するため前記移動体の前方側に設けられた排水口と、
を備えることを要旨とする。
【００６６】
この本発明の第１０の移動体では、排気系に貯留部を備えると共に貯留部から生成水を排出するための排水口を車両の前方側に設ける。この本発明の第１０の移動体では、高速移動時に排水を抑制する作用を十分に奏しない構成も含まれる。先に説明した通り、前方に開口部を設けることにより、加速時の排水が抑制され、減速時の排水が促進される。移動中の移動体は、一定速度で走行し続けることはあまり多くなく、加減速が行われることが多い。従って、減速時に生成水を十分に排出すると共に加速時の排出を抑制することにより、移動中における生成水の飛散を後続の移動体の移動に支障を与えない程度には抑制することができる。ここで、移動体としては主に車両を考えることができる。
【００６７】
こうした本発明の第１０の移動体において、貯留部および排水口を移動体内部に設け、排水管で移動体外に生成水を排出する構造としてもよい。また、排水口は、移動体の移動中に伴うラム圧が生成水の排出を抑制する方向に作用する位置および向きに開口させてもよい。後者の態様では、貯留部を移動体外に設けることにより排水口にラム圧が作用するようにしてもよいし、貯留部を移動体内に設けた上で排水口を移動体外に設けてもよい。このように排水口にラム圧を作用させることによって、高速移動時の排水を抑制し、生成水の飛散を抑制することができる。
【００６８】
また、本発明の第１０の移動体において、排水口には、所定速以上で開度が低減する弁機構を設けてもよい。こうすることで、高速移動時における排水を抑制することができる。かかる弁機構としては、先に本発明の第９の移動体で説明した構成、即ち、電磁弁と制御装置の組み合わせ、リード弁などを適用することができる。
【００６９】
さらに、本発明の第１０の移動体において、効率的な排水を行う上で、排気から生成水を分離するための気液分離機構を設けることが好ましい。この場合、貯留部は、気液分離機構の排水系に設けることができる。
【図面の簡単な説明】
【００７０】
【図１】第１実施例の燃料電池車１０に搭載された機器の平面配置の一例を示す平面配置図である。
【図２】第１実施例の燃料電池車１０に搭載された機器の側面配置の一例を示す側面配置図である。
【図３】第１実施例の燃料電池車１０に搭載された燃料電池スタック２２を中心とする燃料電池システム２０の構成の概略を示すシステム構成図である。
【図４】第２実施例の燃料電池車１１０における放出口１６４および導風路１８０の配置を例示する平面配置図である。
【図５】第２実施例の燃料電池車１１０に搭載された機器の側面配置の一例を示す側面配置図である。
【図６】第２実施例の変形例の燃料電池車１１０Ｂにおける放出口１６４とダクト１８０Ｂの配置を例示する平面配置図である。
【図７】第２実施例の変形例の燃料電池車１１０Ｂにおける放出口１６４とダクト８０Ｂの配置を例示する側面配置図である。
【図８】第３実施例の燃料電池車２１０における放出口２６４の取り付け位置を説明する説明図である。
【図９】図８におけるＡ−Ａ断面を拡大して例示する拡大断面図である。
【図１０】図８におけるＢ−Ｂ断面を拡大して表示する拡大断面図である。
【図１１】第４実施例の燃料電池車３１０に搭載された機器の平面配置の一例を示す平面配置図である。
【図１２】第４実施例の燃料電池車３１０における排気管３４７と気液分離器３４８の配置の一例を示す側面配置図である。
【図１３】第４実施例の燃料電池車３１０に搭載された燃料電池スタック２２を中心とする燃料電池システム３２０の構成の概略を示すシステム構成図である。
【図１４】第４実施例の燃料電池車３１０の空気給排系４０における放出系の構成の一例を示す構成図である。
【図１５】放出された水と排ガスと走行風との関係を説明する説明図である。
【図１６】第４実施例における空気給排系４０の放出系の変形例の構成の概略を示す構成図である。
【図１７】第４実施例における空気給排系４０の放出系の変形例の構成の概略を示す構成図である。
【図１８】変形例における放出された水と排ガスや空気と走行風との関係を説明する説明図である。
【図１９】第４実施例における空気給排系４０の放出系の変形例の構成の概略を示す構成図である。
【図２０】第４実施例における空気給排系４０の放出系の変形例の構成の概略を示す構成図である。
【図２１】第４実施例における空気給排系４０の放出系の変形例の構成の概略を示す構成図である。
【図２２】変形例における放出された水と排ガスや空気と走行風との関係を説明する説明図である。
【図２３】第４実施例における空気給排系４０の放出系の変形例の平面配置を説明するための平面配置図である。
【図２４】第４実施例における空気給排系４０の放出系の変形例の側面配置を説明するための側面配置図である。
【図２５】第４実施例における空気給排系４０の放出系の変形例の構成の概略を示す構成図である。
【図２６】変形例における放出された水と排ガスと走行風との関係を説明する説明図である。
【図２７】第５実施例の燃料電池車４１０に搭載された機器の平面配置の一例を示す平面配置図である。
【図２８】放出管４５０の構造と機能とを説明する説明図である。
【図２９】第５実施例における空気給排系４０の放出系の変形例の構造と機能とを説明する説明図である。
【図３０】第５実施例における空気給排系４０の放出系の変形例の構成の一例を示す構成図である。
【図３１】第５実施例における空気給排系４０の放出系の変形例の構成の一例を示す構成図である。
【図３２】変形例のエアカーテンの形成位置を例示する説明図である。
【図３３】変形例のエアカーテンの形成位置を例示する説明図である。
【図３４】第６実施例の燃料電池車５１０に搭載された機器の平面配置の一例を示す平面配置図である。
【図３５】第６実施例の燃料電池車５１０における排ガス系の配置の一例を示す側面配置図である。
【図３６】第６実施例の燃料電池車５１０に搭載された燃料電池スタック２２を中心とする燃料電池システム５２０の構成の概略を示すシステム構成図である。
【図３７】放出機構５５０の構成と排ガスの放出の様子を示す説明図である。
【図３８】変形例の放出機構５５０Ｂの構成と排ガスの放出の様子を示す説明図である。
【図３９】第７実施例としての車両１０１０の概略構成を示す説明図である。
【図４０】バッファタンク１０２７の作用を示す説明図である。
【図４１】第８実施例としての排気系の構造を示す説明図である。
【図４２】変形例としての排気系の構造を示す説明図である。
【図４３】変形例としての排気系の構造を示す説明図である。
【発明を実施するための形態】
【００７１】
次に、本発明を実施するための最良の形態を実施例を用いて説明する。
【実施例１】
【００７２】
図１は本発明の第１実施例の燃料電池車１０に搭載される機器の平面配置の一例を示す平面配置図であり、図２は第１実施例の燃料電池車１０に搭載される機器の側面配置の一例を示す側面配置図であり、図３は実施例の燃料電池車１０に搭載された燃料電池スタック２２を中心とする燃料電池システム２０の構成の概略を示すシステム構成図である。説明の容易のために、まず、図３のシステム構成図を用いて燃料電池システム２０のシステム構成について説明し、その後、図１および図２を用いて燃料電池システム２０の各機器の配置について説明する。
【００７３】
第１実施例の燃料電池車１０が搭載する燃料電池システム２０は、例えば高分子により形成された電解質膜を二つの電極（燃料極と空気極）で狭持してなる単電池ユニットを複数積層して構成した燃料電池スタック２２と、この燃料電池スタック２２の燃料極（負極）に高圧水素タンク３１からの水素を供給する水素供給系３０と、燃料電池スタック２２の空気極（正極）に空気を供給すると共に空気極からの排気を処理する空気給排系４０と、燃料電池スタック２２を冷却する冷却系５０と、システムからの排ガスや発生した水を外部に放出する放出系６０とを備える。
【００７４】
水素供給系３０は、燃料電池スタック２２の内側に形成された燃料極への水素の供給用の流路に高圧水素タンク３１からの水素を供給する水素供給流路３２と、燃料電池スタック２２の内側に形成された燃料極からの未反応の水素の排出用の流路からの水素を水素供給流路３２に戻す水素循環路３３とを備える。水素供給流路３２には、高圧水素タンク３１からの水素が逆流しないようにするための逆流防止弁（チェック弁）や燃料電池スタック２２への水素の供給や供給停止を行なうための仕切弁などが設けられている。水素循環路３３には、水素を水素供給流路３２に圧送するための水素ポンプ３４や、循環している水素中の水蒸気を液化することにより気液分離する気液分離器３８、水素供給流路３２側の水素が逆流しないようにするための逆流防止弁（チェック弁）、燃料電池スタック２２からの水素の排出を停止するための仕切弁などが設けられている。また、水素供給流路３２や水素循環路３３に燃料電池スタック２２に供給する水素の供給量や燃料電池スタック２２の運転状態を制御するために用いられる各種センサ、例えば、燃料電池スタック２２の流入口や水素ポンプ３４の吐出側に設けられた圧力センサや燃料電池スタック２２の出口近傍や水素ポンプ３４の吐出側に設けられた温度センサなどが取り付けられている。気液分離器３８により分離された水は、放出系６０が複数備えるバッファタンク６２ａ〜６２ｃに送られる。なお、水素循環路３２には仕切弁を介して分岐管が取り付けられており、この分岐管により水素循環路３２内の水素は放出系６０の希釈器６１に導入され、希釈されて大気に開放される。
【００７５】
空気給排系４０では、マスフローメータ４３により計量されエアコンプレッサ４４により加圧された空気を加湿器４６により加湿して供給管４２により燃料電池スタック２２の空気極に供給する。燃料電池スタック２２の空気極からの空気（排ガス）は、加湿器４６に供給されてエアコンプレッサ４４からの空気を加湿し、その後、気液分離器４８により気液分離される。気液分離器４８で分離された水はバッファタンク６２ａ〜６２ｃに送られ、分離された気体（排ガス）は希釈器６１に送られて希釈用のガスとして用いられて大気に開放される。ここで、実施例の気液分離器４８は、気液を完全に分離するものではなく、不完全に分離するものを意味する。即ち、気液分離器４８により分離された気体は、完全に乾燥した気体ではなく、不完全飽和或いは完全飽和若しくは過飽和の水蒸気を含む気体であったり、こうした水蒸気に加えて微小な液滴としての水をも含む気体である。
【００７６】
冷却系５０は、燃料電池スタック２２の内側に形成された冷却水用流路とにより冷却水の循環路を形成する冷却水循環路５２に冷却水を循環させることにより燃料電池スタック２２を冷却する。冷却水循環路５２には、冷却水を循環させるための冷却水ポンプ５４や循環する冷却水を空気を用いて冷却するファン付きのラジエータ５６が設けられている。また、冷却水の温度管理を行なうために冷却水循環路５２における燃料電池スタック２２からの出口近傍とラジエータ５６の後段に冷却水の温度を検出する温度センサが取り付けられている。
【００７７】
放出系６０は、水素供給系３０の気液分離器３８や空気給排系４０の気液分離器４８で分離した水をバッファタンク６２ａ〜６２ｃに一旦蓄えてから複数の放出口（第１実施例では、二つの放出口）６４ｂ，６４ｃから放出する水放出系と、空気給排系４０の気液分離器４８で分離した排ガスを希釈器６１で希釈ガスとして用いて水素供給系３０から排気される水素を希釈して放出するガス放出系とから構成されている。
【００７８】
こうした燃料電池システム２０は、各種センサからの信号に基づいて水素ポンプ３４やエアコンプレッサ４４，冷却水ポンプ５４を駆動したり各仕切弁や流量調節弁の開度を調節することにより燃料電池スタック２２を制御すると共に図示しない走行用のモータを制御するパワーコントロールユニット（以下、ＰＣＵという）７０や充放電可能な二次電池，モータ駆動用のインバータなども備えるが、これらについては本発明の中核をなさないから、その図示や詳細な説明については省略する。
【００７９】
図１および図２に示すように、燃料電池スタック２２は車両前部の中央下部に横たわるように配置され、その上に、ＰＣＵ７０が配置されている。燃料電池スタック２２の左側前部のフェンダ内には、加湿器４６とエアコンプレッサ４４とが配置されており、燃料電池スタック２２の右側前部のフェンダ内には、バッファタンク６２ａが配置されている。燃料電池スタック２２の前方には、ラジエータ５６が配置され、その前方には乗員室内の空気調節を行なうエアコンディショナー用のラジエータ７２が配置されている。また、前部のバンパー内側の左右下部には、バッファタンク６２ｂ，６２ｃが取り付けられている。更に、運転席（右ハンドル用の車両における運転席）の前方右下部には、空気給排系４０の気液分離器４８が配置されている。この他、車両前部には水素ポンプ３４や冷却水ポンプ５４，気液分離器３８が配置され、車両前部或いは中央部もしくは後部には希釈器６１が配置されているが、これらの図示は省略した。
【００８０】
バッファタンク６２ａは、水素供給系３０の気液分離器３８や空気給排系４０の気液分離器４８と図示しない連絡管により接続されていると共にバンパーの左右下部に配置されたバッファタンク６２ｂ，６２ｃと図示しない配水管により接続されており、気液分離器３８や気液分離器４８により分離された水はフェンダ内に配置されたバッファタンク６２ａに蓄えられ、その後、バンパー内に配置された左右のバッファタンク６２ｂ，６２ｃに送られる。バッファタンク６２ａには、エア抜き用の穴が形成されており、バッファタンク６２ａ〜６２ｃ内の圧力が高くなるのを抑制できるようになっている。バンパー内に配置されたバッファタンク６２ｂとバッファタンク６２ｃは、図示しない放水管により左右前輪のフェンダの前部内側に取り付けられた同一形状の二つの放出口６４ｂ，６４ｄに接続されており、バッファタンク６２ｂやバッファタンク６２ｃに蓄えられた水は放出口６４ｂや放出口６４ｃから放出されるようになっている。放出口６４ｂと放出口６４ｃは、放出可能な単位時間当たりの水量が燃料電池スタック２２に最大負荷を与えたときに燃料電池スタック２２により発電に伴って生成される単位時間当たりの水量より小さくなるように、その放水断面が設計されている。第１実施例の燃料電池車１０では、一般的な運転パターンによる走行をしたときに燃料電池スタック２２で生成される単位時間当たりの平均水量かこれより若干多い水量が放出口６４ｂと放出口６４ｃとから放出されるよう放出口６４ｂと放出口６４ｃの放水断面が設計されている。
【００８１】
以上構成を説明した第１実施例の燃料電池車１０では、燃料電池スタック２２により生成された水、即ち水素供給系３０の気液分離器３８により分離された水や空気給排系４０の気液分離器４８により分離された水は、一旦、右フェンダ内のバッファタンク６２ａに蓄えられ、その後、バンパーの左右下部に配置されたバッファタンク６２ｂ，６２ｃで貯留し、前輪のフェンダの前部内側に配置された放出口６４ｂと放出口６４ｃとから放出される。このように、燃料電池スタック２２からの生成水をバッファタンク６２ａやバッファタンク６２ｂ，６２ｃで蓄えてから放出するから、燃料電池スタック２２に大きな負荷を作用させたときに燃料電池スタック２２で生成される水を直ちに放出するものに比して、放出する水量を少なくすることができる。このため、放出した水が走行風によって巻き上げられて飛散する際における飛散水量を抑制することができる。また、放出口６４ｂと放出口６４ｃを前輪のフェンダの前部に配置したから、放出口６４ｂと放出口６４ｃを前輪のフェンダの後部や後輪のフェンダに配置したものに比して、放出した水が走行風によって巻き上げられて飛散するのを抑制することができる。さらに、放出口６４ｂと放出口６４ｃを走行風の影響が小さいフェンダの内側に配置したから、放出した水が走行風によって巻き上げられて飛散するのを抑制することができる。これらの結果、後方や側方を走行する車両に放出した水が飛散してかかる等の不都合を抑制することができる。
【００８２】
第１実施例の燃料電池車１０では、燃料電池スタック２２からの生成水を右フェンダ内のバッファタンク６２ａで蓄え、その後、バンパーの左右下部のバッファタンク６２ｂ，６２ｃで貯留した後に前輪のフェンダの前部内側に取り付けられた放出口６４ｂ，６４ｃから放出するものとしたが、バンパーの左右下部にバッファタンク６２ｂ，６２ｃを設けず、燃料電池スタック２２からの生成水を右フェンダ内のバッファタンク６２ａで蓄えた後に放出口６４ｂ，６４ｃから放出するものとしてもよいし、右フェンダ内にバッファタンク６２ａを設けず、燃料電池スタック２２からの生成水をバンパーの左右下部のバッファタンク６２ｂ，６２ｃで貯留した後に放出口６４ｂ，６４ｃから放出するものとしてもよい。また、右フェンダ内のバッファタンク６２ａもバンパーの左右下部のバッファタンク６２ｂ，６２ｃも設けず、燃料電池スタック２２からの生成水を直接に放出口６４ｂ，６４ｃから放出するものとしても差し支えない。この場合、単位時間当たりの放出水量を略均等にできないものの、生成水を前輪のフェンダの前部から放出する効果については同様に奏することができる。
【００８３】
第１実施例の燃料電池車１０では、燃料電池スタック２２からの生成水を前輪のフェンダの前部内側に取り付けられた左右二つの放出口６４ｂ，６４ｃから放出するものとしたが、放出口を三つ以上設けて放出するものとしてもよいし、放出口６４ｂ，６４ｃのいずれか一方だけから放出するものとしてもよい。また、第１実施例の燃料電池車１０では、放出口６４ｂと放出口６４ｃとを同一形状に形成するものとしたが、異なる形状、例えば、放出口６４ｂからの単位時間当たりの放出水量が放出口６４ｃからの単位時間当たりの放出水量より大きくなるよう、その形状を形成するものとしてもよい。
【００８４】
第１実施例の燃料電池車１０では、燃料電池スタック２２から排出される未反応の水素を水素循環路３３により水素供給流路３２に循環させるものとしたが、こうした水素循環路３３を備えないものとしてもよい。
【００８５】
第１実施例の燃料電池車１０では、空気給排系４０の気液分離器４８として完全に気液分離できないタイプのものを用いたが、完全に気液分離が可能なタイプのものを用いるものとしてもよい。
【実施例２】
【００８６】
次に、本発明の第２実施例の燃料電池車１１０について説明する。図４は第２実施例の燃料電池車１１０の放出口１６４の平面配置を例示する平面配置図であり、図５は第２実施例の燃料電池車１１０に搭載される機器の側面配置の一例を示す側面配置図である。第２実施例の燃料電池車１１０は、バッファタンク６２ｂ，６２ｃを備えない点やバッファタンク６２ａに蓄えられた水を外部に放出する放出口１６４の配置が異なる点と放出口１６４近傍へ走行風を導く導風路１８０が設けられている点とを除いて第１実施例の燃料電池車１０と同一の構成をしている。従って、重複した説明を避けるため、第２実施例の燃料電池車１１０の構成のうち第１実施例の燃料電池車１０の構成と同一の構成については同一の符号を付し、その図示や詳細な説明については省略する。
【００８７】
第２実施例の燃料電池車１１０では、バッファタンク６２ａは図示しない管路により運転席側（右ハンドルの車両の場合は右側）の前輪のフェンダの後部内側に鉛直下向きに水を放出する放出口１６４に接続されており、バッファタンク６２ａに蓄えられてた水は放出口１６４から放出されるようになっている。第２実施例の燃料電池車１１０では、前方から流入した空気を前輪後方から側後方に排出する空気の通り道としての導風路１８０が車両前部のフェンダなどにより構成されている。この導風路１８０は、フェンダ内の放出口１６４が取り付けられた付近で車両の側後方約４５度の角度で空気が排出されるよう構成されている。
【００８８】
次に、こうして構成された第２実施例の燃料電池車１１０における放出口１６４からの放水の様子について説明する。車両が走行しているときに放出口１６４から放水すると、放出口１６４からの水は、車両の走行に伴って導風路１８０により導かれる空気の流れによって車両の側後方に飛ばされるようになる。このように、放出口１６４から放出された水を車両の側後方に飛ばすようにするのは、車両の走行に伴って生じる走行風により放出した水が巻き上げられるのを抑制するためである。走行風の影響は、車両の横幅の範囲における後方が強く、特に中央付近の後方が強い傾向がある。車両の側方では、その距離に応じて走行風の影響は減少する。従って、車両の側後方に向けて放水することにより、走行風の影響を小さくし、走行風により放出した水が巻き上げられるのを抑制することができるのである。第２実施例では、車両を走行させたときに放出口１６４から放出された水が車両の側方向における路上の障害物に対して通常必要とする距離未満の距離（例えば、６０ｋｍ／ｈの走行に対して約５０ｃｍ程度）だけ離れた路面に到達するよう導風路１８０における放出口１６４近傍の空気の流速と導風路１８０における側後方の角度が調整されている。このため、走行中に放出口１６４から水を放出しても路上の障害物に水がかかるのを抑止することができる。特に、前述したように、第２実施例では放出口１６４は運転席側（通常、対向車に対する側であって道路の中央側）に設けられているから、走行中に放出口１６４から放出された水が路肩を歩いている人や道路に面した建造物にかかるのを抑止することができる。また、第２実施例では、放出口１６４は鉛直下向きに水を放出するよう取り付けられているから、水の放出する際に水に下向きの力を作用させることができる。このため、水が自由落下する場合に比して迅速に路面に到達させることができる。従って、放出された水が路面に到達するまでに走行風等の外乱により巻き上げられるのを抑制することができる。一方、車両が停止しているときに放出口１６４から水を放出すると、放出口１６４は車両のシルエット内で鉛直下向きに水を放出するよう取り付けられているから、車両のシルエット内に水を放出することができる。即ち、車両の間近にいる人などに水をかけることがない。
【００８９】
以上説明した第２実施例の燃料電池車１１０によれば、放出口１６４を運転席側の前輪のフェンダの後部内側に鉛直下向きに水を放出するよう配置すると共に車両前方から導入された空気を放出口１６４近傍において車両の側後方約４５度の角度で放出するよう導風路１８０を構成したことにより、走行中に放出口１６４から放出された水を車両の側後方に飛ばすようにして、放出された水が走行風によって巻き上げられるのを抑止することができる。この結果、後続の車両に放出した水が飛散してかかる等の不都合を抑制することができる。しかも、放出口１６４を運転席側に設けたから、走行中に放出口１６４から放出された水が路肩を歩いている人や道路に面した建造物にかかるのを抑止することができる。また、鉛直下向きに水を放出するよう放出口１６４を取り付けたから、水を迅速に路面まで到達させることができる。さらに、放出口１６４を車両のシルエット内で鉛直下向きとなるよう取り付けたから、停車中に放出口１６４から放出した水が車両の間近にいる人などにかけるのを防止することができる。
【００９０】
第２実施例の燃料電池車１１０では、車両前方から導入された空気を前輪の後方から側後方約４５度の角度で放出するよう導風路１８０を構成したが、空気を導いて放出口１６４近傍において車両の側後方約４５度の角度で放出すればよいから、導風路１８０以外に空気をガイドする部材を設けたり、図６の平面配置図や図７の側面配置図に例示する変形例の燃料電池車１１０Ｂのように、車両前方から導入された空気を放出口１６４近傍において車両の側後方約４５度の角度で放出するダクト１８０Ｂを設けるものとしてもよい。このダクト１８０Ｂは、図７に示すように、空気と共に放出口１６４から放出される水が車両の側後方約４５度の角度で放出される際に、放出される速度成分として鉛直下向きの成分が含まれるよう、下向きに折れ曲がっている。このため、放出された水は、鉛直下向きの成分を有する空気の流れにより、空気の流れがないときに比して短時間で路面に到達するようになる。この結果、水が路面に到達する最中に走行風によって巻き上げられるのを抑制することができる。
【００９１】
第２実施例の燃料電池車１１０では、空気を導いて放出口１６４近傍において車両の側後方約４５度の角度で放出するものとしたが、車両の側方に放出すればよいから、その角度は４５度に限定されるものではなく、如何なる角度であっても構わない。好ましい角度の範囲としては約１５度〜７５度の範囲や３０度〜６０度の範囲などが考えられる。
【００９２】
第２実施例の燃料電池車１１０では、放出口１６４を運転席側の前輪のフェンダの後部内側に設けたが、運転席側の前輪のフェンダの前部内側に設けたり、運転席側の後輪のフェンダの前部や後部の内側に設けたり、助手席側の前輪のフェンダの前部や後部の内側あるいは助手席側の後輪のフェンダの前部や後部の内側に設けるものとしても構わない。また、放出口１６４をフェンダ以外の部位に設けるものとしても差し支えない。
【実施例３】
【００９３】
次に、本発明の第３実施例の燃料電池車２１０について説明する。図８は第３実施例の燃料電池車２１０における放出口２６４の取り付け位置を説明する説明図である。第３実施例の燃料電池車２１０は、バッファタンク６２ｂ，６２ｃを備えない点やバッファタンク６２ａに蓄えられた水を外部に放出する放出口２６４の配置が異なる点とを除いて第１実施例の燃料電池車１０と同一の構成をしている。従って、重複した説明を避けるため、第３実施例の燃料電池車２１０の構成のうち第１実施例の燃料電池車１０の構成と同一の構成については同一の符号を付し、その図示や詳細な説明については省略する。
【００９４】
第３実施例の燃料電池車２１０では、バッファタンク６２ａに管路２６３により接続された放出口２６４は、運転席側の前輪の懸架装置におけるばね下部材を構成するロアアーム２８２にエアダム２８３を用いて取り付けられている。図９は図８におけるＡ−Ａ断面を拡大して例示する拡大断面図であり、図１０は図８におけるＢ−Ｂ断面を拡大して表示する拡大断面図である。エアダム２８３は、図示するように、ロアアーム２８２への取り付け位置までの環状部２８４と、その下側の半円部２８５とにより構成されている。環状部２８４は、略半円形の断面をしており、その直径近傍の取付部２８４ａの内側に放出口２６４が取り付けられている。また、取付部２８４ａの外側はロアアーム２８２に取り付けられている。環状部２８４の車両前方側（図９中左側）には車両の前方からの風（走行風）の方向を斜め下方向に変更するよう屈曲部２８４ｂが形成されている。エアダム２８３の半円部２８５は、車両の前方からの風（走行風）が放出口２６４から放出された直後の水に当たらないように放出口２６４の車両前方を覆うように配置されている。
【００９５】
次に、こうして構成された第３実施例の燃料電池車２１０における放出口２６４からの放水の様子について説明する。走行中に放出口２６４から放出された水は、エアダム２８３の半円部２８５の下端に至るまでは、半円部２８５によって囲まれていることから走行風の影響は受けず、車両に対して鉛直直下方向に落下する。半円部２８５の下端以降に落下した水は、走行風の影響を受けることになるが、放出した水に直接影響を与える位置の走行風は、図９に示すように、エアダム２８３の屈曲部２８４ｂの存在により鉛直下向きの成分を持つようにその方向が変えられるから、水には鉛直下向きの力が作用するようになる。このため、水の落下速度は大きくなり、落下した水は迅速に路面に至るようになる。また、放出口２６４は路面の凹凸に伴って車輪と共に上下運動する懸架装置のばね下部材を構成するロアアーム２８２に取り付けられているから、放出口２６４から放出された水は迅速に路面に到達する。
【００９６】
以上説明した第３実施例の燃料電池車２１０によれば、路面の凹凸に伴って車輪と共に上下運動する懸架装置のばね下部材を構成するロアアーム２８２に放出口２６４を取り付けることにより、放出口２６４から放出された水を迅速に路面に到達させることができる。この結果、車両から放出された水が路面に到達するまでに走行風によって巻き上げられるのを抑制することができる。しかも、エアダム２８３により放出口２６４から放出された水の放出直後における走行風の影響を抑止することができる。この結果、放出された水を迅速に路面に到達させることができる。さらに、エアダム２８３の半円部２８５の下端を超えて落下した水に対して鉛直下向きの成分を持つ走行風が影響するようにエアダム２８３を構成したから、放出した水が路面に到達するまでの時間を短くすることができる。この結果、車両から放出された水が路面に到達するまでに走行風によって巻き上げられるのを抑制することができる。これらの結果、後方や側方を走行する車両に放出した水が飛散してかかる等の不都合を抑制することができる。
【００９７】
第３実施例の燃料電池車２１０では、放出した水に直接影響を与える位置の走行風が鉛直下向きの成分を持つように屈曲部２８４ｂを設けたが、屈曲部２８４ｂを設けず、放出した水に直接影響を与える位置の走行風が鉛直下向きの成分を持たないようにしても差し支えない。
【００９８】
また、第３実施例の燃料電池車２１０では、放出口２６４から放出した直後の水に走行風の影響が生じないようにエアダム２８３を設けるものとしたが、こうしたエアダム２８３を設けないものとしても差し支えない。
【００９９】
第３実施例の燃料電池車２１０では、放出口２６４を運転席側の前輪の懸架装置のばね下部材を構成するロアアーム２８２に取り付けたが、放出口２６４を運転席側の後輪の懸架装置のばね下部材を構成するロアアームに取り付けるものとしたり、放出口２６４を助手席側の前輪または後輪の懸架装置のばね下部材を構成するロアアームに取り付けるものとしても差し支えない。この場合、放出口２６４を、運転席側の前輪の懸架装置のばね下部材を構成するロアアーム２８２と助手席側の前輪の懸架装置のばね下部材を構成するロアアームとに取り付けるなど、複数取り付けるものとしてもよい。
【実施例４】
【０１００】
次に、本発明の第４実施例の燃料電池車３１０について説明する。図１１は第４実施例の燃料電池車３１０に搭載される機器の平面配置の一例を示す平面配置図であり、図１２は第４実施例の燃料電池車３１０における気液分離器３４８の配置の一例を示す側面配置図であり、図１３は第４実施例の燃料電池車３１０に搭載された燃料電池スタック２２を中心とする燃料電池システム３２０の構成の概略を示すシステム構成図である。第４実施例の燃料電池車３１０が搭載する燃料電池システム３２０は、図１３に示すように、空気給排系４０における排気が異なる点と希釈器６１に空気を導入して希釈する点を除いて第１実施例の燃料電池車１０が搭載する燃料電池システム２０と同一の構成をしている。従って、重複した説明を避けるため、第４実施例の燃料電池車３１０が搭載する燃料電池システム３２０の構成のうち第１実施例の燃料電池車１０が搭載する燃料電池システム２０の構成と同一の構成については同一の符号を付し、その詳細な説明については省略する。なお、第４実施例の燃料電池車３１０の燃料電池システム３２０以外の構成についても第１実施例の燃料電池車１０が備える構成と同一の構成については同一の符号を付して用いる。
【０１０１】
第４実施例の燃料電池車３１０が搭載する燃料電池システム３２０は、図１３に示すように、燃料電池スタック２２からの発電に伴う生成水を水蒸気として含む排ガスは、加湿器４６に供給されてエアコンプレッサ４４により加圧され供給管４２によって燃料電池スタック２２に供給される空気を加湿し、その後、図１１および図１２に示すように、排気管３４７によって運転席側の後輪近傍に配置された気液分離器３４８に導かれ、気液分離が行なわれて排気屈曲管３４９を介して大気に開放される。
【０１０２】
図１４に気液分離器３４８と排気屈曲管３４９の構成の一例を示す。気液分離器３４８は、リボン式の気液分離器として構成されており、排気管３４７により導かれた排ガスが螺旋状に旋回するようにその内部がねじれている。即ち、排ガスを螺旋回させることによって水滴に遠心力を作用させ、この力により水滴を壁面に収集することにより気液分離するのである。従って、気液分離器３４８により分離される気体は、水蒸気や微小な液滴としての水を含むものとなる。排気屈曲管３４９は、気液分離器３４８の取り付け部から直線上に延びた後に鉛直下方に屈曲するように形成されていると共にこの屈曲部を路面に対して略水平にカットするように排気口３４９ａが形成されている。排気屈曲管３４９の排気口３４９ａは、図１１および図１２に示すように、排出される水に対する走行風の影響が小さくなるよう運転者側の後輪の後部に配置されている。
【０１０３】
次に、こうして構成された第４実施例の燃料電池車３１０における水の放出の様子について説明する。排気管３４７により気液分離器３４８に導かれた排ガス中の水は、遠心分離作用により気液分離器３４８の壁面に収集され、排ガスの流れによって排気屈曲管３４９の壁面を後方に移動する。こうして移動する水は、その表面張力と排ガスの流れにより、排気口３４９ａの最後部に集合して路面に向けて放出される。気液分離器３４８で分離されたガスは、排気口３４９ａのほぼ全体から排気口３４９ａの最後部から放出された水と略同一の方向に向けて排出される。排気口３４９ａは、前述したように、放出される水に対する走行風の影響が小さくなるように運転者側の後輪の後部に配置されているが、走行風の影響を全く受けない訳ではない。排気口３４９ａから排出された水と排ガスと走行風との関係を説明する説明図を図１５に示す。図示するように、排気口３４９ａのほぼ全体から排出される排ガスは、排気口３４９ａの最後部から放出された水に対して走行風を遮るエアカーテンの役目をする。このため、排気口３４９ａから排出された水が走行風によって巻き上げられるのが抑制される。こうした排ガスによるエアカーテンは、放出された水の走行風による運動を規制するものとも言うことができる。
【０１０４】
以上説明した第４実施例の燃料電池車３１０によれば、遠心分離作用により気液分離する気液分離器３４８と鉛直下方に屈曲すると共にこの屈曲部を路面に対して略水平にカットするように形成された排気口３４９ａを有する排気屈曲管３４９とを用いることにより、分離した水を排気口３４９ａの最後部から放出する吐共に排気口３４９ａの全体から排ガスを放出することができる。このように水と排ガスを放出することにより、放出された排ガスは放出された水に対して走行風を遮るエアカーテンのように機能するから、放出された水が走行風によって巻き上げられるのを抑制することができる。しかも、排気口３４９ａを走行風の影響が小さな運転者側の後輪の後部に配置したから、排気口３４９ａから放出される水が走行風に巻き上げられるのを更に抑制することができる。これらの結果、後方や側方を走行する車両に放出した水が飛散してかかる等の不都合を抑制することができる。
【０１０５】
第４実施例の燃料電池車３１０では、鉛直下方に屈曲すると共にこの屈曲部を路面に対して略水平にカットするように形成された排気口３４９ａを有する排気屈曲管３４９を用いるものとしたが、気液分離器３４８からの水と排ガスとを略水平に鉛直下方に屈曲することなく運転者側の後輪の後部に導くと共に閉口した端部近傍に下部に排気口が形成された排気管を用いるものとしてもよい。この場合でも、気液分離器３４８により分離された水は排ガスの流れによって排気管の壁面を後方に移動すると共に排気口の最後部近傍から放出され、排ガスは閉口した端部により排気口から鉛直下向きの成分をもって排出されるから、第４実施例の燃料電池車３１０と同様の効果を奏することができる。なお、排気口は、閉口した端部の下部を含むように形成してもよいし、端部から若干離れた部位の下部に形成するものとしてもよい。
【０１０６】
第４実施例の燃料電池車３１０では、気液分離器３４８により分離した水が排ガスの流れによって排気口３４９ａの最後部から放出されると共に排気口３４９ａのほぼ全体から排ガスが放出されるように排気屈曲管３４９の形状を構成したが、図１５に示すように、放出された水に対して走行風を遮るように排ガスが放出されればよいから、例えば、図１６の変形例に示すように、気液分離器３４８Ｂにより分離した排ガスと水とをそれぞれ排ガス管３４９Ｂと放水管３４９ｂとによって導き、車両の進行方向に対して放水管３４９ｂの放出口が排ガス管３４９Ｂの放出口の後方になるよう放水管３４９ｂと排ガス管３４９Ｂとを配置して水と排ガスとを放出するものとしてもよい。この場合、水の放出の方向と排ガスの放出の方向とが略同一方向となるのが望ましい。また、放出された水に対して走行風を遮る気体は燃料電池スタック２２からの排ガスである必要はなく、空気を用いて放出された水に対する走行風を遮るものとしてもよい。例えば、図１７の変形例に示すように、車両前方からの走行風を導くダクト３５０の空気の放出口を気液分離器３４８Ｃからの水を放出する放水管３４９ｃの放出口の前方に配置するものとしてもよい。
【０１０７】
このように、気液分離器３４８により分離されて放出された水に対して走行風を遮るように排ガスや空気を用いればよいから、図１８の説明図に示すように、放出された水の周囲を取り囲むようにして排ガスを放出したり、空気を導くものとしてもよい。例えば、図１９の変形例に示すように、気液分離器３４８Ｄにより分離した排ガスと水とをそれぞれ排ガス管３４９Ｄと放水管３４９ｄとによって導き、放水管３４９ｄの放出口が排ガス管３４９Ｄの放出口の中央となるよう配管３４９Ｄ，３４９ｄを配置して水と排ガスとを放出するものとしてもよいし、図２０の変形例に示すように、気液分離器３４８Ｅにより分離した水を放出する放水管３４９ｅの放出口が車両前方からの空気を導くダクト３５０Ｅの放出口の中央となるよう放水管３４９ｅとダクト３５０Ｅとを配置して水を放出するものとしてもよい。さらに、図２１の変形例に示すように、気液分離器３４８Ｆにより分離した水を放出する放水管３４９ｆの放出口が同じく気液分離器３４８Ｆにより分離した排ガスを放出する排ガス管３４９Ｆの放出口の中央となると共にこの排ガス管３４９Ｆの放出口が車両前方からの空気を導くダクト３５０Ｆの放出口の中央となるよう放水管３４９ｆと排ガス管３４９Ｆとダクト３５０Ｆとを配置するものとしてもよい。この場合、気液分離器３４８Ｆにより分離されて放出された水は、図２２の説明図に示すように、排ガスと空気とにより二重のエアカーテンをもって走行風から遮られることになる。こうすれば、排ガス中に含まれる微小な液滴としての水をも走行風に巻き上げられるのを抑制することができる。
【０１０８】
また、気液分離器３４８により分離され放出された水に対して走行風を遮るようにすればよいから、気液分離器３４８により分離された排ガスや空気以外の気体を用いて放出された水に対する走行風を遮るものとしてもよい。例えば、図２３および図２４に例示する変形例の燃料電池車３１０Ｇに示すように、燃料電池スタック２２を冷却するラジエータ３５６をそのファンによる風が鉛直下方に向くように車両の床近傍に配置し、気液分離器３４８Ｇにより分離した水の配管３４９ｇの放出口をラジエータ３５６のファン風の中央となるよう配置するものとしてもよい。こうすれば、ラジエータ３５６のファン風により気液分離器３４８Ｇにより分離して放出された水に対する走行風を遮ることができる。なお、この場合、気液分離器３４８Ｇにより分離した排ガスは、その排ガス管３４９Ｇにより車両後方から放出されることになる。
【０１０９】
さらに、気液分離器３４８により分離されて放出された水に対して走行風を遮るように排ガスや空気を用いればよいから、排ガスや空気の放出口の断面形状は円形である必要はなく、断面形状は如何なる形状であっても差し支えない。
【０１１０】
第４実施例の燃料電池車３１０では、加湿器４６からの排ガスを気液分離器３４８で気液を分離し、分離した水と排ガスとを運転席側の後輪の後方から放出するものとしたが、分離した水と排ガスとを放出する位置は運転席側の後輪の後方に限られず、例えば、運転席側の後輪の前方や助手席側の後輪の後方あるいは前方，運転席側あるいは助手席側の前輪の後方また前方，車両の中央後部あるいは中央前部など、如何なる位置としても構わない。
【０１１１】
第４実施例の燃料電池車３１０では、加湿器４６からの排ガスを気液分離器３４８により気液分離し、分離され放出された水に対して走行風が遮られるよう排ガスを放出するものとしたが、気液分離器３４８を備えず、加湿器４６からの水を含む排ガスをそのまま放出すると共にこの排ガスに対して走行風が遮られるよう空気を調整するものとしてもよい。例えば、図２５の変形例に示すように、加湿器４６からの排気管３４７Ｈの放出口が車両前方からの空気を導くダクト３５０Ｈの放出口の中央となるよう排気管３４７Ｈとダクト３５０Ｈとを配置して水を含む排ガスを放出するものとしてもよい。この場合、図２６の説明図に示すように、水を含む排ガスは、周囲の空気により走行風が遮られる。
【実施例５】
【０１１２】
次に、本発明の第５実施例の燃料電池車４１０について説明する。図２７は第５実施例の燃料電池車４１０の空気給排系４０における放出系の平面配置の一例を示す平面配置図である。第５実施例の燃料電池車４１０が搭載する燃料電池システムは、空気給排系４０における排気が異なる点とを除いて第４実施例の燃料電池車３１０と同一の構成をしている。従って、重複した説明を避けるため、第５実施例の燃料電池車４１０の構成のうち第４実施例の燃料電池車３１０の構成と同一の構成については同一の符号を付し、その詳細な説明については省略する。
【０１１３】
第５実施例の燃料電池車４１０が搭載する燃料電池システムは、図１３に例示した第４実施例の燃料電池車３１０が搭載する燃料電池システム３２０と同様に、燃料電池スタック２２からの発電に伴う生成水を水蒸気として含む排ガスは、加湿器４６に供給されてエアコンプレッサ４４により加圧され供給管４２によって燃料電池スタック２２に供給される空気を加湿し、その後、排気管４４７によって運転席側の後輪近傍に導かれ、放出管４５０から大気に開放される。
【０１１４】
図２８は、放出管４５０の構造と機能とを説明する説明図である。図２８中、上部は放出管４５０を上から見た平面図であり、中央は放出管４５０を横から見た際の断面図であり、下部は下方放出部４５２から放出される水と上方放出部４５４から放出される排ガスと走行風との関係を説明する説明図である。放出管４５０は、図示するように、排気管４４７から下方に折れ曲がって後方斜め下側に水と排ガスとを放出する下方放出部４５２と、この下方放出部４５２の上部から上に分岐して下方放出部４５２と並行になるように屈曲しその開口面積を順次大きくして後方斜め下側に排ガスを放出する上方放出部４５４とから構成されている。
【０１１５】
次に、こうして構成された第５実施例の燃料電池車４１０における水の放出の様子について説明する。加湿器４６から排気管４４７を流れる排ガスは排気管４４７内でその一部が気液分離する。分離した水は、排気管４４７の下部を排ガスの流れやその流下によって放出管４５０に流れ、下方放出部４５２から放出される。分離した排ガスは、排気管４４７を流れ、その後、放出管４５０内で下方放出部４５２と上方放出部４５４とに分離して放出される。従って、水の殆どは下方放出部４５２から放出され、排ガスは下方放出部４５２と上方放出部４５４とから放出されることになる。いま、走行している車両の後部の床下から水を滴下したときを考える。通常は、滴下直後の水はその一部が走行風によって巻き上げられ、残余が路面に至る。そして、路面に至った水の一部は路面で飛び散り、その多くが走行風により巻き上げられる。第５実施例の燃料電池車４１０では、放出管４５０の上方放出部４５４から下方放出部４５２から放出された水の後方に幅広のエアカーテンを形成するよう排ガスが放出されるから、この排ガスによるエアカーテンによって落下中の水に対する走行風の影響は小さくなる。また、この排ガスによるエアカーテンによって路面に至って飛び散った水が走行風により巻き上げられるのが抑制される。こうした排ガスによるエアカーテンは、路面に至ってからの水の運動を規制するものとも言うことができる。
【０１１６】
以上説明した第５実施例の燃料電池車４１０によれば、下方に折れ曲がって後方斜め下側に放出する下方放出部４５２と、この下方放出部４５２の上部から上に分岐して下方放出部４５２と並行になるように屈曲しその開口面積が順次大きくなって後方斜め下側に放出する上方放出部４５４とにより放出管４５０を構成することにより、下方放出部４５２から水を放出すると共にこの放出された水の後方に幅広のエアカーテンが形成されるよう上方放出部４５４から排ガスを放出することができる。このように排ガスによるエアカーテンを形成することにより、落下中の水に対する走行風の影響を小さくすることができると共に路面に至って飛び散った水が走行風により巻き上げられるのを抑制することができる。この結果、後方や側方を走行する車両に放出した水が飛散してかかる等の不都合を抑制することができる。
【０１１７】
第５実施例の燃料電池車４１０では、排ガスにより放出された水の後方に幅広のエアカーテンを形成するために、下方放出部４５２と上方放出部４５４とからなる放出管４５０を備えるものとしたが、排ガス以外の気体、例えば空気により放出された水の後方にエアカーテンを形成するものとしてもよい。この場合、図２９の変形例に示すように、排気管４４７をそのまま延長した形状の放出管４５０Ｂと、この放出管４５０Ｂの後方に車両前方から導いた空気により幅広のエアカーテンを形成するダクト４６０とを備えるものとすればよい。
【０１１８】
第５実施例の燃料電池車４１０では、加湿器４６からの排ガスを気液分離器を用いずに排気管４４７により放出管４５０に導いて大気に放出するものとしたが、加湿器４６からの排ガスを気液分離器により気液を分離して放出するものとしてもよい。この場合、図３０の変形例に示すように、排気管４４７に気液分離器４４８Ｃを取り付け、気液分離器４４８Ｃにより分離した水を放出する放水管４５６と、放水管４５６の放出口の後方に気液分離器４４８Ｃにより分離した排ガスにより幅広のエアカーテンが形成されるよう排ガスを放出する排ガス管４５８とを備えるものとしたり、図３１の変形例に示すように、排気管４４７に気液分離器４４８Ｄを取り付け、気液分離器４４８Ｄにより分離した水を放出する放水管４５６と、放出管４５６の放出口の後方に車両前方から導いた空気により幅広のエアカーテンを形成するダクト４６０とを備えるものとすればよい。
【０１１９】
第５実施例の燃料電池車４１０では、放出された水の後方に幅広のエアカーテンを形成するものとしたが、放出された水に対する走行風の影響を小さくしたり、路面に至って飛び散った水が走行風により巻き上げられるのを抑制できればよいから、放出された水の後方以外の部位にエアカーテンを形成するものとしてもよい。例えば、図３２の変形例に示すように、車両にとって排気管４４７からの放出口の内側にエアカーテンを形成するものとしたり、図３３の変形例に示すように、車両にとって排気管４４７からの放出口の外側にエアカーテンを形成するものとしてもよい。これらの場合、エアカーテンは、排ガスによって形成するものとしてもよいし、空気によって形成するものとしてもよい。このように、エアカーテンを形成する位置は放出された水の近傍であればよい。また、放出された水の後方と一方または両方の側方にエアカーテンを形成するなど、放出された水を囲むようにエアカーテンを形成するものとしてもよい。
【０１２０】
第５実施例の燃料電池車４１０では、空気給排系４０の排ガスを排気管４４７によって運転席側の後輪近傍に取り付けられた放出管４５０に導き、この放出管４５０から外部に放出するものとしたが、空気給排系４０の排ガスを助手席側の後輪近傍から放出するものとしたり、空気給排系４０の排ガスを車両の後部中央から放出するものとしても構わない。
【実施例６】
【０１２１】
次に、本発明の第６実施例の燃料電池車５１０について説明する。図３４は第６実施例の燃料電池車５１０に搭載される機器の平面配置の一例を示す平面配置図であり、図３５は第６実施例の燃料電池車５１０における排ガス系の配置の一例を示す側面配置図であり、図３６は第６実施例の燃料電池車５１０に搭載された燃料電池スタック２２を中心とする燃料電池システム５２０の構成の概略を示すシステム構成図である。第６実施例の燃料電池車５１０が搭載する燃料電池システム５２０は、図３６に示すように、空気給排系４０における排気が異なる点を除いて図１３に例示した第４実施例の燃料電池車３１０の燃料電池システム３２０と同一の構成をしている。従って、重複した説明を避けるため、第６実施例の燃料電池車５１０の燃料電池システム５２０の構成のうち第４実施例の燃料電池車３１０の燃料電池システム３２０の構成と同一の構成については同一の符号を付し、その詳細な説明については省略する。なお、第６実施例の燃料電池車５１０の燃料電池システム５２０以外の構成についても第４実施例の燃料電池車３１０が備える構成と同一の構成については同一の符号を付して用いる。
【０１２２】
第６実施例の燃料電池車５１０が搭載する燃料電池システム５２０は、図３６に示すように、燃料電池スタック２２からの発電に伴う生成水を水蒸気として含む排ガスは、加湿器４６に供給されてエアコンプレッサ４４により加圧され供給管４２によって燃料電池スタック２２に供給される空気を加湿し、その後、図３４および図３５に示すように、排気管５４７によって運転席側の後輪近傍に配置された放出機構５５０に導かれ、この放出機構５５０から外部に放出される。
【０１２３】
図３７に放出機構５５０の構成と排ガスの放出の様子を示す。図３７（ａ）は燃料電池スタック２２からの排ガス流量が少ないときの排ガスの放出の様子を示し、図３７（ｂ）は燃料電池スタック２２からの排ガス流量が多いときの排ガスの放出の様子を示す。放出機構５５０は、下側を約４５度の角度をもって切り落とした形状に端部を加工し略水平に配置して排気管５４７に接続された固定管５５１と、取り付け端部を約４５の角度をもって切り落とした形状に加工した短管の可動管５５２とを備え、固定管５５１の端部の先端と可動管５５２の端部の先端とを回転可能にヒンジ５５３により取り付けた構成をしている。可動管５５２は、その固定管５５１からのガスの吐出力によってヒンジ５５３を中心として回転可動する。即ち、可動管５５２は、固定管５５１からのガス流量が多くなってガスの吐出力が大きくなるに従ってガスの放出方向を鉛直下方の方向から水平方向に変更するのである。なお、可動管５５２が可動する方向は、図３４の配置から解るように、車両の側方向の成分と後方向の成分とを有する方向となる。
【０１２４】
次に、こうして構成された第６実施例の燃料電池車５１０における排ガスや燃料電池スタック２２により生成された水の放出の様子について説明する。燃料電池スタック２２からの生成水を含む排ガスは、前述したように、加湿器４６でエアコンプレッサ４４からの空気を加湿した後に排気管５４７を流れて放出機構５５０から放出される。このとき、燃料電池スタック２２の負荷が高いときには燃料電池スタック２２から排出される生成水や排ガス流量が多くなる。従って、燃料電池スタック２２が低負荷で運転されているときには、排ガス流量が少ないため、可動管５５２は鉛直下方に向いた状態で生成水を排ガスと共に外部に放出し、燃料電池スタック２２が高負荷で運転されているときには、排ガス流量が多いため、可動管５５２は車両の側後方の水平方向に向けて可動した状態で生成水を排ガスと共に外部に放出する。燃料電池スタック２２を高負荷で運転する状態は、車両の走行状態としては大きなエネルギが必要なときであるから、車両が比較的高速で走行しているときや低速であっても大きな加速度で加速しているときである。逆に、燃料電池スタック２２を低負荷で運転する状態は、車両の走行状態としては小さなエネルギしか消費していないときであるから、停車状態を含めて車両が比較的低速で走行しているときや減速しているときである。従って、停車状態を含めて車両が比較的低速で走行しているときや減速しているときには、燃料電池スタック２２からの生成水を鉛直下方に向けて外部に放出し、車両が比較的高速で走行しているときや低速であっても大きな加速度で加速しているときには燃料電池スタック２２からの生成水を側後方の水平方向の成分をもって外部に放出することになる。走行中に水を車両の側方に向けて放出すれば、走行風の影響をあまり受けないようにすることができるから、放出された水が走行風により巻き上げられるのを抑制することができ、走行中に水を車両の後方に向けて放出すれば、放出された水の路面に対する相対速度を小さくすることができるから、路面に到達したときに水が飛び散るのを抑制することができる、このことを考えれば、走行中に燃料電池スタック２２からの生成水を側後方の水平方向の成分をもって外部に放出することにより、放出した水が路面に到達するまでに走行風によって巻き上げられたり、放出した水の多くが路面に到達したときに飛び散って走行風に巻き上げられるのを抑制することができる。また、車両が停車しているときや低速で走行しているときに燃料電池スタック２２からの生成水を鉛直下方に向けて外部に放出することにより、放出した水が路肩を歩いている人や建造物にかかるのを抑制することができる。
【０１２５】
以上説明した第６実施例の燃料電池車５１０によれば、燃料電池スタック２２からの排ガス流量が少ないときには燃料電池スタック２２により生成された水と排ガスとを鉛直下方に向けて外部に放出すると共に燃料電池スタック２２からの排ガス流量が多いときには燃料電池スタック２２により生成された水と排ガスとを側後方の水平成分をもった方向に向けて外部に放出する放出機構５５０を備えることにより、放水した水が路肩を歩いている人や建造物にかかるのを抑制することができると共に放出した水が走行風により飛散して巻き上げられるのを抑制することができる。しかも、放出機構５５０を走行風の影響が小さな運転者側の後輪の後部に配置したから、放出機構５５０から放出される水が走行風に巻き上げられるのを更に抑制することができる。これらの結果、後方や側方を走行している車両に放出した水が飛散してかかる等の不都合を抑制することができる。
【０１２６】
第６実施例の燃料電池車５１０では、放出機構５５０を固定管５５１の端部に回転可動自在に可動管５５２を取り付けて構成したが、図３８の変形例の放出機構５５０Ｂに示すように、固定管５５１Ｂに蛇腹状のフレキシブル管５５２Ｂを取り付け、ガス流量が略０のときにフレキシブル管５５２Ｂの開口端が鉛直下向きとなると共にガス流量が多いときにガスの吐出力によりフレキシブル管５５２Ｂが略水平に持ち上げられるよう固定管５５１Ｂとフレキシブル管５５２Ｂとに張力を作用させるバネ５５４を取り付けた構成としてもよい。
【０１２７】
第６実施例の燃料電池車５１０では、燃料電池スタック２２により生成された生成水と排ガスとが排ガス流量に応じて車両の側方向の成分と後方向の成分とを有する方向に放出されるよう放出機構５５０を取り付けるものとしたが、燃料電池スタック２２により生成された生成水と排ガスとが排ガス流量に応じて車両の側方向の成分だけを有する方向に放出されるよう放出機構５５０を取り付けるものとしてもよいし、燃料電池スタック２２により生成された生成水と排ガスとが排ガス流量に応じて車両の後方向の成分だけを有する方向に放出されるよう放出機構５５０を取り付けるものとしてもよい。
【０１２８】
第６実施例の燃料電池車５１０では、燃料電池スタック２２により生成された生成水と排ガスとを運転席側の後輪の後方から放出するものとしたが、燃料電池スタック２２により生成された生成水と排ガスとを放出する位置は運転席側の後輪の後方に限られず、例えば、運転席側の後輪の前方や助手席側の後輪の後方あるいは前方，運転席側あるいは助手席側の前輪の後方また前方，車両の中央後部あるいは中央前部など、如何なる位置としても構わない。
【実施例７】
【０１２９】
次に、本発明の第７実施例の燃料電池車５１０について説明する。  図３９は、第７実施例としての車両１０１０の概略構成を示す説明図である。車両１０１０は、後部の燃料電池室１０１２に搭載された燃料電池１０２０を電源とし、モータ１０３０の動力によって駆動する。モータ１０３０は種々のタイプを適用可能であるが、本実施例では、同期電動機を用いるものとした。燃料電池１０２０から出力される直流は、インバータ１０３１によって三層交流に変換される。モータ１０３０は、この三層交流によって駆動される。モータ１０３０の動力は、回転軸１０３２を介して車輪１０３３に伝達され、車両１０１０を駆動する。
【０１３０】
燃料電池１０２０は、水素と酸素の電気化学反応によって発電する。燃料電池１０２０には、種々のタイプを適用可能であるが、本実施例では、固体高分子型を用いた。酸素極には、供給管１０２４を介して外部から空気が供給される。水素は、屋根上の水素タンク室１０１１に設置された複数の水素タンク１０５０から供給管１０２２を介して順次、供給される。
【０１３１】
インバータ１０３１など、車両１０１０に搭載された各機器の動作は、制御ユニット１０４０によって制御される。制御ユニット１０４０は、内部にＣＰＵ、ＲＯＭ、ＲＡＭなどを備えたマイクロコンピュータとして構成されており、ＲＯＭに記憶された制御プログラムに従って、各ユニットの動作、および運転席１０１４に設けられた計器板１０６０への表示を制御する。
【０１３２】
図の下方には、燃料電池室１０１２の酸素極の排気系を拡大図で示した。燃料電池１０２０の酸素極からの排気には、発電時の反応によって生じた生成水が含まれている。この排気は、配管１０２４Ｐを介して気液分離器１０２１に運ばれ、排気中の生成水が分離された後、排気管１０２５から排出される。分離された生成水は、ドレイン１０２６を介して車両１０１０の下面に設けられたバッファタンク１０２７に貯留される。バッファタンク１０２７内の生成水は、排出管１０２８によって外部に排出される。排出管１０２８はバッファタンク１０２７の前方に取り付けられている。排出管１０２８からの円滑な排水を実現するよう、バッファタンク１０２７の下面は後方の方が前方よりも高くなっている。排出管１０２８の開口端の路面からの高さＨ（以下、「開口端高さ」と称する）は、車両１０１０の走行中に気流の影響によって生成水が飛散しない程度に十分低く設定されている。
【０１３３】
本実施例では、水素極からの排気は、発電で未消費の残留水素の有効活用を図るため、上述の排気系を介さず、供給管１０２２に循環させる。水素極からの排気も併せて、図中の排気系から排気するようにしても構わない。
【０１３４】
図４０はバッファタンク１０２７の作用を示す説明図である。図４０（ａ）は、車両１０１０が停車している状態を示した。この状態では、バッファタンク１０２７に貯留している生成水は排出管１０２８から車外に排出される。但し、停車中なので、気流の影響で生成水が飛散することはない。
【０１３５】
図４０（ｂ）は、車両１０１０が加速している状態を示した。この状態では、加速に伴う慣性力Ａの作用によって、バッファタンク１０２７に貯留している生成水は、図示するように後方に押しやられる。この結果、生成水の水面が、排出管１０２８の取り付け部から離れるため、生成水の排出が抑制される。加速時には、車両下面に気流が生じているが、生成水の排出が抑制されるため、気流によって生成水が飛散する可能性も抑制される。
【０１３６】
図４０（ｃ）は、車両１０１０が減速している状態を示した。この状態では、減速に伴う慣性力Ａの作用によって、バッファタンク１０２７に貯留している生成水は、図示するように前方に押しやられ、排出管１０２８からの生成水の排出が促進される。車両下面には気流が生じているが、減速時には気流が弱まりつつある状態なので、生成水の飛散を比較的抑えることができる。排出管１０２８の開口端高さは、このような減速時における排出でも、生成水の飛散を抑えることが可能な程度に低く設定しておくことが好ましい。
【０１３７】
以上で説明した第７実施例の車両１０１０によれば、排気系に設けられたバッファタンク１０２７および排出管１０２８の作用により、加速時における生成水の排出を抑制し、減速時における生成水の排出を促進することができる。走行中の車両は、一定速度で走行し続けることはあまり多くなく、加減速が行われることが多い。従って、減速時に生成水を十分に排出するとともに、加速時の排出を抑制することにより、走行中における生成水の飛散を後続車両の走行に支障を与えない程度には抑制することができる。
【実施例８】
【０１３８】
図４１は第８実施例としての排気系の構造を示す説明図である。第８実施例では、バッファタンク１０２７の下面に、リード弁１０２８Ｖを備えた排出管１０２８Ａを設けた。リード弁１０２８Ｖは、車両走行中の気流のラム圧、即ち気流をせき止めた時の圧力に応じて開閉する弁機構である。
【０１３９】
図の下部に、リード弁１０２８Ｖの動作を説明するためのグラフを示した。排出管１０２８Ａから排出された生成水は、車速が増して気流が速くなるにつれて、激しく飛散するようになる。ある速度Ｖｒを超えると、飛散によって後続車両の走行に支障を与えるおそれが生じるため、水滴の飛散を抑制することが望まれるようになる。本実施例では、水滴の飛散を抑制する設計速度Ｖｄを、この速度Ｖｒよりも若干、低い値に設定した。
【０１４０】
ラム圧は、曲線Ｐで示す通り、車速の２乗に比例して増加する。この曲線Ｐを参照することで、設計速度Ｖｄに対応するラム圧Ｐｄが求められる。本実施例では、ラム圧が値Ｐｄよりも小さい場合には開弁し、Ｐｄ以上の範囲で閉弁するようリード弁１０２８Ｖの動作圧力を調整した。
【０１４１】
このように調整することにより、第８実施例の車両では、車速が設計速度Ｖｄを超えた範囲でリード弁１０２８Ｖが閉じられるため、生成水の排水を停止することができる。従って、後続車に支障を与える程の生成水の飛散を回避することができる。
【０１４２】
第８実施例においては、排出管１０２８Ａをバッファタンク１０２７の下部に設けたが、第１実施例と同様、前方に設けても構わない。また、車速がＶｄを超えた時点で、必ずしもリード弁１０２８Ｖを完全に閉弁する必要はなく、車速に応じて弁の開度が連続的または段階的に低減するような機構としてもよい。
【０１４３】
第８実施例におけるリード弁１０２８Ｖに代えて電磁弁を用いても良い。この場合には、電磁弁の動作を制御するための制御装置を併せて設け、この制御装置に車速が設計速度Ｖｄを超えた時点で、電磁弁の開度を低減または閉弁する制御を実行させればよい。
【０１４４】
図４２は変形例としての排気系の構造を示す説明図である。変形例では、バッファタンク１０２７Ａの下面が、後方の方が前方よりもＬだけ低くなる形状とした。こうすることにより、図４２（ａ）に示すように、定常状態であっても、バッファタンク１０２７Ａ内の生成水は排出管１０２８から離れるようになるため、生成水の排出が抑制される。従って、車両が定常走行している場合の排水、ひいては生成水の飛散を抑制することができる。
【０１４５】
車両の加速時には図４２（ｂ）に示すように、慣性力Ａの作用によって、やはり生成水の排出は抑制される。減速時には図４２（ｃ）に示すように、慣性力Ａの作用によって、生成水が前方に押しやられるため、生成水が排出される。車両の走行時には必ず減速が行われる期間が存在するため、定常走行時における排水が抑制されたとしても、バッファタンク１０２７Ａにおける生成水の貯留機能に支障が生じることはない。
【０１４６】
図４３は変形例としての排気系の構造を示す説明図である。変形例では、バッファタンク１０２７に、前方に開口する剛性のある排出管１０２８Ｂを設けた。図の例では、排出管１０２８Ｂの前面の断面積Ｓ０はバッファタンク１０２７への取り付け部の断面積Ｓ１よりも大きくなっている例を示した。排出管１０２８Ｂは、面積Ｓ０、Ｓ１が等しい形状、即ち円筒状としても構わない。
【０１４７】
この変形例の構成によれば、排出管１０２８Ｂには、走行中にラム圧が作用する。バッファタンク１０２７内の生成水は、排出管１０２８Ｂを経て前方に流出しようとするから、ラム圧は、この流出を抑制する方向に作用することになる。かかる作用により、第２変形例の構成では、高速走行時における生成水の排水を抑制することができる。
【０１４８】
図の下方には、断面積比Ｓ０／Ｓ１が上述した排水の抑制効果に与える影響を示した。先に説明した通り、生成水の飛散が要求される車速の下限値Ｖｒに基づき設計速度Ｖｄを設定したとする。この時のラム圧は、曲線Ｐに基づいてＰａと求められる。生成水の排出を抑制するためには、このラム圧Ｐａは、バッファタンク１０２７内の生成水が排出管１０２８Ｂから流出しようとする水圧よりも高くなくてはならない。生成水の水圧は、バッファタンク１０２７内の貯留水の量によって変動するが、例えば、代表的な走行状態で貯留している生成水量に基づいて設定することができる。変形例では、この水圧よりも若干高い範囲でラム圧の設計値Ｐｄを設定した。
【０１４９】
一般に管内の圧力は、断面積に応じて変化する。例えば、排出管１０２８Ｂの断面積比Ｓ０／Ｓ１を１以上の値とすることにより、排出管１０２８Ｂの取り付け口でのラム圧を、入口での値よりも上昇させることができる。変形例ではこの関係に基づき、設計速度Ｖｄにおけるラム圧Ｐａと、ラム圧の設計値Ｐｄとの圧力比Ｒｄ（＝Ｐｄ／Ｐａ）の値に応じて求められる面積比Ｓｄに従って、排出管１０２８Ｂの形状を設定した。こうすることにより、ラム圧で生成水の排水を抑制することが可能となる。
【０１５０】
以上説明した実施例では、本発明を燃料電池を電力源として搭載した自動車に適用するものとしたが、自動車は燃料電池を搭載する他に燃料電池以外の電力源、例えば、二次電池やキャパシタなど種々の電力源を搭載するものとしてもよい。また、燃料電池を搭載する自動車に限定されるものではなく、自動車以外の列車などの車両を含む各種の地上移動体に適用するものとしてもよいし、地上移動体以外の移動体に適用するものとしてもよい。
【０１５１】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【０１５２】
本発明は、自動車産業に利用可能である。
【符号の説明】
【０１５３】
１０，１１０，１１０Ｂ，２１０，３１０，３１０Ｇ，４１０，５１０  燃料電池車、２０，３２０，５２０  燃料電池システム、２２  燃料電池スタック、３０  水素供給系、３１  高圧水素タンク、３２  水素供給流路、３３  水素循環路、３４  水素ポンプ、３８  気液分離器、４０  空気給排系、４２  供給管、４３  マスフローメータ、４４  エアコンプレッサ、４６  加湿器、４８，３４８，３４８Ｃ〜３４８Ｇ，４４８Ｃ，４４８Ｄ  気液分離器、５０  冷却系、５２  冷却水循環路、５４  冷却水ポンプ、５６，３５６  ラジエータ、６０  放出系、６１  希釈器、６２ａ〜６２ｃ  バッファタンク、６３，２６３  管路、６４ｂ，６４ｃ，１６４，２６４  放出口、７０  パワーコントロールユニット（ＰＣＵ）、７２  ラジエータ、１８０  導風路、１８０Ｂ  ダクト、２８２  ロアアーム、２８３  エアダム、２８４  環状部、２８４ａ  取付部、２８４ｂ  屈曲部、２８５  半円部、３４７，３４７Ｈ，４４７  排気管、３４９  排気屈曲管、３４９ａ  排気口、３４９Ｂ，３４９Ｄ，３４９Ｆ，３４９Ｇ  排ガス管、３４９ｂ〜３４９ｇ  放水管、３５０，３５０Ｅ，３５０Ｆ，３５０Ｈ  ダクト、４５０，４５０Ｂ  放出管、４５２  下方放出部、４５４  上方放出部、４５６  放水管、４５８  排ガス管、４６０  ダクト、５４７  排気管、５５０，５５０Ｂ  放出機構、５５１，５５１Ｂ  固定管、５５２  可動管、５５２Ｂ  フレキシブル管、５５３  ヒンジ、５５４  バネ、１０１０  車両、１０１１  水素タンク室、１０１２  燃料電池室、１０１４  運転席、１０２０  燃料電池、１０２１  気液分離器、１０２２  供給管、１０２４  供給管、１０２４Ｐ  配管、１０２５  排気管、１０２６  ドレイン、１０２７，１０２７Ａ  バッファタンク、１０２８，１０２８Ａ，１０２８Ｂ  排出管、１０２８Ｖ  リード弁，１０３０  モータ、１０３１  インバータ、１０３２  回転軸、１０３３  車輪、１０４０  制御ユニット、１０５０  水素タンク、１０６０  計器板。
【図１】
2010001015.tif 000003
【図２】
2010001015.tif 000004
【図３】
2010001015.tif 000005
【図４】
2010001015.tif 000006
【図５】
2010001015.tif 000007
【図６】
2010001015.tif 000008
【図７】
2010001015.tif 000009
【図８】
2010001015.tif 000010
【図９】
2010001015.tif 000011
【図１０】
2010001015.tif 000012
【図１１】
2010001015.tif 000013
【図１２】
2010001015.tif 000014
【図１３】
2010001015.tif 000015
【図１４】
2010001015.tif 000016
【図１５】
2010001015.tif 000017
【図１６】
2010001015.tif 000018
【図１７】
2010001015.tif 000019
【図１８】
2010001015.tif 000020
【図１９】
2010001015.tif 000021
【図２０】
2010001015.tif 000022
【図２１】
2010001015.tif 000023
【図２２】
2010001015.tif 000024
【図２３】
2010001015.tif 000025
【図２４】
2010001015.tif 000026
【図２５】
2010001015.tif 000027
【図２６】
2010001015.tif 000028
【図２７】
2010001015.tif 000029
【図２８】
2010001015.tif 000030
【図２９】
2010001015.tif 000031
【図３０】
2010001015.tif 000032
【図３１】
2010001015.tif 000033
【図３２】
2010001015.tif 000034
【図３３】
2010001015.tif 000035
【図３４】
2010001015.tif 000036
【図３５】
2010001015.tif 000037
【図３６】
2010001015.tif 000038
【図３７】
2010001015.tif 000039
【図３８】
2010001015.tif 000040
【図３９】
2010001015.tif 000041
【図４０】
2010001015.tif 000042
【図４１】
2010001015.tif 000043
【図４２】
2010001015.tif 000044
【図４３】
2010001015.tif 000045
【手続補正書】
【提出日】平成21年7月21日(2009.7.21)
【手続補正１】
【補正対象書類名】明細書
【補正対象項目名】全文
【補正方法】変更
【補正の内容】
【発明の詳細な説明】
【技術分野】
【０００１】
本発明は、移動体に関し、詳しくは、発電に伴って水を生成する燃料電池を電力源として搭載する移動体に関する。
【背景技術】
【０００２】
従来、この種の移動体としては、燃料電池により生成される生成水を車両の側方に放出する自動二輪車が提案されている（例えば、特許文献１参照）。この自動二輪車では、燃料電池の生成水を側方に排出することにより、生成水がタイヤにかかることに基づく不都合、例えばスリップを防止している。
【０００３】
また、燃料電池からの排気時に、残留水素の濃度を低減するために、排気管の出口近傍に、排気の拡散を促進するための邪魔板を設ける技術も提案されている（例えば、特許文献２参照）。生成水の排出には、排気管から排気とともに排出する方法や、気液分離器によって分離された後、車両下面から排出する方法などが採られている。
【先行技術文献】
【特許文献】
【０００４】
【特許文献１】特開２００１−３１３０５６号公報（図２，第３頁，第４頁）
【特許文献１】特開２００２−２８９２３７号公報
【発明の概要】
【発明が解決しようとする課題】
【０００５】
上述したように、燃料電池を搭載する車両では、走行中でも燃料電池により生成される生成水を車外に排出する必要がある。このとき、スリップを回避するためにタイヤにかからないように生成水を排出しても、排出した生成水が走行風によって巻き上げられ、後方や側方などで走行する車両のフロントガラスに飛散するなどの不都合が生じる場合がある。また、側方に排出する場合には、路肩の人や建造物に水がかかる場合も生じる。
【０００６】
本発明の移動体は、燃料電池からの生成水を放出する際に生成水が飛散するのを抑制することを目的の一つのとする。本発明の移動体は、燃料電池からの生成水を放出する際に生成水が人や建造物にかかるのを抑止することを目的の一つのとする。本発明の移動体は、燃料電池からの生成水を放出する際に放出した生成水の後方や側方への影響を抑制することを目的の一つのとする。
【課題を解決するための手段】
【０００７】
本発明の移動体は、上述の目的の少なくとも一部を達成するために以下の手段を採った。
【０００８】
本発明の参考例の移動体は、
発電に伴って水を生成する燃料電池を電力源として搭載する移動体であって、
前記燃料電池により生成された生成水を前記移動体の前部に配置された放出口から外部に放出する放出手段
を備えることを要旨とする。
【０００９】
この本発明の参考例の移動体では、燃料電池により生成された生成水を移動体の前部に配置された放出口から外部に放出するから、移動体の移動に伴う空気の流れの影響により放出した生成水が飛散したとしても後方や側方への影響を小さくすることができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００１０】
こうした本発明の参考例の移動体において、前記移動体は車両であり、前記放出口は車両前部のバンパー部またはフェンダ部に配置されてなるものとすることもできる。こうすれば、バンパー部やフェンダー部から生成水を排出することができる。
【００１１】
この放出口が車両前部のバンパー部またはフェンダ部に配置されてなる態様の本発明の参考例の移動体において、前記放出口は、前記車両の前輪より前方に配置されてなるものとすることもできる。車輪近傍は車両の走行に伴う走行風の影響が小さいから、生成水の飛散を抑制することができる。
【００１２】
また、放出口が車両前部のバンパー部またはフェンダ部に配置されてなる態様の本発明の参考例の移動体において、車両前部に前記燃料電池から前記生成水を外部へ放出するための経路に設けられて該生成水を貯留可能な貯留手段を備えるものとすることもできる。こうすれば、生成水を貯留することができるから、車両が停止している際に放出したり、均等化して放出することができる。この結果、生成水を貯留することができないものに比して生成水の飛散や後方や側方への影響を抑制することができる。この態様の本発明の参考例の移動体において、前記貯留手段は、前記車両のバンパーの内側に配置されてなるものとすることもできる。こうすれば、バンパー内側のスペースを有効利用することができる。また、前記貯留手段は、前記放出口の前方に配置されてなるものとすることもできる。こうすれば、貯留手段から放出口までの配管に必要なスペースを小さくすることができる。
【００１３】
本発明の第１の移動体は、
発電に伴って水を生成する燃料電池を電力源として搭載する移動体であって、
前記燃料電池により生成された生成水を放出口から外部に放出する放出手段と、
該放出手段の放出口近傍における移動体の移動に伴う空気の流れを調整する空気流調整手段と、
を備えることを要旨とする。
【００１４】
この本発明の第１の移動体では、燃料電池により生成された生成水を放出する放出口近傍における移動体の移動に伴う空気の流れを調整するから、生成水の飛散を抑制することができる。この結果、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００１５】
こうした本発明の第１の移動体において、前記放出口は前記生成水を移動体の下側部から略鉛直下方に向けて放出するよう配置されてなり、前記空気流調整手段は空気を移動体の側後方に流す手段であるものとすることもできる。この場合、移動体が移動していないときには、生成水は移動体の鉛直方向のシルエットの範囲内の側部から放出されるから、移動体が移動していないときに生成水が移動体の側方に位置する人や建造物にかかるのを抑止することができる。また、移動体が移動しているときには、生成水は空気の流れにより移動体の側後方に放出されるから、移動体の移動に伴う空気の流れにより生成水が飛散するのを抑制することができる。この結果、生成水の後続への影響を抑制することができる。なお、側後方に放出される生成水の側方向の距離は生成水の流量と移動体の移動速度とにより異なるものとなるが、移動体を移動させているときに通常近寄らない程度の範囲、例えば１０〜１００ｃｍ好ましくは３０〜７０ｃｍとなるよう生成水の側後方への放出角度が調節されるのが好ましい。こうすれば、移動体が移動しているときに放出される生成水が移動体側方に位置する人や建造物に生成水がかかるのを抑止することができる。ここで、「側後方」とは、側方および後方を含む他、側方から後方までの全ての方向を含む概念、即ち移動体の側方から後方に向けてその角度が側方から０〜９０度の角度をもった後方の全ての方向を含む概念である。以下、単に「側後方」と言う場合も同様である。なお、空気流調整手段は、空気を移動体の側方に対して１５〜７５度の範囲内の角度をもって後方に流す手段であるものとすることもできる。
【００１６】
また、放出口の空気を移動体の側後方に流す態様の本発明の第１の移動体において、前記空気流調整手段は、空気を鉛直下方の流れ成分をもって流す手段であるものとすることもできる。こうすれば、生成水の地面への落下を促進することができるから、生成水の後方への飛散をより効果的に抑止することができる。
【００１７】
さらに、放出口の空気を移動体の側後方に流す態様の本発明の第１の移動体において、前記空気調整手段は、移動体前部から流入した空気の流れを調整する手段であるものとすることもできる。こうすれば、移動体前部から流入した空気の流れを利用することができる。
【００１８】
あるいは、放出口の空気を移動体の側後方に流す態様の本発明の第１の移動体において、前記移動体は車両であり、前記放出口は車両の前輪の後方に配置されてなるものとすることもできる。こうすれば、車輪近傍は車両の走行に伴って生じる走行風の影響が小さいから、放出口から放出される生成水に対する走行風の影響を小さくして生成水が後方や側方に飛散するのを抑止することができる。
【００１９】
また、放出口の空気を移動体の側後方に流す態様の本発明の第１の移動体において、前記放出口は、運転席側に配置されてなるものとすることもできる。通常、運転席側は対向車側に一致するから、側後方に放出された生成水が路肩を歩行している人などにかかるのを抑止することができる。
【００２０】
本発明の第２の移動体は、
発電に伴って水を生成する燃料電池を電力源として搭載し、懸架装置をもって本体を支持する移動体であって、
前記懸架装置のばね下部材に取り付けられた放出口を有し、該放出口から前記燃料電池により生成された生成水を外部に放出する放出手段
を備えることを要旨とする。
【００２１】
この本発明の第２の移動体では、懸架装置のばね下部材に取り付けられた放出口から燃料電池により生成された生成水を外部に放出する。即ち、地面に近い位置から生成水を放出するから、生成水の地面への落下時間を短くして、移動体の移動に伴う空気の流れによる生成水の飛散を抑制することができる。この結果、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。なお、懸架装置のばね下部材はサスペンションアームであるものとすることもできる。
【００２２】
こうした本発明の第２の移動体において、前記移動体は車両であり、前記放出口は車輪近傍に取り付けられてなるものとすることもできる。車輪近傍は車両の走行に伴って生じる走行風の影響が小さいから、放出口から放出される生成水に対する走行風の影響を小さくして生成水が後方や側方に飛散するのを抑止することができる。ここで、放出口は後輪後方に取り付けられてなるものとすることもできる。
【００２３】
また、本発明の第２の移動体において、前記放出口における移動体の移動に伴う空気の流れを調整する空気流調整手段を備えるものとすることもできる。こうすれば、生成水に対する移動体の移動に伴う空気の流れの影響を調整することができる。ここで、前記空気流調整手段は、移動体の移動に伴う空気の流れを抑制する手段であるものとすることもできるし、移動体の移動に伴う空気の流れを鉛直下向きの成分を有する流れとする手段であるものとすることもできる。前者では生成水に対する移動体の移動に伴う空気の流れの影響を小さくすることができ、後者では生成水の地面への落下を促進することができるから、生成水の後方や側方への飛散をより効果的に抑制することができる。
【００２４】
本発明の第３の移動体は、
発電に伴って水を生成する燃料電池を電力源として搭載する移動体であって、
前記燃料電池により生成された生成水を放出口から外部に放出する放出手段と、
前記放出口から放出された生成水が地面に至るまでの過程における少なくとも前記放出口近傍において該放出口から放出された生成水に対する移動体の移動に伴う空気の流れの影響を抑制する空気流影響抑制手段と、
を備えることを要旨とする。
【００２５】
この本発明の第３の移動体では、放出口から放出された生成水が地面に至るまでの過程における少なくとも放出口近傍において放出口から放出された生成水に対する移動体の移動に伴う空気の流れの影響を抑制するから、移動体の移動に伴う空気の流れによる生成水の飛散を抑制することができる。この結果、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００２６】
こうした本発明の第３の移動体において、前記空気流影響抑制手段は、前記放出口近傍に前記放出口から放出される生成水の放出方向に略一致する気体流を生成する手段であるものとすることもできる。こうすれば、気体流が生成水に対する移動体の移動に伴う空気の流れを遮ろうとするから、生成水に対する移動体の移動に伴う空気の流れの影響を抑制することができる。
【００２７】
また、本発明の第３の移動体において、前記空気流影響抑制手段は、前記放出口から放出される生成水に作用する移動体の移動に伴う空気の流れを略遮断するよう気体流を生成する手段であるものとすることもできる。こうすれば、気体流が生成水に作用する移動体の移動に伴う空気の流れ遮断するから、生成水に対する移動体の移動に伴う空気の流れの影響を抑制することができる。
【００２８】
これら気体流により生成水に対する移動体の移動に伴う空気の流れの影響を抑制する態様の本発明の第３の移動体において、前記空気流影響抑制手段は、移動体の移動方向における前記生成水の前方に前記気体流を生成する手段であるものとすることもできる。こうすれば、生成水に対する前方からの空気の流れの影響を抑制することができる。
【００２９】
また、空気流影響抑制手段が生成水の放出方向に略一致する気体流を生成する態様の本発明の第３の移動体において、前記空気流影響抑制手段は、移動体の移動方向における前記生成水の後方に前記気体流を生成する手段であるものとすることもできる。こうすれば、生成水の後方に生成された気体流により生成水に対する空気の流れの影響を抑制することができる。
【００３０】
さらに、空気流影響抑制手段が生成水の放出方向に略一致する気体流を生成する態様の本発明の第３の移動体において、前記空気流影響抑制手段は、移動体の移動方向における前記生成水の側方内側に前記気体流を生成する手段であるものとすることもできるし、移動体の移動方向における前記生成水の側方外側に前記気体流を生成する手段であるものとすることもできる。こうすれば、生成水の側方に生成された気体流により、生成水に対する空気の流れの影響を抑制することができる。
【００３１】
また、気体流により生成水に対する移動体の移動に伴う空気の流れの影響を抑制する態様の本発明の第３の移動体において、前記空気流影響抑制手段は、前記生成水の周囲に環状の前記気体流を生成する手段であるものとすることもできるし、前記生成水を取り囲むよう前記気体流を生成する手段であるものとすることもできる。こうすれば、生成水の周囲に環状に生成された気体流や生成水を取り囲むように生成した気体流により、生成水に対する空気の流れの影響を抑制することができる。
【００３２】
気体流により生成水に対する移動体の移動に伴う空気の流れの影響を抑制する態様の本発明の第３の移動体において、前記空気流影響抑制手段は、移動体からの排気により前記気体流を生成する手段であるものとすることもできる。この場合、前記空気流影響抑制手段は前記燃料電池からの排気により前記気体流を生成する手段であるものとすることもできる。こうすれば、燃料電池からの排気を有効に用いることができる。また、前記空気流影響抑制手段は、前記気体流を生成するためのファンを備える手段であるものとすることもできる。この場合、ファンは、移動体に搭載された機器を冷却するために用いられる冷却用ファンであるものとすることもできる。こうすれば、移動体に搭載された機器を冷却するために用いられる冷却用ファンからの排気を有効に用いることができる。この場合、ファンは、移動体の下部に鉛直下向きの成分を有する方向に向けて排気を送出するよう配置されてなるものとすることもできる。
【００３３】
気体流により生成水に対する移動体の移動に伴う空気の流れの影響を抑制する態様の本発明の第３の移動体において、前記空気流影響抑制手段は、移動体の移動に伴う空気の流れを調整することにより前記気体流を生成する手段であるものとすることもできる。こうすれば、移動体の移動に伴う空気の流れを有効に用いることができる。
【００３４】
本発明の第４の移動体は、
発電に伴って水を生成する燃料電池を電力源として搭載する移動体であって、
前記燃料電池により生成された生成水を放出口から外部に放出する放出手段と、
前記放出口から放出された生成水および／または前記放出口から放出され地面に至った後の生成水が移動体の移動に伴う空気の流れに基づいて後方に飛散するのを抑制する後方飛散抑制手段と、
を備えることを要旨とする。
【００３５】
この本発明の第４の移動体では、放出口から放出された生成水や放出口から放出されて地面に至った後の生成水が移動体の移動に伴う空気の流れに基づいて後方に飛散するのを抑制するから、生成水の放出による後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００３６】
こうした本発明の第４の移動体において、前記後方飛散抑制手段は、前記放出口の後方に該放出口から放出される生成水の放出方向に略一致する気体流を生成する手段であるものとすることもできる。こうすれば、気体流が放出口から放出された生成水や地面に至った後の生成水に対する移動体の移動に伴う空気の流れの影響を抑制することができる。
【００３７】
また、本発明の第４の移動体において、前記後方飛散抑制手段は、前記放出口の後方に鉛直下向きの成分を有する気体流を生成する手段であるものとすることもできる。こうすれば、気体流により放出口から放出された生成水や地面に至った後の生成水が後方に飛散しようとするのを抑制することができる。
【００３８】
これら気体流により放出口から放出された生成水や地面に至った後の生成水が後方に飛散するのを抑制する態様の本発明の第４の移動体において、前記後方飛散抑制手段は、移動体の移動に伴う空気の流れを調整することにより前記気体流を生成する手段であるものとすることもできる。こうすれば、移動体の移動に伴う空気の流れを有効に用いることができる。
【００３９】
また、気体流により放出口から放出された生成水や地面に至った後の生成水が後方に飛散するのを抑制する態様の本発明の第４の移動体において、前記空気流影響抑制手段は、移動体からの排気により前記気体流を生成する手段であるものとすることもできる。この場合、前記空気流影響抑制手段は、前記燃料電池からの排気により前記気体流を生成する手段であるものとすることもできる。こうすれば、燃料電池からの排気を有効に用いることができる。
【００４０】
本発明の第５の移動体は、
発電に伴って水を生成する燃料電池を電力源として搭載する移動体であって、
前記燃料電池により生成された生成水の少なくとも一部を水蒸気として含む排気の供給を受け、該供給された排気を遠心分離作用を用いて気液分離し、気体と液体とを略同一方向に向けて外部に放出する気液分離放出手段、
を備えることを要旨とする。
【００４１】
この本発明の第５の移動体では、燃料電池により生成された生成水の少なくとも一部を水蒸気として含む排気の供給を受け、この供給された排気を遠心分離作用を用いて気液分離し、分離した気体と液体とを略同一方向に向けて外部に放出する。液体と略同一方向に向けて放出される気体は、液体に対する移動体の移動に伴う空気の流れの影響を抑制する気体流として作用するから、液体、即ち生成水が後方や側方に飛散するのを抑制することができる。この結果、生成水の後方や側方への影響を抑制することができる。ここで、気液分離により分離された気体は、完全に乾燥した気体だけを意味するのではなく、不完全飽和或いは完全飽和若しくは過飽和の水蒸気を含む気体や水蒸気に加えて微小な液滴としての水を含む気体をも意味する。また、移動体としては、自動車や列車などの車両を含む地上移動体が含まれる。さらに、移動体は、燃料電池に加えて燃流電池以外の電力源、例えば二次電池やキャパシタなどを搭載するものとしてもよい。
【００４２】
こうした本発明の第５の移動体において、前記気液分離放出手段は、前記排気を螺旋回させて流すことにより気液を遠心分離する気液分離部と、該気液分離部からの気液を鉛直下向きの成分を有する方向に向けて放出する放出部と、を備える手段であるものとすることもできる。ここで、「螺旋回」とは螺旋状に旋回する意である。気液分離部では螺旋回して排気を流すことにより生成水を自重に対する遠心力を用いて内壁面に集め、放出部では内壁面に集められた生成水をガス流速によって後方側に集めて鉛直下向きの成分を有する方向に向けて放出する。したがって、気液分離により分離された気体は、生成水の前方の気体流として放出されることになる。この気体流は生成水に対する移動体の移動に伴う空気の流れの影響を抑制するから、生成水が後方や側方に飛散するのを抑制することができる。ここで、前記放出部は、前記気液分離部からの気液を略水平に移動させる状態から鉛直下方方向に湾曲させて放出する湾曲管により構成されてなるものとすることもできる。
【００４３】
本発明の第６の移動体は、
発電に伴って水を生成する燃料電池を電力源として搭載する移動体であって、
ガス流量に応じてガスの放出方向を鉛直下向きから水平方向に変更可能な放出機構を有し、前記燃料電池により生成された生成水を該燃料電池からの排ガスと共に該放出機構から外部に放出する放出手段
を備えることを要旨とする。
【００４４】
この本発明の第６の移動体では、ガス流量に応じてガスの放出方向を鉛直下向きから水平方向に変更可能な放出機構から、燃料電池により生成された生成水を該燃料電池からの排ガスと共に外部に放出する。従って、生成水と共に放出される排ガスの流量に応じて放出される方向を変更することができる。放出機構をガス流量の増加に伴ってガスの放出方向を水平方向に変更するものとすれば、排ガスの流量は燃料電池の負荷に応じて大きくなることや燃料電池の負荷は移動体の移動速度や移動加速度に応じて大きくなることを考慮すれば、移動体の移動速度が小さいときや移動加速度が小さいときには生成水と排ガスは鉛直下向きに放出され、移動体の移動速度が大きいときや移動加速度が大きいときには生成水と排ガスは鉛直下向きから水平方向の成分をもって放出されることになる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００４５】
こうした本発明の第６の移動体において、前記放出機構は、ガス流量に応じてガスの放出方向を鉛直下向きから移動体の側方向への成分をもって水平方向に変更する機構であるものとすることもできる。こうすれば、移動体の移動速度が大きいときや移動加速度が大きいときには生成水と排ガスとを移動体の側方向の成分をもって放出することができる。この結果、移動体の移動に伴う空気の流れにより生成水が飛散して巻き上げられるのを抑制することができる。
【００４６】
また、本発明の第６の移動体において、前記放出機構は、ガス流量に応じてガスの放出方向を鉛直下向きから移動体の後方向への成分をもって水平方向に変更する機構であるものとすることもできる。こうすれば、移動体の移動速度が大きいときや移動加速度が大きいときには生成水と排ガスとを移動体の後方向の成分をもって放出することができる。生成水に後方向の成分をもたせることにより、放出された生成水の地面に対する相対速度を小さくし、地面に到達したときの飛び散りを抑制することができる。この結果、地面に到達したときに飛び散った水が移動体の移動に伴う空気の流れに巻き上げられて飛散するのを抑制することができる。
【００４７】
本発明の第６の移動体において、前記放出機構は、移動体に略水平に固定された固定管端部の上部にヒンジをもって可動管を取り付けてなる機構であるものとすることもできるし、移動体に略水平に固定された固定管端部に屈曲自在な屈曲自在管を取り付けると共に該屈曲自在管内を流れるガスによる力をもって変形可能の弾性部材を用いてガス流量が小さいときに該屈曲自在管の端部が略鉛直下方を向くよう屈曲状態を調整してなる機構であるものとすることもできる。
【００４８】
本発明の第７の移動体において、
発電に伴って水を生成する燃料電池を電力源として搭載する移動体であって、
前記燃料電池により生成された生成水を放出口から外部に放出する放出手段と、
該放出手段の放出口から放出される生成水の飛散を抑制する飛散抑制手段と、
を備えることを要旨とする。
【００４９】
この本発明の第７の移動体では、燃料電池により生成され放出口から放出される生成水の飛散を抑制するから、生成水の後方や側方への影響を抑制することができる。ここで、移動体としては、自動車や列車などの車両を含む地上移動体が含まれる。また、移動体は、燃料電池に加えて燃流電池以外の電力源、例えば二次電池やキャパシタなどを搭載するものとしてもよい。
【００５０】
こうした本発明の第７の移動体において、前記飛散抑制手段は、前記生成水の落下に作用する方向の力を大きくする手段であるものとすることもできる。生成水の落下に作用する力を大きくして生成水を迅速に地面に落下させることにより、地面に落下するまでに生成水が移動体の移動に伴う空気の流れにより巻き上げられて飛散するのを抑制するのである。
【００５１】
この飛散抑制手段が生成水の落下に作用する方向の力を大きくする態様の本発明の第７の移動体において、前記飛散抑制手段は、前記生成水の落下重量を大きくする手段であるものとすることもできる。ここで、「生成水の落下重量を大きくする」とは、生成水が水滴として落下するときには大きな水滴とすることを意味し、生成水が連続して落下するときにはその断面積を大きくすることを意味する。この場合、前記飛散抑制手段は、前記生成水を収集して前記放出手段に導く手段であるものとすることもできるし、更に、前記生成水の少なくとも一部を水蒸気として含む前記燃料電池からの排気を気液分離することにより生成水を収集する手段であるものとすることもできる。
【００５２】
また、飛散抑制手段が生成水の落下に作用する方向の力を大きくする態様の本発明の第７の移動体において、前記飛散抑制手段は、移動体の移動に伴う空気の流れを用いて前記生成水の落下を促進する手段であるものとすることもできる。こうすれば、移動体の移動に伴う空気の流れを有効に用いて生成水が飛散するのを抑制することができる。この態様の本発明の第７の移動体において、前記飛散抑制手段は、前記生成水に対する移動体の移動に伴う空気の流れを鉛直下方の成分を有する流れとすることにより該生成水の落下を促進する手段であるものとすることもできる。こうすれば、移動体の移動に伴う空気の流れを有効に用いて生成水の飛散を抑制することができる。
【００５３】
さらに、飛散抑制手段が生成水の落下に作用する方向の力を大きくする態様の本発明の第７の移動体において、前記飛散抑制手段は、移動体から放出されるガスを用いて前記生成水の落下を促進する手段であるものとすることもできる。こうすれば、移動体から放出されるガスを有効に用いて生成水の飛散を抑制することができる。この場合、前記飛散抑制手段は、前記生成水に対して前記移動体から放出されるガスを鉛直下方の成分を有する流れとして放出することにより該生成水の落下を促進する手段であるものとすることもできる。
【００５４】
また、本発明の第７の移動体において、前記飛散抑制手段は、前記生成水の飛散に作用する方向の力を小さくする手段であるものとすることもできる。生成水の飛散に作用する方向の力を小さくすることにより、生成水の飛散を抑制することができる。
【００５５】
この飛散抑制手段が生成水の飛散に作用する方向の力を小さくする態様の本発明の第７の移動体において、前記飛散抑制手段は、前記生成水に作用する移動体の移動に伴う空気の流れの影響を小さくする手段であるものとすることもできる。こうすれば、移動体の移動に伴う空気の流れによって生成水が飛散するのを抑制することができる。
【００５６】
この生成水に作用する移動体の移動に伴う空気の流れの影響を小さくする態様の本発明の第７の移動体において、前記飛散抑制手段は、前記生成水に対する移動体の移動に伴う空気の流れを調整することにより前記生成水に作用する移動体の移動に伴う空気の流れの影響を小さくする手段であるものとすることもできる。この場合、前記飛散抑制手段は、前記生成水に対する移動体の移動に伴う空気の流れを抑制する手段であるものとすることもできるし、前記生成水に対する移動体の移動に伴う空気の流れを遮断する手段であるものとすることもできるし、前記生成水に対する移動体の移動に伴う空気の流れを鉛直下向きの成分を有する流れとする手段であるものとすることもできる。
【００５７】
また、生成水に作用する移動体の移動に伴う空気の流れの影響を小さくする態様の本発明の第７の移動体において、前記飛散抑制手段は、移動体から放出されるガスを用いて前記生成水の飛散に作用する方向の力を小さくする手段であるものとすることもできる。こうすれば、移動体から放出されるガスを有効に用いて生成水が飛散するのを抑制することができる。この場合、前記飛散抑制手段は、移動体から放出されるガスにより前記生成水に対する移動体の移動に伴う空気の流れを抑制する手段であるものとすることもできるし、移動体から放出されるガスにより前記生成水に対する移動体の移動に伴う空気の流れを遮断する手段であるものとすることもできる。
【００５８】
本発明の第７の移動体において、前記飛散抑制手段は、前記生成水の運動を規制する手段であるものとすることもできる。生成水の運動を規制することにより、生成水が飛散するのを抑制するのである。この態様の本発明の移動体において、前記飛散抑制手段は、移動体から放出されるガスを用いて前記生成水の運動を規制する手段であるものとすることもできるし、移動体の移動に伴う空気の流れを用いて前記生成水の運動を規制する手段であるものとすることもできる。
【００５９】
本発明の第８の移動体は、
水素と酸素の電気化学反応により発電する燃料電池と、
前記燃料電池からの排気を移動体外に排出するための排気系と、
前記排気に含まれる生成水の移動体外への排出を所定速以上の時に抑制する排水抑制機構と、
を備えることを要旨とする。
【００６０】
この本発明の第８の移動体では、生成水の飛散は移動体外の気流の影響を受けるため、排気に含まれる生成水の移動体外への排出を所定速以上の時に抑制することにより、生成水の飛散を抑制することができる。ここで、移動体としては主に車両を考えることができる。
【００６１】
こうした本発明の第８の移動体において、排水抑制機構は、種々の構成を採ることができる。第１の態様として、排水抑制機構は、所定速以上で開度が低減する弁機構としてもよい。この弁機構は、電磁弁と、移動体速に応じてその開度を制御する制御装置とを用いて構成してもよい。また、外部からの圧力に応じて開閉動作するリード弁を用いてもよい。高速移動時には、気流をせき止めた時の圧力、即ちラム圧が速度に応じて高くなる。従って、ラム圧に応じて開閉するリード弁を用いれば、上述の弁機構を比較的容易に実現することができる。
【００６２】
排水抑制機構は、第２の態様として、移動体の移動に伴うラム圧が生成水の排出を抑制する方向に作用する位置および向きに開口する排水口としてもよい。例えば、排水口を移動体の外部に前方に向けて設ける構造を採ることができる。
【００６３】
上述の排水抑制機構は、例えば、排気管に直接設けてもよい。また、排気から生成水を分離するための気液分離機構を設け、その気液分離機構からの排水系に設けてもよい。気液分離機構を用いる場合には、排気中の生成水を分離した上で、効率的に排出することができる利点がある。
【００６４】
気液分離機構を適用する場合には、分離された生成水を一時的に貯留する貯留部を有することが好ましい。こうすることにより、高速移動時に、生成水の分離機能に支障なく生成水の排出を抑制することができる。この場合、排水系は、貯留部において移動体の前方に開口するよう設けられていることが好ましい。移動体の加速時には、慣性力の作用により、生成水は貯留部後方に押しやられるため、排水、ひいては生成水の飛散が抑制される。減速時には、生成水が前方に流れてくるため、排水が促進される。このように貯留部からの排水用の開口を移動体前方に向けておくことにより、簡易な構造で、高速移動に向けての加速中の排水を抑制し、減速時の排水を促進することができる。
【００６５】
本発明の第９の移動体は、
移動体であって、
水素と酸素の電気化学反応により発電する燃料電池と、
前記燃料電池からの排気を移動体外に排出するための排気系と、
前記排気に含まれる生成水を一時的に貯留する貯留部と、
前記貯留部から前記生成水を排出するため前記移動体の前方側に設けられた排水口と、
を備えることを要旨とする。
【００６６】
この本発明の第９の移動体では、排気系に貯留部を備えると共に貯留部から生成水を排出するための排水口を車両の前方側に設ける。この本発明の第９の移動体では、高速移動時に排水を抑制する作用を十分に奏しない構成も含まれる。先に説明した通り、前方に開口部を設けることにより、加速時の排水が抑制され、減速時の排水が促進される。移動中の移動体は、一定速度で走行し続けることはあまり多くなく、加減速が行われることが多い。従って、減速時に生成水を十分に排出すると共に加速時の排出を抑制することにより、移動中における生成水の飛散を後続の移動体の移動に支障を与えない程度には抑制することができる。ここで、移動体としては主に車両を考えることができる。
【００６７】
こうした本発明の第９の移動体において、貯留部および排水口を移動体内部に設け、排水管で移動体外に生成水を排出する構造としてもよい。また、排水口は、移動体の移動中に伴うラム圧が生成水の排出を抑制する方向に作用する位置および向きに開口させてもよい。後者の態様では、貯留部を移動体外に設けることにより排水口にラム圧が作用するようにしてもよいし、貯留部を移動体内に設けた上で排水口を移動体外に設けてもよい。このように排水口にラム圧を作用させることによって、高速移動時の排水を抑制し、生成水の飛散を抑制することができる。
【００６８】
また、本発明の第９の移動体において、排水口には、所定速以上で開度が低減する弁機構を設けてもよい。こうすることで、高速移動時における排水を抑制することができる。かかる弁機構としては、先に本発明の第８の移動体で説明した構成、即ち、電磁弁と制御装置の組み合わせ、リード弁などを適用することができる。
【００６９】
さらに、本発明の第９の移動体において、効率的な排水を行う上で、排気から生成水を分離するための気液分離機構を設けることが好ましい。この場合、貯留部は、気液分離機構の排水系に設けることができる。
【図面の簡単な説明】
【００７０】
【図１】第１実施例の燃料電池車１０に搭載された機器の平面配置の一例を示す平面配置図である。
【図２】第１実施例の燃料電池車１０に搭載された機器の側面配置の一例を示す側面配置図である。
【図３】第１実施例の燃料電池車１０に搭載された燃料電池スタック２２を中心とする燃料電池システム２０の構成の概略を示すシステム構成図である。
【図４】第２実施例の燃料電池車１１０における放出口１６４および導風路１８０の配置を例示する平面配置図である。
【図５】第２実施例の燃料電池車１１０に搭載された機器の側面配置の一例を示す側面配置図である。
【図６】第２実施例の変形例の燃料電池車１１０Ｂにおける放出口１６４とダクト１８０Ｂの配置を例示する平面配置図である。
【図７】第２実施例の変形例の燃料電池車１１０Ｂにおける放出口１６４とダクト８０Ｂの配置を例示する側面配置図である。
【図８】第３実施例の燃料電池車２１０における放出口２６４の取り付け位置を説明する説明図である。
【図９】図８におけるＡ−Ａ断面を拡大して例示する拡大断面図である。
【図１０】図８におけるＢ−Ｂ断面を拡大して表示する拡大断面図である。
【図１１】第４実施例の燃料電池車３１０に搭載された機器の平面配置の一例を示す平面配置図である。
【図１２】第４実施例の燃料電池車３１０における排気管３４７と気液分離器３４８の配置の一例を示す側面配置図である。
【図１３】第４実施例の燃料電池車３１０に搭載された燃料電池スタック２２を中心とする燃料電池システム３２０の構成の概略を示すシステム構成図である。
【図１４】第４実施例の燃料電池車３１０の空気給排系４０における放出系の構成の一例を示す構成図である。
【図１５】放出された水と排ガスと走行風との関係を説明する説明図である。
【図１６】第４実施例における空気給排系４０の放出系の変形例の構成の概略を示す構成図である。
【図１７】第４実施例における空気給排系４０の放出系の変形例の構成の概略を示す構成図である。
【図１８】変形例における放出された水と排ガスや空気と走行風との関係を説明する説明図である。
【図１９】第４実施例における空気給排系４０の放出系の変形例の構成の概略を示す構成図である。
【図２０】第４実施例における空気給排系４０の放出系の変形例の構成の概略を示す構成図である。
【図２１】第４実施例における空気給排系４０の放出系の変形例の構成の概略を示す構成図である。
【図２２】変形例における放出された水と排ガスや空気と走行風との関係を説明する説明図である。
【図２３】第４実施例における空気給排系４０の放出系の変形例の平面配置を説明するための平面配置図である。
【図２４】第４実施例における空気給排系４０の放出系の変形例の側面配置を説明するための側面配置図である。
【図２５】第４実施例における空気給排系４０の放出系の変形例の構成の概略を示す構成図である。
【図２６】変形例における放出された水と排ガスと走行風との関係を説明する説明図である。
【図２７】第５実施例の燃料電池車４１０に搭載された機器の平面配置の一例を示す平面配置図である。
【図２８】放出管４５０の構造と機能とを説明する説明図である。
【図２９】第５実施例における空気給排系４０の放出系の変形例の構造と機能とを説明する説明図である。
【図３０】第５実施例における空気給排系４０の放出系の変形例の構成の一例を示す構成図である。
【図３１】第５実施例における空気給排系４０の放出系の変形例の構成の一例を示す構成図である。
【図３２】変形例のエアカーテンの形成位置を例示する説明図である。
【図３３】変形例のエアカーテンの形成位置を例示する説明図である。
【図３４】第６実施例の燃料電池車５１０に搭載された機器の平面配置の一例を示す平面配置図である。
【図３５】第６実施例の燃料電池車５１０における排ガス系の配置の一例を示す側面配置図である。
【図３６】第６実施例の燃料電池車５１０に搭載された燃料電池スタック２２を中心とする燃料電池システム５２０の構成の概略を示すシステム構成図である。
【図３７】放出機構５５０の構成と排ガスの放出の様子を示す説明図である。
【図３８】変形例の放出機構５５０Ｂの構成と排ガスの放出の様子を示す説明図である。
【図３９】第７実施例としての車両１０１０の概略構成を示す説明図である。
【図４０】バッファタンク１０２７の作用を示す説明図である。
【図４１】第８実施例としての排気系の構造を示す説明図である。
【図４２】変形例としての排気系の構造を示す説明図である。
【図４３】変形例としての排気系の構造を示す説明図である。
【発明を実施するための形態】
【００７１】
次に、本発明を実施するための最良の形態を実施例を用いて説明する。
【実施例１】
【００７２】
図１は本発明の第１実施例の燃料電池車１０に搭載される機器の平面配置の一例を示す平面配置図であり、図２は第１実施例の燃料電池車１０に搭載される機器の側面配置の一例を示す側面配置図であり、図３は実施例の燃料電池車１０に搭載された燃料電池スタック２２を中心とする燃料電池システム２０の構成の概略を示すシステム構成図である。説明の容易のために、まず、図３のシステム構成図を用いて燃料電池システム２０のシステム構成について説明し、その後、図１および図２を用いて燃料電池システム２０の各機器の配置について説明する。
【００７３】
第１実施例の燃料電池車１０が搭載する燃料電池システム２０は、例えば高分子により形成された電解質膜を二つの電極（燃料極と空気極）で狭持してなる単電池ユニットを複数積層して構成した燃料電池スタック２２と、この燃料電池スタック２２の燃料極（負極）に高圧水素タンク３１からの水素を供給する水素供給系３０と、燃料電池スタック２２の空気極（正極）に空気を供給すると共に空気極からの排気を処理する空気給排系４０と、燃料電池スタック２２を冷却する冷却系５０と、システムからの排ガスや発生した水を外部に放出する放出系６０とを備える。
【００７４】
水素供給系３０は、燃料電池スタック２２の内側に形成された燃料極への水素の供給用の流路に高圧水素タンク３１からの水素を供給する水素供給流路３２と、燃料電池スタック２２の内側に形成された燃料極からの未反応の水素の排出用の流路からの水素を水素供給流路３２に戻す水素循環路３３とを備える。水素供給流路３２には、高圧水素タンク３１からの水素が逆流しないようにするための逆流防止弁（チェック弁）や燃料電池スタック２２への水素の供給や供給停止を行なうための仕切弁などが設けられている。水素循環路３３には、水素を水素供給流路３２に圧送するための水素ポンプ３４や、循環している水素中の水蒸気を液化することにより気液分離する気液分離器３８、水素供給流路３２側の水素が逆流しないようにするための逆流防止弁（チェック弁）、燃料電池スタック２２からの水素の排出を停止するための仕切弁などが設けられている。また、水素供給流路３２や水素循環路３３に燃料電池スタック２２に供給する水素の供給量や燃料電池スタック２２の運転状態を制御するために用いられる各種センサ、例えば、燃料電池スタック２２の流入口や水素ポンプ３４の吐出側に設けられた圧力センサや燃料電池スタック２２の出口近傍や水素ポンプ３４の吐出側に設けられた温度センサなどが取り付けられている。気液分離器３８により分離された水は、放出系６０が複数備えるバッファタンク６２ａ〜６２ｃに送られる。なお、水素循環路３２には仕切弁を介して分岐管が取り付けられており、この分岐管により水素循環路３２内の水素は放出系６０の希釈器６１に導入され、希釈されて大気に開放される。
【００７５】
空気給排系４０では、マスフローメータ４３により計量されエアコンプレッサ４４により加圧された空気を加湿器４６により加湿して供給管４２により燃料電池スタック２２の空気極に供給する。燃料電池スタック２２の空気極からの空気（排ガス）は、加湿器４６に供給されてエアコンプレッサ４４からの空気を加湿し、その後、気液分離器４８により気液分離される。気液分離器４８で分離された水はバッファタンク６２ａ〜６２ｃに送られ、分離された気体（排ガス）は希釈器６１に送られて希釈用のガスとして用いられて大気に開放される。ここで、実施例の気液分離器４８は、気液を完全に分離するものではなく、不完全に分離するものを意味する。即ち、気液分離器４８により分離された気体は、完全に乾燥した気体ではなく、不完全飽和或いは完全飽和若しくは過飽和の水蒸気を含む気体であったり、こうした水蒸気に加えて微小な液滴としての水をも含む気体である。
【００７６】
冷却系５０は、燃料電池スタック２２の内側に形成された冷却水用流路とにより冷却水の循環路を形成する冷却水循環路５２に冷却水を循環させることにより燃料電池スタック２２を冷却する。冷却水循環路５２には、冷却水を循環させるための冷却水ポンプ５４や循環する冷却水を空気を用いて冷却するファン付きのラジエータ５６が設けられている。また、冷却水の温度管理を行なうために冷却水循環路５２における燃料電池スタック２２からの出口近傍とラジエータ５６の後段に冷却水の温度を検出する温度センサが取り付けられている。
【００７７】
放出系６０は、水素供給系３０の気液分離器３８や空気給排系４０の気液分離器４８で分離した水をバッファタンク６２ａ〜６２ｃに一旦蓄えてから複数の放出口（第１実施例では、二つの放出口）６４ｂ，６４ｃから放出する水放出系と、空気給排系４０の気液分離器４８で分離した排ガスを希釈器６１で希釈ガスとして用いて水素供給系３０から排気される水素を希釈して放出するガス放出系とから構成されている。
【００７８】
こうした燃料電池システム２０は、各種センサからの信号に基づいて水素ポンプ３４やエアコンプレッサ４４，冷却水ポンプ５４を駆動したり各仕切弁や流量調節弁の開度を調節することにより燃料電池スタック２２を制御すると共に図示しない走行用のモータを制御するパワーコントロールユニット（以下、ＰＣＵという）７０や充放電可能な二次電池，モータ駆動用のインバータなども備えるが、これらについては本発明の中核をなさないから、その図示や詳細な説明については省略する。
【００７９】
図１および図２に示すように、燃料電池スタック２２は車両前部の中央下部に横たわるように配置され、その上に、ＰＣＵ７０が配置されている。燃料電池スタック２２の左側前部のフェンダ内には、加湿器４６とエアコンプレッサ４４とが配置されており、燃料電池スタック２２の右側前部のフェンダ内には、バッファタンク６２ａが配置されている。燃料電池スタック２２の前方には、ラジエータ５６が配置され、その前方には乗員室内の空気調節を行なうエアコンディショナー用のラジエータ７２が配置されている。また、前部のバンパー内側の左右下部には、バッファタンク６２ｂ，６２ｃが取り付けられている。更に、運転席（右ハンドル用の車両における運転席）の前方右下部には、空気給排系４０の気液分離器４８が配置されている。この他、車両前部には水素ポンプ３４や冷却水ポンプ５４，気液分離器３８が配置され、車両前部或いは中央部もしくは後部には希釈器６１が配置されているが、これらの図示は省略した。
【００８０】
バッファタンク６２ａは、水素供給系３０の気液分離器３８や空気給排系４０の気液分離器４８と図示しない連絡管により接続されていると共にバンパーの左右下部に配置されたバッファタンク６２ｂ，６２ｃと図示しない配水管により接続されており、気液分離器３８や気液分離器４８により分離された水はフェンダ内に配置されたバッファタンク６２ａに蓄えられ、その後、バンパー内に配置された左右のバッファタンク６２ｂ，６２ｃに送られる。バッファタンク６２ａには、エア抜き用の穴が形成されており、バッファタンク６２ａ〜６２ｃ内の圧力が高くなるのを抑制できるようになっている。バンパー内に配置されたバッファタンク６２ｂとバッファタンク６２ｃは、図示しない放水管により左右前輪のフェンダの前部内側に取り付けられた同一形状の二つの放出口６４ｂ，６４ｄに接続されており、バッファタンク６２ｂやバッファタンク６２ｃに蓄えられた水は放出口６４ｂや放出口６４ｃから放出されるようになっている。放出口６４ｂと放出口６４ｃは、放出可能な単位時間当たりの水量が燃料電池スタック２２に最大負荷を与えたときに燃料電池スタック２２により発電に伴って生成される単位時間当たりの水量より小さくなるように、その放水断面が設計されている。第１実施例の燃料電池車１０では、一般的な運転パターンによる走行をしたときに燃料電池スタック２２で生成される単位時間当たりの平均水量かこれより若干多い水量が放出口６４ｂと放出口６４ｃとから放出されるよう放出口６４ｂと放出口６４ｃの放水断面が設計されている。
【００８１】
以上構成を説明した第１実施例の燃料電池車１０では、燃料電池スタック２２により生成された水、即ち水素供給系３０の気液分離器３８により分離された水や空気給排系４０の気液分離器４８により分離された水は、一旦、右フェンダ内のバッファタンク６２ａに蓄えられ、その後、バンパーの左右下部に配置されたバッファタンク６２ｂ，６２ｃで貯留し、前輪のフェンダの前部内側に配置された放出口６４ｂと放出口６４ｃとから放出される。このように、燃料電池スタック２２からの生成水をバッファタンク６２ａやバッファタンク６２ｂ，６２ｃで蓄えてから放出するから、燃料電池スタック２２に大きな負荷を作用させたときに燃料電池スタック２２で生成される水を直ちに放出するものに比して、放出する水量を少なくすることができる。このため、放出した水が走行風によって巻き上げられて飛散する際における飛散水量を抑制することができる。また、放出口６４ｂと放出口６４ｃを前輪のフェンダの前部に配置したから、放出口６４ｂと放出口６４ｃを前輪のフェンダの後部や後輪のフェンダに配置したものに比して、放出した水が走行風によって巻き上げられて飛散するのを抑制することができる。さらに、放出口６４ｂと放出口６４ｃを走行風の影響が小さいフェンダの内側に配置したから、放出した水が走行風によって巻き上げられて飛散するのを抑制することができる。これらの結果、後方や側方を走行する車両に放出した水が飛散してかかる等の不都合を抑制することができる。
【００８２】
第１実施例の燃料電池車１０では、燃料電池スタック２２からの生成水を右フェンダ内のバッファタンク６２ａで蓄え、その後、バンパーの左右下部のバッファタンク６２ｂ，６２ｃで貯留した後に前輪のフェンダの前部内側に取り付けられた放出口６４ｂ，６４ｃから放出するものとしたが、バンパーの左右下部にバッファタンク６２ｂ，６２ｃを設けず、燃料電池スタック２２からの生成水を右フェンダ内のバッファタンク６２ａで蓄えた後に放出口６４ｂ，６４ｃから放出するものとしてもよいし、右フェンダ内にバッファタンク６２ａを設けず、燃料電池スタック２２からの生成水をバンパーの左右下部のバッファタンク６２ｂ，６２ｃで貯留した後に放出口６４ｂ，６４ｃから放出するものとしてもよい。また、右フェンダ内のバッファタンク６２ａもバンパーの左右下部のバッファタンク６２ｂ，６２ｃも設けず、燃料電池スタック２２からの生成水を直接に放出口６４ｂ，６４ｃから放出するものとしても差し支えない。この場合、単位時間当たりの放出水量を略均等にできないものの、生成水を前輪のフェンダの前部から放出する効果については同様に奏することができる。
【００８３】
第１実施例の燃料電池車１０では、燃料電池スタック２２からの生成水を前輪のフェンダの前部内側に取り付けられた左右二つの放出口６４ｂ，６４ｃから放出するものとしたが、放出口を三つ以上設けて放出するものとしてもよいし、放出口６４ｂ，６４ｃのいずれか一方だけから放出するものとしてもよい。また、第１実施例の燃料電池車１０では、放出口６４ｂと放出口６４ｃとを同一形状に形成するものとしたが、異なる形状、例えば、放出口６４ｂからの単位時間当たりの放出水量が放出口６４ｃからの単位時間当たりの放出水量より大きくなるよう、その形状を形成するものとしてもよい。
【００８４】
第１実施例の燃料電池車１０では、燃料電池スタック２２から排出される未反応の水素を水素循環路３３により水素供給流路３２に循環させるものとしたが、こうした水素循環路３３を備えないものとしてもよい。
【００８５】
第１実施例の燃料電池車１０では、空気給排系４０の気液分離器４８として完全に気液分離できないタイプのものを用いたが、完全に気液分離が可能なタイプのものを用いるものとしてもよい。
【実施例２】
【００８６】
次に、本発明の第２実施例の燃料電池車１１０について説明する。図４は第２実施例の燃料電池車１１０の放出口１６４の平面配置を例示する平面配置図であり、図５は第２実施例の燃料電池車１１０に搭載される機器の側面配置の一例を示す側面配置図である。第２実施例の燃料電池車１１０は、バッファタンク６２ｂ，６２ｃを備えない点やバッファタンク６２ａに蓄えられた水を外部に放出する放出口１６４の配置が異なる点と放出口１６４近傍へ走行風を導く導風路１８０が設けられている点とを除いて第１実施例の燃料電池車１０と同一の構成をしている。従って、重複した説明を避けるため、第２実施例の燃料電池車１１０の構成のうち第１実施例の燃料電池車１０の構成と同一の構成については同一の符号を付し、その図示や詳細な説明については省略する。
【００８７】
第２実施例の燃料電池車１１０では、バッファタンク６２ａは図示しない管路により運転席側（右ハンドルの車両の場合は右側）の前輪のフェンダの後部内側に鉛直下向きに水を放出する放出口１６４に接続されており、バッファタンク６２ａに蓄えられてた水は放出口１６４から放出されるようになっている。第２実施例の燃料電池車１１０では、前方から流入した空気を前輪後方から側後方に排出する空気の通り道としての導風路１８０が車両前部のフェンダなどにより構成されている。この導風路１８０は、フェンダ内の放出口１６４が取り付けられた付近で車両の側後方約４５度の角度で空気が排出されるよう構成されている。
【００８８】
次に、こうして構成された第２実施例の燃料電池車１１０における放出口１６４からの放水の様子について説明する。車両が走行しているときに放出口１６４から放水すると、放出口１６４からの水は、車両の走行に伴って導風路１８０により導かれる空気の流れによって車両の側後方に飛ばされるようになる。このように、放出口１６４から放出された水を車両の側後方に飛ばすようにするのは、車両の走行に伴って生じる走行風により放出した水が巻き上げられるのを抑制するためである。走行風の影響は、車両の横幅の範囲における後方が強く、特に中央付近の後方が強い傾向がある。車両の側方では、その距離に応じて走行風の影響は減少する。従って、車両の側後方に向けて放水することにより、走行風の影響を小さくし、走行風により放出した水が巻き上げられるのを抑制することができるのである。第２実施例では、車両を走行させたときに放出口１６４から放出された水が車両の側方向における路上の障害物に対して通常必要とする距離未満の距離（例えば、６０ｋｍ／ｈの走行に対して約５０ｃｍ程度）だけ離れた路面に到達するよう導風路１８０における放出口１６４近傍の空気の流速と導風路１８０における側後方の角度が調整されている。このため、走行中に放出口１６４から水を放出しても路上の障害物に水がかかるのを抑止することができる。特に、前述したように、第２実施例では放出口１６４は運転席側（通常、対向車に対する側であって道路の中央側）に設けられているから、走行中に放出口１６４から放出された水が路肩を歩いている人や道路に面した建造物にかかるのを抑止することができる。また、第２実施例では、放出口１６４は鉛直下向きに水を放出するよう取り付けられているから、水の放出する際に水に下向きの力を作用させることができる。このため、水が自由落下する場合に比して迅速に路面に到達させることができる。従って、放出された水が路面に到達するまでに走行風等の外乱により巻き上げられるのを抑制することができる。一方、車両が停止しているときに放出口１６４から水を放出すると、放出口１６４は車両のシルエット内で鉛直下向きに水を放出するよう取り付けられているから、車両のシルエット内に水を放出することができる。即ち、車両の間近にいる人などに水をかけることがない。
【００８９】
以上説明した第２実施例の燃料電池車１１０によれば、放出口１６４を運転席側の前輪のフェンダの後部内側に鉛直下向きに水を放出するよう配置すると共に車両前方から導入された空気を放出口１６４近傍において車両の側後方約４５度の角度で放出するよう導風路１８０を構成したことにより、走行中に放出口１６４から放出された水を車両の側後方に飛ばすようにして、放出された水が走行風によって巻き上げられるのを抑止することができる。この結果、後続の車両に放出した水が飛散してかかる等の不都合を抑制することができる。しかも、放出口１６４を運転席側に設けたから、走行中に放出口１６４から放出された水が路肩を歩いている人や道路に面した建造物にかかるのを抑止することができる。また、鉛直下向きに水を放出するよう放出口１６４を取り付けたから、水を迅速に路面まで到達させることができる。さらに、放出口１６４を車両のシルエット内で鉛直下向きとなるよう取り付けたから、停車中に放出口１６４から放出した水が車両の間近にいる人などにかけるのを防止することができる。
【００９０】
第２実施例の燃料電池車１１０では、車両前方から導入された空気を前輪の後方から側後方約４５度の角度で放出するよう導風路１８０を構成したが、空気を導いて放出口１６４近傍において車両の側後方約４５度の角度で放出すればよいから、導風路１８０以外に空気をガイドする部材を設けたり、図６の平面配置図や図７の側面配置図に例示する変形例の燃料電池車１１０Ｂのように、車両前方から導入された空気を放出口１６４近傍において車両の側後方約４５度の角度で放出するダクト１８０Ｂを設けるものとしてもよい。このダクト１８０Ｂは、図７に示すように、空気と共に放出口１６４から放出される水が車両の側後方約４５度の角度で放出される際に、放出される速度成分として鉛直下向きの成分が含まれるよう、下向きに折れ曲がっている。このため、放出された水は、鉛直下向きの成分を有する空気の流れにより、空気の流れがないときに比して短時間で路面に到達するようになる。この結果、水が路面に到達する最中に走行風によって巻き上げられるのを抑制することができる。
【００９１】
第２実施例の燃料電池車１１０では、空気を導いて放出口１６４近傍において車両の側後方約４５度の角度で放出するものとしたが、車両の側方に放出すればよいから、その角度は４５度に限定されるものではなく、如何なる角度であっても構わない。好ましい角度の範囲としては約１５度〜７５度の範囲や３０度〜６０度の範囲などが考えられる。
【００９２】
第２実施例の燃料電池車１１０では、放出口１６４を運転席側の前輪のフェンダの後部内側に設けたが、運転席側の前輪のフェンダの前部内側に設けたり、運転席側の後輪のフェンダの前部や後部の内側に設けたり、助手席側の前輪のフェンダの前部や後部の内側あるいは助手席側の後輪のフェンダの前部や後部の内側に設けるものとしても構わない。また、放出口１６４をフェンダ以外の部位に設けるものとしても差し支えない。
【実施例３】
【００９３】
次に、本発明の第３実施例の燃料電池車２１０について説明する。図８は第３実施例の燃料電池車２１０における放出口２６４の取り付け位置を説明する説明図である。第３実施例の燃料電池車２１０は、バッファタンク６２ｂ，６２ｃを備えない点やバッファタンク６２ａに蓄えられた水を外部に放出する放出口２６４の配置が異なる点とを除いて第１実施例の燃料電池車１０と同一の構成をしている。従って、重複した説明を避けるため、第３実施例の燃料電池車２１０の構成のうち第１実施例の燃料電池車１０の構成と同一の構成については同一の符号を付し、その図示や詳細な説明については省略する。
【００９４】
第３実施例の燃料電池車２１０では、バッファタンク６２ａに管路２６３により接続された放出口２６４は、運転席側の前輪の懸架装置におけるばね下部材を構成するロアアーム２８２にエアダム２８３を用いて取り付けられている。図９は図８におけるＡ−Ａ断面を拡大して例示する拡大断面図であり、図１０は図８におけるＢ−Ｂ断面を拡大して表示する拡大断面図である。エアダム２８３は、図示するように、ロアアーム２８２への取り付け位置までの環状部２８４と、その下側の半円部２８５とにより構成されている。環状部２８４は、略半円形の断面をしており、その直径近傍の取付部２８４ａの内側に放出口２６４が取り付けられている。また、取付部２８４ａの外側はロアアーム２８２に取り付けられている。環状部２８４の車両前方側（図９中左側）には車両の前方からの風（走行風）の方向を斜め下方向に変更するよう屈曲部２８４ｂが形成されている。エアダム２８３の半円部２８５は、車両の前方からの風（走行風）が放出口２６４から放出された直後の水に当たらないように放出口２６４の車両前方を覆うように配置されている。
【００９５】
次に、こうして構成された第３実施例の燃料電池車２１０における放出口２６４からの放水の様子について説明する。走行中に放出口２６４から放出された水は、エアダム２８３の半円部２８５の下端に至るまでは、半円部２８５によって囲まれていることから走行風の影響は受けず、車両に対して鉛直直下方向に落下する。半円部２８５の下端以降に落下した水は、走行風の影響を受けることになるが、放出した水に直接影響を与える位置の走行風は、図９に示すように、エアダム２８３の屈曲部２８４ｂの存在により鉛直下向きの成分を持つようにその方向が変えられるから、水には鉛直下向きの力が作用するようになる。このため、水の落下速度は大きくなり、落下した水は迅速に路面に至るようになる。また、放出口２６４は路面の凹凸に伴って車輪と共に上下運動する懸架装置のばね下部材を構成するロアアーム２８２に取り付けられているから、放出口２６４から放出された水は迅速に路面に到達する。
【００９６】
以上説明した第３実施例の燃料電池車２１０によれば、路面の凹凸に伴って車輪と共に上下運動する懸架装置のばね下部材を構成するロアアーム２８２に放出口２６４を取り付けることにより、放出口２６４から放出された水を迅速に路面に到達させることができる。この結果、車両から放出された水が路面に到達するまでに走行風によって巻き上げられるのを抑制することができる。しかも、エアダム２８３により放出口２６４から放出された水の放出直後における走行風の影響を抑止することができる。この結果、放出された水を迅速に路面に到達させることができる。さらに、エアダム２８３の半円部２８５の下端を超えて落下した水に対して鉛直下向きの成分を持つ走行風が影響するようにエアダム２８３を構成したから、放出した水が路面に到達するまでの時間を短くすることができる。この結果、車両から放出された水が路面に到達するまでに走行風によって巻き上げられるのを抑制することができる。これらの結果、後方や側方を走行する車両に放出した水が飛散してかかる等の不都合を抑制することができる。
【００９７】
第３実施例の燃料電池車２１０では、放出した水に直接影響を与える位置の走行風が鉛直下向きの成分を持つように屈曲部２８４ｂを設けたが、屈曲部２８４ｂを設けず、放出した水に直接影響を与える位置の走行風が鉛直下向きの成分を持たないようにしても差し支えない。
【００９８】
また、第３実施例の燃料電池車２１０では、放出口２６４から放出した直後の水に走行風の影響が生じないようにエアダム２８３を設けるものとしたが、こうしたエアダム２８３を設けないものとしても差し支えない。
【００９９】
第３実施例の燃料電池車２１０では、放出口２６４を運転席側の前輪の懸架装置のばね下部材を構成するロアアーム２８２に取り付けたが、放出口２６４を運転席側の後輪の懸架装置のばね下部材を構成するロアアームに取り付けるものとしたり、放出口２６４を助手席側の前輪または後輪の懸架装置のばね下部材を構成するロアアームに取り付けるものとしても差し支えない。この場合、放出口２６４を、運転席側の前輪の懸架装置のばね下部材を構成するロアアーム２８２と助手席側の前輪の懸架装置のばね下部材を構成するロアアームとに取り付けるなど、複数取り付けるものとしてもよい。
【実施例４】
【０１００】
次に、本発明の第４実施例の燃料電池車３１０について説明する。図１１は第４実施例の燃料電池車３１０に搭載される機器の平面配置の一例を示す平面配置図であり、図１２は第４実施例の燃料電池車３１０における気液分離器３４８の配置の一例を示す側面配置図であり、図１３は第４実施例の燃料電池車３１０に搭載された燃料電池スタック２２を中心とする燃料電池システム３２０の構成の概略を示すシステム構成図である。第４実施例の燃料電池車３１０が搭載する燃料電池システム３２０は、図１３に示すように、空気給排系４０における排気が異なる点と希釈器６１に空気を導入して希釈する点を除いて第１実施例の燃料電池車１０が搭載する燃料電池システム２０と同一の構成をしている。従って、重複した説明を避けるため、第４実施例の燃料電池車３１０が搭載する燃料電池システム３２０の構成のうち第１実施例の燃料電池車１０が搭載する燃料電池システム２０の構成と同一の構成については同一の符号を付し、その詳細な説明については省略する。なお、第４実施例の燃料電池車３１０の燃料電池システム３２０以外の構成についても第１実施例の燃料電池車１０が備える構成と同一の構成については同一の符号を付して用いる。
【０１０１】
第４実施例の燃料電池車３１０が搭載する燃料電池システム３２０は、図１３に示すように、燃料電池スタック２２からの発電に伴う生成水を水蒸気として含む排ガスは、加湿器４６に供給されてエアコンプレッサ４４により加圧され供給管４２によって燃料電池スタック２２に供給される空気を加湿し、その後、図１１および図１２に示すように、排気管３４７によって運転席側の後輪近傍に配置された気液分離器３４８に導かれ、気液分離が行なわれて排気屈曲管３４９を介して大気に開放される。
【０１０２】
図１４に気液分離器３４８と排気屈曲管３４９の構成の一例を示す。気液分離器３４８は、リボン式の気液分離器として構成されており、排気管３４７により導かれた排ガスが螺旋状に旋回するようにその内部がねじれている。即ち、排ガスを螺旋回させることによって水滴に遠心力を作用させ、この力により水滴を壁面に収集することにより気液分離するのである。従って、気液分離器３４８により分離される気体は、水蒸気や微小な液滴としての水を含むものとなる。排気屈曲管３４９は、気液分離器３４８の取り付け部から直線上に延びた後に鉛直下方に屈曲するように形成されていると共にこの屈曲部を路面に対して略水平にカットするように排気口３４９ａが形成されている。排気屈曲管３４９の排気口３４９ａは、図１１および図１２に示すように、排出される水に対する走行風の影響が小さくなるよう運転者側の後輪の後部に配置されている。
【０１０３】
次に、こうして構成された第４実施例の燃料電池車３１０における水の放出の様子について説明する。排気管３４７により気液分離器３４８に導かれた排ガス中の水は、遠心分離作用により気液分離器３４８の壁面に収集され、排ガスの流れによって排気屈曲管３４９の壁面を後方に移動する。こうして移動する水は、その表面張力と排ガスの流れにより、排気口３４９ａの最後部に集合して路面に向けて放出される。気液分離器３４８で分離されたガスは、排気口３４９ａのほぼ全体から排気口３４９ａの最後部から放出された水と略同一の方向に向けて排出される。排気口３４９ａは、前述したように、放出される水に対する走行風の影響が小さくなるように運転者側の後輪の後部に配置されているが、走行風の影響を全く受けない訳ではない。排気口３４９ａから排出された水と排ガスと走行風との関係を説明する説明図を図１５に示す。図示するように、排気口３４９ａのほぼ全体から排出される排ガスは、排気口３４９ａの最後部から放出された水に対して走行風を遮るエアカーテンの役目をする。このため、排気口３４９ａから排出された水が走行風によって巻き上げられるのが抑制される。こうした排ガスによるエアカーテンは、放出された水の走行風による運動を規制するものとも言うことができる。
【０１０４】
以上説明した第４実施例の燃料電池車３１０によれば、遠心分離作用により気液分離する気液分離器３４８と鉛直下方に屈曲すると共にこの屈曲部を路面に対して略水平にカットするように形成された排気口３４９ａを有する排気屈曲管３４９とを用いることにより、分離した水を排気口３４９ａの最後部から放出する吐共に排気口３４９ａの全体から排ガスを放出することができる。このように水と排ガスを放出することにより、放出された排ガスは放出された水に対して走行風を遮るエアカーテンのように機能するから、放出された水が走行風によって巻き上げられるのを抑制することができる。しかも、排気口３４９ａを走行風の影響が小さな運転者側の後輪の後部に配置したから、排気口３４９ａから放出される水が走行風に巻き上げられるのを更に抑制することができる。これらの結果、後方や側方を走行する車両に放出した水が飛散してかかる等の不都合を抑制することができる。
【０１０５】
第４実施例の燃料電池車３１０では、鉛直下方に屈曲すると共にこの屈曲部を路面に対して略水平にカットするように形成された排気口３４９ａを有する排気屈曲管３４９を用いるものとしたが、気液分離器３４８からの水と排ガスとを略水平に鉛直下方に屈曲することなく運転者側の後輪の後部に導くと共に閉口した端部近傍に下部に排気口が形成された排気管を用いるものとしてもよい。この場合でも、気液分離器３４８により分離された水は排ガスの流れによって排気管の壁面を後方に移動すると共に排気口の最後部近傍から放出され、排ガスは閉口した端部により排気口から鉛直下向きの成分をもって排出されるから、第４実施例の燃料電池車３１０と同様の効果を奏することができる。なお、排気口は、閉口した端部の下部を含むように形成してもよいし、端部から若干離れた部位の下部に形成するものとしてもよい。
【０１０６】
第４実施例の燃料電池車３１０では、気液分離器３４８により分離した水が排ガスの流れによって排気口３４９ａの最後部から放出されると共に排気口３４９ａのほぼ全体から排ガスが放出されるように排気屈曲管３４９の形状を構成したが、図１５に示すように、放出された水に対して走行風を遮るように排ガスが放出されればよいから、例えば、図１６の変形例に示すように、気液分離器３４８Ｂにより分離した排ガスと水とをそれぞれ排ガス管３４９Ｂと放水管３４９ｂとによって導き、車両の進行方向に対して放水管３４９ｂの放出口が排ガス管３４９Ｂの放出口の後方になるよう放水管３４９ｂと排ガス管３４９Ｂとを配置して水と排ガスとを放出するものとしてもよい。この場合、水の放出の方向と排ガスの放出の方向とが略同一方向となるのが望ましい。また、放出された水に対して走行風を遮る気体は燃料電池スタック２２からの排ガスである必要はなく、空気を用いて放出された水に対する走行風を遮るものとしてもよい。例えば、図１７の変形例に示すように、車両前方からの走行風を導くダクト３５０の空気の放出口を気液分離器３４８Ｃからの水を放出する放水管３４９ｃの放出口の前方に配置するものとしてもよい。
【０１０７】
このように、気液分離器３４８により分離されて放出された水に対して走行風を遮るように排ガスや空気を用いればよいから、図１８の説明図に示すように、放出された水の周囲を取り囲むようにして排ガスを放出したり、空気を導くものとしてもよい。例えば、図１９の変形例に示すように、気液分離器３４８Ｄにより分離した排ガスと水とをそれぞれ排ガス管３４９Ｄと放水管３４９ｄとによって導き、放水管３４９ｄの放出口が排ガス管３４９Ｄの放出口の中央となるよう配管３４９Ｄ，３４９ｄを配置して水と排ガスとを放出するものとしてもよいし、図２０の変形例に示すように、気液分離器３４８Ｅにより分離した水を放出する放水管３４９ｅの放出口が車両前方からの空気を導くダクト３５０Ｅの放出口の中央となるよう放水管３４９ｅとダクト３５０Ｅとを配置して水を放出するものとしてもよい。さらに、図２１の変形例に示すように、気液分離器３４８Ｆにより分離した水を放出する放水管３４９ｆの放出口が同じく気液分離器３４８Ｆにより分離した排ガスを放出する排ガス管３４９Ｆの放出口の中央となると共にこの排ガス管３４９Ｆの放出口が車両前方からの空気を導くダクト３５０Ｆの放出口の中央となるよう放水管３４９ｆと排ガス管３４９Ｆとダクト３５０Ｆとを配置するものとしてもよい。この場合、気液分離器３４８Ｆにより分離されて放出された水は、図２２の説明図に示すように、排ガスと空気とにより二重のエアカーテンをもって走行風から遮られることになる。こうすれば、排ガス中に含まれる微小な液滴としての水をも走行風に巻き上げられるのを抑制することができる。
【０１０８】
また、気液分離器３４８により分離され放出された水に対して走行風を遮るようにすればよいから、気液分離器３４８により分離された排ガスや空気以外の気体を用いて放出された水に対する走行風を遮るものとしてもよい。例えば、図２３および図２４に例示する変形例の燃料電池車３１０Ｇに示すように、燃料電池スタック２２を冷却するラジエータ３５６をそのファンによる風が鉛直下方に向くように車両の床近傍に配置し、気液分離器３４８Ｇにより分離した水の配管３４９ｇの放出口をラジエータ３５６のファン風の中央となるよう配置するものとしてもよい。こうすれば、ラジエータ３５６のファン風により気液分離器３４８Ｇにより分離して放出された水に対する走行風を遮ることができる。なお、この場合、気液分離器３４８Ｇにより分離した排ガスは、その排ガス管３４９Ｇにより車両後方から放出されることになる。
【０１０９】
さらに、気液分離器３４８により分離されて放出された水に対して走行風を遮るように排ガスや空気を用いればよいから、排ガスや空気の放出口の断面形状は円形である必要はなく、断面形状は如何なる形状であっても差し支えない。
【０１１０】
第４実施例の燃料電池車３１０では、加湿器４６からの排ガスを気液分離器３４８で気液を分離し、分離した水と排ガスとを運転席側の後輪の後方から放出するものとしたが、分離した水と排ガスとを放出する位置は運転席側の後輪の後方に限られず、例えば、運転席側の後輪の前方や助手席側の後輪の後方あるいは前方，運転席側あるいは助手席側の前輪の後方また前方，車両の中央後部あるいは中央前部など、如何なる位置としても構わない。
【０１１１】
第４実施例の燃料電池車３１０では、加湿器４６からの排ガスを気液分離器３４８により気液分離し、分離され放出された水に対して走行風が遮られるよう排ガスを放出するものとしたが、気液分離器３４８を備えず、加湿器４６からの水を含む排ガスをそのまま放出すると共にこの排ガスに対して走行風が遮られるよう空気を調整するものとしてもよい。例えば、図２５の変形例に示すように、加湿器４６からの排気管３４７Ｈの放出口が車両前方からの空気を導くダクト３５０Ｈの放出口の中央となるよう排気管３４７Ｈとダクト３５０Ｈとを配置して水を含む排ガスを放出するものとしてもよい。この場合、図２６の説明図に示すように、水を含む排ガスは、周囲の空気により走行風が遮られる。
【実施例５】
【０１１２】
次に、本発明の第５実施例の燃料電池車４１０について説明する。図２７は第５実施例の燃料電池車４１０の空気給排系４０における放出系の平面配置の一例を示す平面配置図である。第５実施例の燃料電池車４１０が搭載する燃料電池システムは、空気給排系４０における排気が異なる点とを除いて第４実施例の燃料電池車３１０と同一の構成をしている。従って、重複した説明を避けるため、第５実施例の燃料電池車４１０の構成のうち第４実施例の燃料電池車３１０の構成と同一の構成については同一の符号を付し、その詳細な説明については省略する。
【０１１３】
第５実施例の燃料電池車４１０が搭載する燃料電池システムは、図１３に例示した第４実施例の燃料電池車３１０が搭載する燃料電池システム３２０と同様に、燃料電池スタック２２からの発電に伴う生成水を水蒸気として含む排ガスは、加湿器４６に供給されてエアコンプレッサ４４により加圧され供給管４２によって燃料電池スタック２２に供給される空気を加湿し、その後、排気管４４７によって運転席側の後輪近傍に導かれ、放出管４５０から大気に開放される。
【０１１４】
図２８は、放出管４５０の構造と機能とを説明する説明図である。図２８中、上部は放出管４５０を上から見た平面図であり、中央は放出管４５０を横から見た際の断面図であり、下部は下方放出部４５２から放出される水と上方放出部４５４から放出される排ガスと走行風との関係を説明する説明図である。放出管４５０は、図示するように、排気管４４７から下方に折れ曲がって後方斜め下側に水と排ガスとを放出する下方放出部４５２と、この下方放出部４５２の上部から上に分岐して下方放出部４５２と並行になるように屈曲しその開口面積を順次大きくして後方斜め下側に排ガスを放出する上方放出部４５４とから構成されている。
【０１１５】
次に、こうして構成された第５実施例の燃料電池車４１０における水の放出の様子について説明する。加湿器４６から排気管４４７を流れる排ガスは排気管４４７内でその一部が気液分離する。分離した水は、排気管４４７の下部を排ガスの流れやその流下によって放出管４５０に流れ、下方放出部４５２から放出される。分離した排ガスは、排気管４４７を流れ、その後、放出管４５０内で下方放出部４５２と上方放出部４５４とに分離して放出される。従って、水の殆どは下方放出部４５２から放出され、排ガスは下方放出部４５２と上方放出部４５４とから放出されることになる。いま、走行している車両の後部の床下から水を滴下したときを考える。通常は、滴下直後の水はその一部が走行風によって巻き上げられ、残余が路面に至る。そして、路面に至った水の一部は路面で飛び散り、その多くが走行風により巻き上げられる。第５実施例の燃料電池車４１０では、放出管４５０の上方放出部４５４から下方放出部４５２から放出された水の後方に幅広のエアカーテンを形成するよう排ガスが放出されるから、この排ガスによるエアカーテンによって落下中の水に対する走行風の影響は小さくなる。また、この排ガスによるエアカーテンによって路面に至って飛び散った水が走行風により巻き上げられるのが抑制される。こうした排ガスによるエアカーテンは、路面に至ってからの水の運動を規制するものとも言うことができる。
【０１１６】
以上説明した第５実施例の燃料電池車４１０によれば、下方に折れ曲がって後方斜め下側に放出する下方放出部４５２と、この下方放出部４５２の上部から上に分岐して下方放出部４５２と並行になるように屈曲しその開口面積が順次大きくなって後方斜め下側に放出する上方放出部４５４とにより放出管４５０を構成することにより、下方放出部４５２から水を放出すると共にこの放出された水の後方に幅広のエアカーテンが形成されるよう上方放出部４５４から排ガスを放出することができる。このように排ガスによるエアカーテンを形成することにより、落下中の水に対する走行風の影響を小さくすることができると共に路面に至って飛び散った水が走行風により巻き上げられるのを抑制することができる。この結果、後方や側方を走行する車両に放出した水が飛散してかかる等の不都合を抑制することができる。
【０１１７】
第５実施例の燃料電池車４１０では、排ガスにより放出された水の後方に幅広のエアカーテンを形成するために、下方放出部４５２と上方放出部４５４とからなる放出管４５０を備えるものとしたが、排ガス以外の気体、例えば空気により放出された水の後方にエアカーテンを形成するものとしてもよい。この場合、図２９の変形例に示すように、排気管４４７をそのまま延長した形状の放出管４５０Ｂと、この放出管４５０Ｂの後方に車両前方から導いた空気により幅広のエアカーテンを形成するダクト４６０とを備えるものとすればよい。
【０１１８】
第５実施例の燃料電池車４１０では、加湿器４６からの排ガスを気液分離器を用いずに排気管４４７により放出管４５０に導いて大気に放出するものとしたが、加湿器４６からの排ガスを気液分離器により気液を分離して放出するものとしてもよい。この場合、図３０の変形例に示すように、排気管４４７に気液分離器４４８Ｃを取り付け、気液分離器４４８Ｃにより分離した水を放出する放水管４５６と、放水管４５６の放出口の後方に気液分離器４４８Ｃにより分離した排ガスにより幅広のエアカーテンが形成されるよう排ガスを放出する排ガス管４５８とを備えるものとしたり、図３１の変形例に示すように、排気管４４７に気液分離器４４８Ｄを取り付け、気液分離器４４８Ｄにより分離した水を放出する放水管４５６と、放出管４５６の放出口の後方に車両前方から導いた空気により幅広のエアカーテンを形成するダクト４６０とを備えるものとすればよい。
【０１１９】
第５実施例の燃料電池車４１０では、放出された水の後方に幅広のエアカーテンを形成するものとしたが、放出された水に対する走行風の影響を小さくしたり、路面に至って飛び散った水が走行風により巻き上げられるのを抑制できればよいから、放出された水の後方以外の部位にエアカーテンを形成するものとしてもよい。例えば、図３２の変形例に示すように、車両にとって排気管４４７からの放出口の内側にエアカーテンを形成するものとしたり、図３３の変形例に示すように、車両にとって排気管４４７からの放出口の外側にエアカーテンを形成するものとしてもよい。これらの場合、エアカーテンは、排ガスによって形成するものとしてもよいし、空気によって形成するものとしてもよい。このように、エアカーテンを形成する位置は放出された水の近傍であればよい。また、放出された水の後方と一方または両方の側方にエアカーテンを形成するなど、放出された水を囲むようにエアカーテンを形成するものとしてもよい。
【０１２０】
第５実施例の燃料電池車４１０では、空気給排系４０の排ガスを排気管４４７によって運転席側の後輪近傍に取り付けられた放出管４５０に導き、この放出管４５０から外部に放出するものとしたが、空気給排系４０の排ガスを助手席側の後輪近傍から放出するものとしたり、空気給排系４０の排ガスを車両の後部中央から放出するものとしても構わない。
【実施例６】
【０１２１】
次に、本発明の第６実施例の燃料電池車５１０について説明する。図３４は第６実施例の燃料電池車５１０に搭載される機器の平面配置の一例を示す平面配置図であり、図３５は第６実施例の燃料電池車５１０における排ガス系の配置の一例を示す側面配置図であり、図３６は第６実施例の燃料電池車５１０に搭載された燃料電池スタック２２を中心とする燃料電池システム５２０の構成の概略を示すシステム構成図である。第６実施例の燃料電池車５１０が搭載する燃料電池システム５２０は、図３６に示すように、空気給排系４０における排気が異なる点を除いて図１３に例示した第４実施例の燃料電池車３１０の燃料電池システム３２０と同一の構成をしている。従って、重複した説明を避けるため、第６実施例の燃料電池車５１０の燃料電池システム５２０の構成のうち第４実施例の燃料電池車３１０の燃料電池システム３２０の構成と同一の構成については同一の符号を付し、その詳細な説明については省略する。なお、第６実施例の燃料電池車５１０の燃料電池システム５２０以外の構成についても第４実施例の燃料電池車３１０が備える構成と同一の構成については同一の符号を付して用いる。
【０１２２】
第６実施例の燃料電池車５１０が搭載する燃料電池システム５２０は、図３６に示すように、燃料電池スタック２２からの発電に伴う生成水を水蒸気として含む排ガスは、加湿器４６に供給されてエアコンプレッサ４４により加圧され供給管４２によって燃料電池スタック２２に供給される空気を加湿し、その後、図３４および図３５に示すように、排気管５４７によって運転席側の後輪近傍に配置された放出機構５５０に導かれ、この放出機構５５０から外部に放出される。
【０１２３】
図３７に放出機構５５０の構成と排ガスの放出の様子を示す。図３７（ａ）は燃料電池スタック２２からの排ガス流量が少ないときの排ガスの放出の様子を示し、図３７（ｂ）は燃料電池スタック２２からの排ガス流量が多いときの排ガスの放出の様子を示す。放出機構５５０は、下側を約４５度の角度をもって切り落とした形状に端部を加工し略水平に配置して排気管５４７に接続された固定管５５１と、取り付け端部を約４５の角度をもって切り落とした形状に加工した短管の可動管５５２とを備え、固定管５５１の端部の先端と可動管５５２の端部の先端とを回転可能にヒンジ５５３により取り付けた構成をしている。可動管５５２は、その固定管５５１からのガスの吐出力によってヒンジ５５３を中心として回転可動する。即ち、可動管５５２は、固定管５５１からのガス流量が多くなってガスの吐出力が大きくなるに従ってガスの放出方向を鉛直下方の方向から水平方向に変更するのである。なお、可動管５５２が可動する方向は、図３４の配置から解るように、車両の側方向の成分と後方向の成分とを有する方向となる。
【０１２４】
次に、こうして構成された第６実施例の燃料電池車５１０における排ガスや燃料電池スタック２２により生成された水の放出の様子について説明する。燃料電池スタック２２からの生成水を含む排ガスは、前述したように、加湿器４６でエアコンプレッサ４４からの空気を加湿した後に排気管５４７を流れて放出機構５５０から放出される。このとき、燃料電池スタック２２の負荷が高いときには燃料電池スタック２２から排出される生成水や排ガス流量が多くなる。従って、燃料電池スタック２２が低負荷で運転されているときには、排ガス流量が少ないため、可動管５５２は鉛直下方に向いた状態で生成水を排ガスと共に外部に放出し、燃料電池スタック２２が高負荷で運転されているときには、排ガス流量が多いため、可動管５５２は車両の側後方の水平方向に向けて可動した状態で生成水を排ガスと共に外部に放出する。燃料電池スタック２２を高負荷で運転する状態は、車両の走行状態としては大きなエネルギが必要なときであるから、車両が比較的高速で走行しているときや低速であっても大きな加速度で加速しているときである。逆に、燃料電池スタック２２を低負荷で運転する状態は、車両の走行状態としては小さなエネルギしか消費していないときであるから、停車状態を含めて車両が比較的低速で走行しているときや減速しているときである。従って、停車状態を含めて車両が比較的低速で走行しているときや減速しているときには、燃料電池スタック２２からの生成水を鉛直下方に向けて外部に放出し、車両が比較的高速で走行しているときや低速であっても大きな加速度で加速しているときには燃料電池スタック２２からの生成水を側後方の水平方向の成分をもって外部に放出することになる。走行中に水を車両の側方に向けて放出すれば、走行風の影響をあまり受けないようにすることができるから、放出された水が走行風により巻き上げられるのを抑制することができ、走行中に水を車両の後方に向けて放出すれば、放出された水の路面に対する相対速度を小さくすることができるから、路面に到達したときに水が飛び散るのを抑制することができる、このことを考えれば、走行中に燃料電池スタック２２からの生成水を側後方の水平方向の成分をもって外部に放出することにより、放出した水が路面に到達するまでに走行風によって巻き上げられたり、放出した水の多くが路面に到達したときに飛び散って走行風に巻き上げられるのを抑制することができる。また、車両が停車しているときや低速で走行しているときに燃料電池スタック２２からの生成水を鉛直下方に向けて外部に放出することにより、放出した水が路肩を歩いている人や建造物にかかるのを抑制することができる。
【０１２５】
以上説明した第６実施例の燃料電池車５１０によれば、燃料電池スタック２２からの排ガス流量が少ないときには燃料電池スタック２２により生成された水と排ガスとを鉛直下方に向けて外部に放出すると共に燃料電池スタック２２からの排ガス流量が多いときには燃料電池スタック２２により生成された水と排ガスとを側後方の水平成分をもった方向に向けて外部に放出する放出機構５５０を備えることにより、放水した水が路肩を歩いている人や建造物にかかるのを抑制することができると共に放出した水が走行風により飛散して巻き上げられるのを抑制することができる。しかも、放出機構５５０を走行風の影響が小さな運転者側の後輪の後部に配置したから、放出機構５５０から放出される水が走行風に巻き上げられるのを更に抑制することができる。これらの結果、後方や側方を走行している車両に放出した水が飛散してかかる等の不都合を抑制することができる。
【０１２６】
第６実施例の燃料電池車５１０では、放出機構５５０を固定管５５１の端部に回転可動自在に可動管５５２を取り付けて構成したが、図３８の変形例の放出機構５５０Ｂに示すように、固定管５５１Ｂに蛇腹状のフレキシブル管５５２Ｂを取り付け、ガス流量が略０のときにフレキシブル管５５２Ｂの開口端が鉛直下向きとなると共にガス流量が多いときにガスの吐出力によりフレキシブル管５５２Ｂが略水平に持ち上げられるよう固定管５５１Ｂとフレキシブル管５５２Ｂとに張力を作用させるバネ５５４を取り付けた構成としてもよい。
【０１２７】
第６実施例の燃料電池車５１０では、燃料電池スタック２２により生成された生成水と排ガスとが排ガス流量に応じて車両の側方向の成分と後方向の成分とを有する方向に放出されるよう放出機構５５０を取り付けるものとしたが、燃料電池スタック２２により生成された生成水と排ガスとが排ガス流量に応じて車両の側方向の成分だけを有する方向に放出されるよう放出機構５５０を取り付けるものとしてもよいし、燃料電池スタック２２により生成された生成水と排ガスとが排ガス流量に応じて車両の後方向の成分だけを有する方向に放出されるよう放出機構５５０を取り付けるものとしてもよい。
【０１２８】
第６実施例の燃料電池車５１０では、燃料電池スタック２２により生成された生成水と排ガスとを運転席側の後輪の後方から放出するものとしたが、燃料電池スタック２２により生成された生成水と排ガスとを放出する位置は運転席側の後輪の後方に限られず、例えば、運転席側の後輪の前方や助手席側の後輪の後方あるいは前方，運転席側あるいは助手席側の前輪の後方また前方，車両の中央後部あるいは中央前部など、如何なる位置としても構わない。
【実施例７】
【０１２９】
次に、本発明の第７実施例の燃料電池車５１０について説明する。  図３９は、第７実施例としての車両１０１０の概略構成を示す説明図である。車両１０１０は、後部の燃料電池室１０１２に搭載された燃料電池１０２０を電源とし、モータ１０３０の動力によって駆動する。モータ１０３０は種々のタイプを適用可能であるが、本実施例では、同期電動機を用いるものとした。燃料電池１０２０から出力される直流は、インバータ１０３１によって三層交流に変換される。モータ１０３０は、この三層交流によって駆動される。モータ１０３０の動力は、回転軸１０３２を介して車輪１０３３に伝達され、車両１０１０を駆動する。
【０１３０】
燃料電池１０２０は、水素と酸素の電気化学反応によって発電する。燃料電池１０２０には、種々のタイプを適用可能であるが、本実施例では、固体高分子型を用いた。酸素極には、供給管１０２４を介して外部から空気が供給される。水素は、屋根上の水素タンク室１０１１に設置された複数の水素タンク１０５０から供給管１０２２を介して順次、供給される。
【０１３１】
インバータ１０３１など、車両１０１０に搭載された各機器の動作は、制御ユニット１０４０によって制御される。制御ユニット１０４０は、内部にＣＰＵ、ＲＯＭ、ＲＡＭなどを備えたマイクロコンピュータとして構成されており、ＲＯＭに記憶された制御プログラムに従って、各ユニットの動作、および運転席１０１４に設けられた計器板１０６０への表示を制御する。
【０１３２】
図の下方には、燃料電池室１０１２の酸素極の排気系を拡大図で示した。燃料電池１０２０の酸素極からの排気には、発電時の反応によって生じた生成水が含まれている。この排気は、配管１０２４Ｐを介して気液分離器１０２１に運ばれ、排気中の生成水が分離された後、排気管１０２５から排出される。分離された生成水は、ドレイン１０２６を介して車両１０１０の下面に設けられたバッファタンク１０２７に貯留される。バッファタンク１０２７内の生成水は、排出管１０２８によって外部に排出される。排出管１０２８はバッファタンク１０２７の前方に取り付けられている。排出管１０２８からの円滑な排水を実現するよう、バッファタンク１０２７の下面は後方の方が前方よりも高くなっている。排出管１０２８の開口端の路面からの高さＨ（以下、「開口端高さ」と称する）は、車両１０１０の走行中に気流の影響によって生成水が飛散しない程度に十分低く設定されている。
【０１３３】
本実施例では、水素極からの排気は、発電で未消費の残留水素の有効活用を図るため、上述の排気系を介さず、供給管１０２２に循環させる。水素極からの排気も併せて、図中の排気系から排気するようにしても構わない。
【０１３４】
図４０はバッファタンク１０２７の作用を示す説明図である。図４０（ａ）は、車両１０１０が停車している状態を示した。この状態では、バッファタンク１０２７に貯留している生成水は排出管１０２８から車外に排出される。但し、停車中なので、気流の影響で生成水が飛散することはない。
【０１３５】
図４０（ｂ）は、車両１０１０が加速している状態を示した。この状態では、加速に伴う慣性力Ａの作用によって、バッファタンク１０２７に貯留している生成水は、図示するように後方に押しやられる。この結果、生成水の水面が、排出管１０２８の取り付け部から離れるため、生成水の排出が抑制される。加速時には、車両下面に気流が生じているが、生成水の排出が抑制されるため、気流によって生成水が飛散する可能性も抑制される。
【０１３６】
図４０（ｃ）は、車両１０１０が減速している状態を示した。この状態では、減速に伴う慣性力Ａの作用によって、バッファタンク１０２７に貯留している生成水は、図示するように前方に押しやられ、排出管１０２８からの生成水の排出が促進される。車両下面には気流が生じているが、減速時には気流が弱まりつつある状態なので、生成水の飛散を比較的抑えることができる。排出管１０２８の開口端高さは、このような減速時における排出でも、生成水の飛散を抑えることが可能な程度に低く設定しておくことが好ましい。
【０１３７】
以上で説明した第７実施例の車両１０１０によれば、排気系に設けられたバッファタンク１０２７および排出管１０２８の作用により、加速時における生成水の排出を抑制し、減速時における生成水の排出を促進することができる。走行中の車両は、一定速度で走行し続けることはあまり多くなく、加減速が行われることが多い。従って、減速時に生成水を十分に排出するとともに、加速時の排出を抑制することにより、走行中における生成水の飛散を後続車両の走行に支障を与えない程度には抑制することができる。
【実施例８】
【０１３８】
図４１は第８実施例としての排気系の構造を示す説明図である。第８実施例では、バッファタンク１０２７の下面に、リード弁１０２８Ｖを備えた排出管１０２８Ａを設けた。リード弁１０２８Ｖは、車両走行中の気流のラム圧、即ち気流をせき止めた時の圧力に応じて開閉する弁機構である。
【０１３９】
図の下部に、リード弁１０２８Ｖの動作を説明するためのグラフを示した。排出管１０２８Ａから排出された生成水は、車速が増して気流が速くなるにつれて、激しく飛散するようになる。ある速度Ｖｒを超えると、飛散によって後続車両の走行に支障を与えるおそれが生じるため、水滴の飛散を抑制することが望まれるようになる。本実施例では、水滴の飛散を抑制する設計速度Ｖｄを、この速度Ｖｒよりも若干、低い値に設定した。
【０１４０】
ラム圧は、曲線Ｐで示す通り、車速の２乗に比例して増加する。この曲線Ｐを参照することで、設計速度Ｖｄに対応するラム圧Ｐｄが求められる。本実施例では、ラム圧が値Ｐｄよりも小さい場合には開弁し、Ｐｄ以上の範囲で閉弁するようリード弁１０２８Ｖの動作圧力を調整した。
【０１４１】
このように調整することにより、第８実施例の車両では、車速が設計速度Ｖｄを超えた範囲でリード弁１０２８Ｖが閉じられるため、生成水の排水を停止することができる。従って、後続車に支障を与える程の生成水の飛散を回避することができる。
【０１４２】
第８実施例においては、排出管１０２８Ａをバッファタンク１０２７の下部に設けたが、第１実施例と同様、前方に設けても構わない。また、車速がＶｄを超えた時点で、必ずしもリード弁１０２８Ｖを完全に閉弁する必要はなく、車速に応じて弁の開度が連続的または段階的に低減するような機構としてもよい。
【０１４３】
第８実施例におけるリード弁１０２８Ｖに代えて電磁弁を用いても良い。この場合には、電磁弁の動作を制御するための制御装置を併せて設け、この制御装置に車速が設計速度Ｖｄを超えた時点で、電磁弁の開度を低減または閉弁する制御を実行させればよい。
【０１４４】
図４２は変形例としての排気系の構造を示す説明図である。変形例では、バッファタンク１０２７Ａの下面が、後方の方が前方よりもＬだけ低くなる形状とした。こうすることにより、図４２（ａ）に示すように、定常状態であっても、バッファタンク１０２７Ａ内の生成水は排出管１０２８から離れるようになるため、生成水の排出が抑制される。従って、車両が定常走行している場合の排水、ひいては生成水の飛散を抑制することができる。
【０１４５】
車両の加速時には図４２（ｂ）に示すように、慣性力Ａの作用によって、やはり生成水の排出は抑制される。減速時には図４２（ｃ）に示すように、慣性力Ａの作用によって、生成水が前方に押しやられるため、生成水が排出される。車両の走行時には必ず減速が行われる期間が存在するため、定常走行時における排水が抑制されたとしても、バッファタンク１０２７Ａにおける生成水の貯留機能に支障が生じることはない。
【０１４６】
図４３は変形例としての排気系の構造を示す説明図である。変形例では、バッファタンク１０２７に、前方に開口する剛性のある排出管１０２８Ｂを設けた。図の例では、排出管１０２８Ｂの前面の断面積Ｓ０はバッファタンク１０２７への取り付け部の断面積Ｓ１よりも大きくなっている例を示した。排出管１０２８Ｂは、面積Ｓ０、Ｓ１が等しい形状、即ち円筒状としても構わない。
【０１４７】
この変形例の構成によれば、排出管１０２８Ｂには、走行中にラム圧が作用する。バッファタンク１０２７内の生成水は、排出管１０２８Ｂを経て前方に流出しようとするから、ラム圧は、この流出を抑制する方向に作用することになる。かかる作用により、第２変形例の構成では、高速走行時における生成水の排水を抑制することができる。
【０１４８】
図の下方には、断面積比Ｓ０／Ｓ１が上述した排水の抑制効果に与える影響を示した。先に説明した通り、生成水の飛散が要求される車速の下限値Ｖｒに基づき設計速度Ｖｄを設定したとする。この時のラム圧は、曲線Ｐに基づいてＰａと求められる。生成水の排出を抑制するためには、このラム圧Ｐａは、バッファタンク１０２７内の生成水が排出管１０２８Ｂから流出しようとする水圧よりも高くなくてはならない。生成水の水圧は、バッファタンク１０２７内の貯留水の量によって変動するが、例えば、代表的な走行状態で貯留している生成水量に基づいて設定することができる。変形例では、この水圧よりも若干高い範囲でラム圧の設計値Ｐｄを設定した。
【０１４９】
一般に管内の圧力は、断面積に応じて変化する。例えば、排出管１０２８Ｂの断面積比Ｓ０／Ｓ１を１以上の値とすることにより、排出管１０２８Ｂの取り付け口でのラム圧を、入口での値よりも上昇させることができる。変形例ではこの関係に基づき、設計速度Ｖｄにおけるラム圧Ｐａと、ラム圧の設計値Ｐｄとの圧力比Ｒｄ（＝Ｐｄ／Ｐａ）の値に応じて求められる面積比Ｓｄに従って、排出管１０２８Ｂの形状を設定した。こうすることにより、ラム圧で生成水の排水を抑制することが可能となる。
【０１５０】
以上説明した実施例では、本発明を燃料電池を電力源として搭載した自動車に適用するものとしたが、自動車は燃料電池を搭載する他に燃料電池以外の電力源、例えば、二次電池やキャパシタなど種々の電力源を搭載するものとしてもよい。また、燃料電池を搭載する自動車に限定されるものではなく、自動車以外の列車などの車両を含む各種の地上移動体に適用するものとしてもよいし、地上移動体以外の移動体に適用するものとしてもよい。
【０１５１】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【０１５２】
本発明は、自動車産業に利用可能である。
【符号の説明】
【０１５３】
１０，１１０，１１０Ｂ，２１０，３１０，３１０Ｇ，４１０，５１０  燃料電池車、２０，３２０，５２０  燃料電池システム、２２  燃料電池スタック、３０  水素供給系、３１  高圧水素タンク、３２  水素供給流路、３３  水素循環路、３４  水素ポンプ、３８  気液分離器、４０  空気給排系、４２  供給管、４３  マスフローメータ、４４  エアコンプレッサ、４６  加湿器、４８，３４８，３４８Ｃ〜３４８Ｇ，４４８Ｃ，４４８Ｄ  気液分離器、５０  冷却系、５２  冷却水循環路、５４  冷却水ポンプ、５６，３５６  ラジエータ、６０  放出系、６１  希釈器、６２ａ〜６２ｃ  バッファタンク、６３，２６３  管路、６４ｂ，６４ｃ，１６４，２６４  放出口、７０  パワーコントロールユニット（ＰＣＵ）、７２  ラジエータ、１８０  導風路、１８０Ｂ  ダクト、２８２  ロアアーム、２８３  エアダム、２８４  環状部、２８４ａ  取付部、２８４ｂ  屈曲部、２８５  半円部、３４７，３４７Ｈ，４４７  排気管、３４９  排気屈曲管、３４９ａ  排気口、３４９Ｂ，３４９Ｄ，３４９Ｆ，３４９Ｇ  排ガス管、３４９ｂ〜３４９ｇ  放水管、３５０，３５０Ｅ，３５０Ｆ，３５０Ｈ  ダクト、４５０，４５０Ｂ  放出管、４５２  下方放出部、４５４  上方放出部、４５６  放水管、４５８  排ガス管、４６０  ダクト、５４７  排気管、５５０，５５０Ｂ  放出機構、５５１，５５１Ｂ  固定管、５５２  可動管、５５２Ｂ  フレキシブル管、５５３  ヒンジ、５５４  バネ、１０１０  車両、１０１１  水素タンク室、１０１２  燃料電池室、１０１４  運転席、１０２０  燃料電池、１０２１  気液分離器、１０２２  供給管、１０２４  供給管、１０２４Ｐ  配管、１０２５  排気管、１０２６  ドレイン、１０２７，１０２７Ａ  バッファタンク、１０２８，１０２８Ａ，１０２８Ｂ  排出管、１０２８Ｖ  リード弁，１０３０  モータ、１０３１  インバータ、１０３２  回転軸、１０３３  車輪、１０４０  制御ユニット、１０５０  水素タンク、１０６０  計器板。
【手続補正２】
【補正対象書類名】特許請求の範囲
【補正対象項目名】全文
【補正方法】変更
【補正の内容】
【特許請求の範囲】
【請求項１】
発電に伴って水を生成する燃料電池を電力源として搭載する移動体であって、
前記燃料電池により生成された生成水を放出口から外部に放出する放出手段と、
該放出手段の放出口近傍における移動体の移動に伴う空気の流れを調整する空気流調整手段と、
を備える移動体。
【請求項２】
請求項１記載の移動体であって、
前記放出口は、前記生成水を移動体の下側部から略鉛直下方に向けて放出するよう配置されてなり、
前記空気流調整手段は、空気を移動体の側後方に流す手段である
移動体。
【請求項３】
前記空気流調整手段は、空気を移動体の側方に対して１５〜７５度の範囲内の角度をもって後方に流す手段である請求項２記載の移動体。
【請求項４】
前記空気流調整手段は、空気を鉛直下方の流れ成分をもって流す手段である請求項２または３記載の移動体。
【請求項５】
前記空気調整手段は、移動体前部から流入した空気の流れを調整する手段である請求項２ないし４いずれか記載の移動体。
【請求項６】
請求項２ないし５いずれか記載の移動体であって、
前記移動体は車両であり、
前記放出口は、車両の前輪の後方に配置されてなる
移動体。
【請求項７】
前記放出口は、運転席側に配置されてなる請求項２ないし６いずれか記載の移動体。
【請求項８】
発電に伴って水を生成する燃料電池を電力源として搭載し、懸架装置をもって本体を支持する移動体であって、
前記懸架装置のばね下部材に取り付けられた放出口を有し、該放出口から前記燃料電池により生成された生成水を外部に放出する放出手段
を備える移動体。
【請求項９】
前記ばね下部材はサスペンションアームである請求項８記載の移動体。
【請求項１０】
請求項８または９記載の移動体であって、
前記移動体は車両であり、
前記放出口は、車輪近傍に取り付けられてなる
移動体。
【請求項１１】
前記放出口は、後輪後方に取り付けられてなる請求項１０記載の移動体。
【請求項１２】
前記放出口における移動体の移動に伴う空気の流れを調整する空気流調整手段を備える請求項８ないし１１いずれか記載の移動体。
【請求項１３】
前記空気流調整手段は、移動体の移動に伴う空気の流れを抑制する手段である請求項１２記載の移動体。
【請求項１４】
前記空気流調整手段は、移動体の移動に伴う空気の流れを鉛直下向きの成分を有する流れとする手段である請求項１２または１３記載の移動体。
【請求項１５】
発電に伴って水を生成する燃料電池を電力源として搭載する移動体であって、
前記燃料電池により生成された生成水を放出口から外部に放出する放出手段と、
前記放出口から放出された生成水が地面に至るまでの過程における少なくとも前記放出口近傍において該放出口から放出された生成水に対する移動体の移動に伴う空気の流れの影響を抑制する空気流影響抑制手段と、
を備える移動体。
【請求項１６】
前記空気流影響抑制手段は、前記放出口近傍に前記放出口から放出される生成水の放出方向に略一致する気体流を生成する手段である請求項１５記載の移動体。
【請求項１７】
前記空気流影響抑制手段は、前記放出口から放出される生成水に作用する移動体の移動に伴う空気の流れを略遮断するよう気体流を生成する手段である請求項１５記載の移動体。
【請求項１８】
前記空気流影響抑制手段は、移動体の移動方向における前記生成水の前方に前記気体流を生成する手段である請求項１６または１７記載の移動体。
【請求項１９】
前記空気流影響抑制手段は、移動体の移動方向における前記生成水の後方に前記気体流を生成する手段である請求項１６記載の移動体。
【請求項２０】
前記空気流影響抑制手段は、移動体の移動方向における前記生成水の側方内側に前記気体流を生成する手段である請求項１６記載の移動体。
【請求項２１】
前記空気流影響抑制手段は、移動体の移動方向における前記生成水の側方外側に前記気体流を生成する手段である請求項１６記載の移動体。
【請求項２２】
前記空気流影響抑制手段は、前記生成水の周囲に環状の前記気体流を生成する手段である請求項１６または１７記載の移動体。
【請求項２３】
前記空気流影響抑制手段は、前記生成水を取り囲むよう前記気体流を生成する手段である請求項１６または１７記載の移動体。
【請求項２４】
前記空気流影響抑制手段は、移動体からの排気により前記気体流を生成する手段である請求項１６ないし２３いずれか記載の移動体。
【請求項２５】
前記空気流影響抑制手段は、前記燃料電池からの排気により前記気体流を生成する手段である請求項２４記載の移動体。
【請求項２６】
前記空気流影響抑制手段は、前記気体流を生成するためのファンを備える手段である請求項２４記載の移動体。
【請求項２７】
前記ファンは、移動体に搭載された機器を冷却するために用いられる冷却用ファンである請求項２６記載の移動体。
【請求項２８】
前記ファンは、移動体の下部に鉛直下向きの成分を有する方向に向けて排気を送出するよう配置されてなる請求項２６または２７記載の移動体。
【請求項２９】
前記空気流影響抑制手段は、移動体の移動に伴う空気の流れを調整することにより前記気体流を生成する手段である請求項１６ないし２３いずれか記載の移動体。
【請求項３０】
発電に伴って水を生成する燃料電池を電力源として搭載する移動体であって、
前記燃料電池により生成された生成水を放出口から外部に放出する放出手段と、
前記放出口から放出された生成水および／または前記放出口から放出され地面に至った後の生成水が移動体の移動に伴う空気の流れに基づいて後方に飛散するのを抑制する後方飛散抑制手段と、
を備える移動体。
【請求項３１】
前記後方飛散抑制手段は、前記放出口の後方に該放出口から放出される生成水の放出方向に略一致する気体流を生成する手段である請求項３０記載の移動体。
【請求項３２】
前記後方飛散抑制手段は、前記放出口の後方に鉛直下向きの成分を有する気体流を生成する手段である請求項３０記載の移動体。
【請求項３３】
前記後方飛散抑制手段は、移動体の移動に伴う空気の流れを調整することにより前記気体流を生成する手段である請求項３１または３２記載の移動体。
【請求項３４】
前記空気流影響抑制手段は、移動体からの排気により前記気体流を生成する手段である請求項３１または３２記載の移動体。
【請求項３５】
前記空気流影響抑制手段は、前記燃料電池からの排気により前記気体流を生成する手段である請求項３４記載の移動体。
【請求項３６】
発電に伴って水を生成する燃料電池を電力源として搭載する移動体であって、
前記燃料電池により生成された生成水の少なくとも一部を水蒸気として含む排気の供給を受け、該供給された排気を遠心分離作用を用いて気液分離し、気体と液体とを略同一方向に向けて外部に放出する気液分離放出手段、
を備える移動体。
【請求項３７】
前記気液分離放出手段は、前記排気を螺旋回させて流すことにより気液を遠心分離する気液分離部と、該気液分離部からの気液を鉛直下向きの成分を有する方向に向けて放出する放出部と、を備える手段である請求項３６記載の移動体。
【請求項３８】
前記放出部は、前記気液分離部からの気液を略水平に移動させる状態から鉛直下方方向に湾曲させて放出する湾曲管により構成されてなる請求項３７記載の移動体。
【請求項３９】
発電に伴って水を生成する燃料電池を電力源として搭載する移動体であって、
前記燃料電池からの排ガスのガス流量に応じてガスの放出方向を鉛直下向きから水平方向に変更可能な放出機構を有し、前記燃料電池により生成された生成水を該燃料電池からの排ガスと共に該放出機構から外部に放出する放出手段
を備える移動体。
【請求項４０】
前記放出機構は、ガス流量の増加に伴ってガスの放出方向を水平方向に変更する機構である請求項３９記載の移動体。
【請求項４１】
前記放出機構は、ガス流量に応じてガスの放出方向を鉛直下向きから移動体の側方向への成分をもって水平方向に変更する機構である請求項３９または４０記載の移動体。
【請求項４２】
前記放出機構は、ガス流量に応じてガスの放出方向を鉛直下向きから移動体の後方向への成分をもって水平方向に変更する機構である請求項３９ないし４１いずれか記載の移動体。
【請求項４３】
前記放出機構は、移動体に略水平に固定された固定管端部の上部にヒンジをもって可動管を取り付けてなる機構である請求項３９ないし４２いずれか記載の移動体。
【請求項４４】
前記放出機構は、移動体に略水平に固定された固定管端部に屈曲自在な屈曲自在管を取り付けると共に該屈曲自在管内を流れるガスによる力をもって変形可能の弾性部材を用いてガス流量が小さいときに該屈曲自在管の端部が略鉛直下方を向くよう屈曲状態を調整してなる機構である請求項３９ないし４２いずれか記載の移動体。
【請求項４５】
発電に伴って水を生成する燃料電池を電力源として搭載する移動体であって、
前記燃料電池により生成された生成水を放出口から外部に放出する放出手段と、
該放出手段の放出口から放出される生成水の飛散を抑制する飛散抑制手段と、
を備える移動体。
【請求項４６】
前記飛散抑制手段は、前記生成水の落下に作用する方向の力を大きくする手段である請求項４５記載の移動体。
【請求項４７】
前記飛散抑制手段は、前記生成水の落下重量を大きくする手段である請求項４６記載の移動体。
【請求項４８】
前記飛散抑制手段は、前記生成水を収集して前記放出手段に導く手段である請求項４７記載の移動体。
【請求項４９】
前記飛散抑制手段は、前記生成水の少なくとも一部を水蒸気として含む前記燃料電池からの排気を気液分離することにより生成水を収集する手段である請求項４８記載の移動体。
【請求項５０】
前記飛散抑制手段は、移動体の移動に伴う空気の流れを用いて前記生成水の落下を促進する手段である請求項４６記載の移動体。
【請求項５１】
前記飛散抑制手段は、前記生成水に対する移動体の移動に伴う空気の流れを鉛直下方の成分を有する流れとすることにより該生成水の落下を促進する手段である請求項５０記載の移動体。
【請求項５２】
前記飛散抑制手段は、移動体から放出されるガスを用いて前記生成水の落下を促進する手段である請求項４６記載の移動体。
【請求項５３】
前記飛散抑制手段は、前記生成水に対して前記移動体から放出されるガスを鉛直下方の成分を有する流れとして放出することにより該生成水の落下を促進する手段である請求項５２記載の移動体。
【請求項５４】
前記飛散抑制手段は、前記生成水の飛散に作用する方向の力を小さくする手段である請求項４６記載の移動体。
【請求項５５】
前記飛散抑制手段は、前記生成水に作用する移動体の移動に伴う空気の流れの影響を小さくする手段である請求項５４記載の移動体。
【請求項５６】
前記飛散抑制手段は、前記生成水に対する移動体の移動に伴う空気の流れを調整することにより前記生成水に作用する移動体の移動に伴う空気の流れの影響を小さくする手段である請求項５５記載の移動体。
【請求項５７】
前記飛散抑制手段は、前記生成水に対する移動体の移動に伴う空気の流れを抑制する手段である請求項５６記載の移動体。
【請求項５８】
前記飛散抑制手段は、前記生成水に対する移動体の移動に伴う空気の流れを遮断する手段である請求項５６記載の移動体。
【請求項５９】
前記飛散抑制手段は、前記生成水に対する移動体の移動に伴う空気の流れを鉛直下向きの成分を有する流れとする手段である請求項５６記載の移動体。
【請求項６０】
前記飛散抑制手段は、移動体から放出されるガスを用いて前記生成水の飛散に作用する方向の力を小さくする手段である請求項５６記載の移動体。
【請求項６１】
前記飛散抑制手段は、移動体から放出されるガスにより前記生成水に対する移動体の移動に伴う空気の流れを抑制する手段である請求項６０記載の移動体。
【請求項６２】
前記飛散抑制手段は、移動体から放出されるガスにより前記生成水に対する移動体の移動に伴う空気の流れを遮断する手段である請求項６０記載の移動体。
【請求項６３】
前記飛散抑制手段は、前記生成水の運動を規制する手段である請求項４６記載の移動体。
【請求項６４】
前記飛散抑制手段は、移動体から放出されるガスを用いて前記生成水の運動を規制する手段である請求項６３記載の移動体。
【請求項６５】
前記飛散抑制手段は、移動体の移動に伴う空気の流れを用いて前記生成水の運動を規制する手段である請求項６４記載の移動体。
【請求項６６】
移動体であって、
水素と酸素の電気化学反応により発電する燃料電池と、
前記燃料電池からの排気を移動体外に排出するための排気系と、
前記排気に含まれる生成水の移動体外への排出を所定速以上の時に抑制する排水抑制機構と、
を備える移動体。
【請求項６７】
前記排水抑制機構は、前記所定速以上で開度が低減する弁機構である請求項６６記載の移動体。
【請求項６８】
前記排水抑制機構は、前記移動体の移動に伴うラム圧が前記生成水の排出を抑制する方向に作用する位置および向きに開口する排水口である請求項６６記載の移動体。
【請求項６９】
請求項６６ないし６８いずれか記載の移動体であって、
前記排気系は、前記排気から前記生成水を分離するための気液分離機構を有し、
前記排水抑制機構は、該気液分離機構からの排水系に設けられた
移動体。
【請求項７０】
請求項６９記載の移動体であって、
前記気液分離機構は、前記生成水を一時的に貯留する貯留部を有し、
前記排水系は、前記貯留部において該移動体の前方に開口するよう設けられている
移動体。
【請求項７１】
移動体であって、
水素と酸素の電気化学反応により発電する燃料電池と、
前記燃料電池からの排気を移動体外に排出するための排気系と、
前記排気に含まれる生成水を一時的に貯留する貯留部と、
前記貯留部から前記生成水を排出するため前記移動体の前方側に設けられた排水口と、
を備える移動体。
【請求項７２】
前記排水口は、前記移動体の移動に伴うラム圧が前記生成水の排出を抑制する方向に作用する位置および向きに開口する請求項７１記載の移動体。
【請求項７３】
前記排水口には、所定速以上で開度が低減する弁機構が設けられている請求項７１記載の移動体。
【請求項７４】
請求項７１ないし７３いずれか記載の移動体であって、
前記排気系は、前記排気から前記生成水を分離するための気液分離機構を有し、
前記貯留部は、該気液分離機構からの排水系に設けられた
移動体。
【請求項７５】
前記移動体は車両である請求項６６ないし７４いずれか記載の移動体。